(57)【要約】【課題】基地局装置と端末装置間で制御情報を含む信号を効率的に送受信することを可能にする。【解決手段】複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を受信する受信処理部と、  前記情報に基づき、複数のＥＰＤＣＣＨ  ｓｅｔと複数のＥＰＨＩＣＨ  ｓｅｔを構成し、前記ＥＰＤＣＣＨ  ｓｅｔと前記ＥＰＨＩＣＨ  ｓｅｔの対応付けを設定する無線リソース制御部と、ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御する制御部と、を有する。【選択図】図４
2016042611.tif 000002
【特許請求の範囲】
【請求項１】
基地局装置と通信を行う端末装置であって、
複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を前記基地局装置から受信する受信処理部と、
前記情報に基づき、複数のＥＰＤＣＣＨ  ｓｅｔと複数のＥＰＨＩＣＨ  ｓｅｔを構成し、前記ＥＰＤＣＣＨ  ｓｅｔと前記ＥＰＨＩＣＨ  ｓｅｔの対応付けを設定する無線リソース制御部と、
ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御する制御部と、を有することを特徴とする端末装置。
【請求項２】
複数の端末装置と通信を行う基地局装置であって、
複数のＥＰＤＣＣＨ  ｓｅｔと、複数のＥＰＨＩＣＨ  ｓｅｔと、前記ＥＰＤＣＣＨ  ｓｅｔと前記ＥＰＨＩＣＨ  ｓｅｔとの対応付けと、を前記端末装置に対して設定する無線リソース制御部と、
前記無線リソース制御部で設定された、複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔとの対応付けと、を示す情報を前記端末装置に送信する送信処理部と、
ＰＵＳＣＨのリソース割り当て情報を含むＥＰＤＣＣＨが配置される前記ＥＰＤＣＣＨ  ｓｅｔと対応付けられる前記ＥＰＨＩＣＨ  ｓｅｔで前記ＰＵＳＣＨに対応するＥＰＨＩＣＨに信号を配置して、前記信号を送信する送信処理部と、有することを特徴とする基地局装置。
【請求項３】
基地局装置と通信を行う端末装置に用いられる通信方法であって、
複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を前記基地局装置から受信するステップと、
前記情報に基づき、複数のＥＰＤＣＣＨ  ｓｅｔと複数のＥＰＨＩＣＨ  ｓｅｔを構成するステップと、
前記構成されたＥＰＤＣＣＨ  ｓｅｔと前記構成されたＥＰＨＩＣＨ  ｓｅｔの対応付けを設定するステップと、
ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御するステップと、を少なくとも含むことを特徴とする通信方法。
【請求項４】
基地局装置と通信を行う端末装置に実装される集積回路であって、
複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を前記基地局装置から受信する受信処理部と、
前記情報に基づき、複数のＥＰＤＣＣＨ  ｓｅｔと複数のＥＰＨＩＣＨ  ｓｅｔを構成し、前記ＥＰＤＣＣＨ  ｓｅｔと前記ＥＰＨＩＣＨ  ｓｅｔの対応付けを設定する無線リソース制御部と、
ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御する制御部と、を有することを特徴とする集積回路。
【請求項５】
複数の端末装置および前記複数の端末装置と通信を行う基地局装置から構成される通信システムであって、
前記端末装置は、
複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を前記基地局装置から受信する受信処理部と、
前記情報に基づき、複数のＥＰＤＣＣＨ  ｓｅｔと複数のＥＰＨＩＣＨ  ｓｅｔを構成し、前記ＥＰＤＣＣＨ  ｓｅｔと前記ＥＰＨＩＣＨ  ｓｅｔの対応付けを設定する無線リソース制御部と、
ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御する制御部と、を有し、
前記基地局装置は、
ＰＵＳＣＨのリソース割り当て情報を含むＥＰＤＣＣＨが配置される前記ＥＰＤＣＣＨ  ｓｅｔと対応付けられる前記ＥＰＨＩＣＨ  ｓｅｔで前記ＰＵＳＣＨに対応するＥＰＨＩＣＨに信号を配置して、前記信号を送信する送信処理部と、を有することを特徴とする通信システム。
【発明の詳細な説明】
【技術分野】
【０００１】
本発明は、複数の端末装置と基地局装置から構成される通信システムにおいて、制御情報が送受信される物理チャネルを効率的に構成し、基地局装置が端末装置に対して効率的に制御情報を含む信号を送信することができ、端末装置は基地局装置から効率的に制御情報を含む信号を受信することができる端末装置、基地局装置、通信方法、集積回路および通信システムに関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する。）が、第三世代パートナーシッププロジェクト（3rd Generation Partnership Project: 3GPP）において仕様化されている。ＬＴＥでは、基地局装置から端末装置への無線通信（下りリンク; DLと呼称する。）の通信方式として、マルチキャリア送信である直交周波数分割多重（Orthogonal Frequency Division Multiplexing: OFDM）方式が用いられる。また、ＬＴＥでは、端末装置から基地局装置への無線通信（上りリンク; ULと呼称する。）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
ＬＴＥを発展させ、新たな技術を適用するＬＴＥ−Ａ（LTE-Advanced）が仕様化されている。ＬＴＥ−ＡではＬＴＥと同一のチャネル構造が少なくともサポートされている。チャネルとは、信号の送信に用いられる媒体を意味する。物理層で用いられるチャネルは物理チャネル、媒体アクセス制御（Medium Access Control: MAC）層で用いられるチャネルは論理チャネルと呼称する。物理チャネルの種類としては、下りリンクのデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、下りリンクの制御情報の送受信に用いられる拡張物理下りリンク制御チャネル（Enhanced Physical Downlink Control CHannel: EPDCCH）、上りリンクのデータに対する下りリンクの制御情報の送受信に用いられる物理ハイブリッド自動再送要求指示チャネル（Physical Hybrid ARQ（Automatic Repeat reQuest） Indicator Channel: PHICH）、上りリンクのデータおよび制御情報の送受信に用いられる物理上りリンク共用チャネル（Physical Uplink Shared CHannel: PUSCH）、制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）、マルチキャストデータの送受信に用いられる物理マルチキャストチャネル（Physical Multicast CHannel: PMCH）等がある。端末装置、または基地局装置は、制御情報、データなどから生成した信号を各物理チャネルに配置して、送信する。物理下りリンク共用チャネル、または物理上りリンク共用チャネルで送信されるデータは、トランスポートブロックと呼称する。
【０００４】
物理上りリンク制御チャネルに配置される制御情報は、上りリンク制御情報（Uplink Control Information: UCI）と呼称する。上りリンク制御情報は、受信された物理下りリンク共用チャネルに配置されたデータに対する肯定応答（Acknowledgement: ACK）または否定応答（Negative Acknowledgement: NACK）を示す制御情報（受信確認応答; ACK/NACK）、または上りリンクのリソースの割り当ての要求を示す制御情報（Scheduling Request: SR）、または下りリンクの受信品質（チャネル品質とも呼称する）を示す制御情報（Channel Quality Indicator: CQI）である。物理ハイブリッド自動再送要求指示チャネルに配置される制御情報は、受信された物理上りリンク共用チャネルに配置されたデータに対する肯定応答（Acknowledgement: ACK）または否定応答（Negative Acknowledgement: NACK）を示す制御情報（受信確認応答; ACK/NACK）である。
【０００５】
基地局装置は、システム帯域内で拡張物理下りリンク制御チャネルが配置されうる周波数リソース（EPDCCH set）を設定することができる。異なる基地局装置が、異なる周波数リソースに拡張物理下りリンク制御チャネルが配置されうる周波数リソースを設定することにより、ＥＰＤＣＣＨに対して周波数領域での干渉コーディネーションがサポートされる。拡張物理下りリンク制御チャネルに協調通信が適用され、基地局装置は、端末装置に複数のＥＰＤＣＣＨ  ｓｅｔを構成し、それぞれのＥＰＤＣＣＨ  ｓｅｔでは異なる基地局装置が拡張物理下りリンク制御チャネルの信号を送信し、端末装置に送信する拡張物理下りリンク制御チャネルの送信先をダイナミックに切り替える技術（Dynamic Point Switching: DPS）がサポートされる。
【０００６】
既存の制御シグナリング、共通の参照信号を最小化した、新しいキャリアタイプ（New Carrier Type: NCT）の導入が検討されている（非特許文献１）。検討項目の一つとして、制御信号の改善が検討されている。ここで、既存の制御シグナリングとは、例えば、物理下りリンク制御チャネルを用いて送受信される制御情報を含む。ここで、共通の参照信号とは、例えば、セル固有参照信号（Cell-specific Reference Signals: CRS）を含む。セル固有参照信号は、物理下りリンク制御チャネル、物理ハイブリッド自動再送要求指示チャネルの信号の復調に用いられる。システム内の全ての端末装置に対して共通ではない参照信号、言いかえると端末装置固有の参照信号として、物理下りリンク共用チャネルの信号の復調に用いられる参照信号（UE-specific reference signals associated with PDSCH）、拡張物理下りリンク制御チャネルの信号の復調に用いられる参照信号（Demodulation reference signals associated with EPDCCH）がある。
【先行技術文献】
【非特許文献】
【０００７】
【非特許文献１】3GPP TSG RAN #58、Barcelona、Spain、December 4-7、2012、RP-122028“Revised WID on New Carrier Type for LTE”
【発明の概要】
【発明が解決しようとする課題】
【０００８】
物理ハイブリッド自動再送要求指示チャネルの信号の復調にセル固有参照信号が用いられるため、共通の参照信号を最小化しつつ、物理上りリンク共用チャネルに配置されたデータに対する肯定応答または否定応答を示す制御情報を送受信できるようにするためには、新しいキャリアタイプを用いたシステム帯域内において物理ハイブリッド自動再送要求指示チャネルを用いず、新たな物理チャネルを用いることが望ましい。また、肯定応答または否定応答を示す制御情報の送受信に用いられる新たな物理チャネルに対しても送信先をダイナミックに切り替える技術がサポートされることが望ましい。
【０００９】
本発明は上記の点に鑑みてなされたものであり、その目的は、複数の端末装置と基地局装置から構成される通信システムにおいて、基地局装置が端末装置に対して効率的に制御情報（ＡＣＫ／ＮＡＣＫ）を含む信号を送信することができ、端末装置は基地局装置から効率的に制御情報（ＡＣＫ／ＮＡＣＫ）を含む信号を受信することができる端末装置、基地局装置、通信方法、集積回路および通信システムに関する。
【課題を解決するための手段】
【００１０】
（１）上記の目的を達成するために、本発明は、以下のような手段を講じた。すなわち、本発明の端末装置は、基地局装置と通信を行う端末装置であって、複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を前記基地局装置から受信する受信処理部と、前記情報に基づき、複数のＥＰＤＣＣＨ  ｓｅｔと複数のＥＰＨＩＣＨ  ｓｅｔを構成し、前記ＥＰＤＣＣＨ  ｓｅｔと前記ＥＰＨＩＣＨ  ｓｅｔの対応付けを設定する無線リソース制御部と、ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御する制御部と、を有することを特徴とする。
【００１１】
（２）また、本発明の基地局装置は、複数の端末装置と通信を行う基地局装置であって、複数のＥＰＤＣＣＨ  ｓｅｔと、複数のＥＰＨＩＣＨ  ｓｅｔと、前記ＥＰＤＣＣＨ  ｓｅｔと前記ＥＰＨＩＣＨ  ｓｅｔとの対応付けと、を前記端末装置に対して設定する無線リソース制御部と、前記無線リソース制御部で設定された、複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔとの対応付けと、を示す情報を前記端末装置に送信する送信処理部と、ＰＵＳＣＨのリソース割り当て情報を含むＥＰＤＣＣＨが配置される前記ＥＰＤＣＣＨ  ｓｅｔと対応付けられる前記ＥＰＨＩＣＨ  ｓｅｔで前記ＰＵＳＣＨに対応するＥＰＨＩＣＨに信号を配置して、前記信号を送信する送信処理部と、有することを特徴とする。
【００１２】
（３）また、本発明の通信方法は、基地局装置と通信を行う端末装置に用いられる通信方法であって、複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を前記基地局装置から受信するステップと、
前記情報に基づき、複数のＥＰＤＣＣＨ  ｓｅｔと複数のＥＰＨＩＣＨ  ｓｅｔを構成するステップと、前記構成されたＥＰＤＣＣＨ  ｓｅｔと前記構成されたＥＰＨＩＣＨ  ｓｅｔの対応付けを設定するステップと、ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御するステップと、を少なくとも含むことを特徴とする。
【００１３】
（４）また、本発明の集積回路は、基地局装置と通信を行う端末装置に実装される集積回路であって、複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を前記基地局装置から受信する受信処理部と、前記情報に基づき、複数のＥＰＤＣＣＨ  ｓｅｔと複数のＥＰＨＩＣＨ  ｓｅｔを構成し、前記ＥＰＤＣＣＨ  ｓｅｔと前記ＥＰＨＩＣＨ  ｓｅｔの対応付けを設定する無線リソース制御部と、ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御する制御部と、を有することを特徴とする。
【００１４】
（５）また、本発明の通信システムは、複数の端末装置および前記複数の端末装置と通信を行う基地局装置から構成される通信システムであって、前記端末装置は、複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を前記基地局装置から受信する受信処理部と、前記情報に基づき、複数のＥＰＤＣＣＨ  ｓｅｔと複数のＥＰＨＩＣＨ  ｓｅｔを構成し、前記ＥＰＤＣＣＨ  ｓｅｔと前記ＥＰＨＩＣＨ  ｓｅｔの対応付けを設定する無線リソース制御部と、ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御する制御部と、を有し、前記基地局装置は、ＰＵＳＣＨのリソース割り当て情報を含むＥＰＤＣＣＨが配置される前記ＥＰＤＣＣＨ  ｓｅｔと対応付けられる前記ＥＰＨＩＣＨ  ｓｅｔで前記ＰＵＳＣＨに対応するＥＰＨＩＣＨに信号を配置して、前記信号を送信する送信処理部と、を有することを特徴とする。
【００１５】
（６）また、本発明の通信方法は、端末装置と通信を行う基地局装置に用いられる通信方法であって、複数のＥＰＤＣＣＨ  ｓｅｔと、複数のＥＰＨＩＣＨ  ｓｅｔと、前記ＥＰＤＣＣＨ  ｓｅｔと前記ＥＰＨＩＣＨ  ｓｅｔとの対応付けと、を前記端末装置に対して設定するステップと、前記設定された複数のＥＰＤＣＣＨ  ｓｅｔの構成と、前記設定された複数のＥＰＨＩＣＨ  ｓｅｔの構成と、前記設定されたＥＰＤＣＣＨ  ｓｅｔと前記設定されたＥＰＨＩＣＨ  ｓｅｔとの対応付けと、を示す情報を前記端末装置に送信するステップと、ＰＵＳＣＨのリソース割り当て情報を含むＥＰＤＣＣＨが配置される前記ＥＰＤＣＣＨ  ｓｅｔと対応付けられる前記ＥＰＨＩＣＨ  ｓｅｔで前記ＰＵＳＣＨに対応するＥＰＨＩＣＨに信号を配置して、前記信号を送信するステップと、を含むことを特徴とする。
【００１６】
（７）また、本発明の集積回路は、端末装置と通信を行う基地局装置に実装される集積回路であって、複数のＥＰＤＣＣＨ  ｓｅｔと、複数のＥＰＨＩＣＨ  ｓｅｔと、前記ＥＰＤＣＣＨ  ｓｅｔと前記ＥＰＨＩＣＨ  ｓｅｔとの対応付けと、を前記端末装置に対して設定する無線リソース制御部と、前記無線リソース制御部で設定された、複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔとの対応付けと、を示す情報を前記端末装置に送信する送信処理部と、ＰＵＳＣＨのリソース割り当て情報を含むＥＰＤＣＣＨが配置される前記ＥＰＤＣＣＨ  ｓｅｔと対応付けられる前記ＥＰＨＩＣＨ  ｓｅｔで前記ＰＵＳＣＨに対応するＥＰＨＩＣＨに信号を配置して、前記信号を送信する送信処理部と、有することを特徴とする。
【００１７】
本明細書では、下りリンクでＡＣＫ／ＮＡＣＫを送受信するための物理チャネルが用いられる通信システム、端末装置、基地局装置、通信方法および集積回路の改良という点において本発明を開示するが、本発明が適用可能な通信方法は、ＬＴＥまたはＬＴＥ−ＡのようにＬＴＥと上位互換性のある通信方法に限定されるものではない。
【発明の効果】
【００１８】
この発明によれば、基地局装置が端末装置に対して効率的に制御情報（ＡＣＫ／ＮＡＣＫ）を含む信号を送信することができ、端末装置は基地局装置から効率的に制御情報（ＡＣＫ／ＮＡＣＫ）を含む信号を受信することができ、更に効率的な通信システムを実現することができる。
【図面の簡単な説明】
【００１９】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る端末装置５の構成を示す概略ブロック図である。
【図５】本発明の実施形態に係る端末装置５の受信処理部４０１の構成を示す概略ブロック図である。
【図６】本発明の実施形態に係る端末装置５の送信処理部４０７の構成を示す概略ブロック図である。
【図７】本発明の実施形態に係る通信システムの全体像についての概略を説明する図である。
【図８】本発明の実施形態に係る基地局装置３から端末装置５への下りリンクの時間フレームの概略構成を示す図である。
【図９】本発明の実施形態に係る通信システム１の下りリンクサブフレーム内の第一の参照信号の配置の一例を示す図である。
【図１０】本発明の実施形態に係る通信システム１の下りリンクサブフレーム内の第二の参照信号の配置の一例を示す図である。
【図１１】本発明の実施形態に係る端末装置５から基地局装置３への上りリンクの時間フレームの概略構成を示す図である。
【図１２】本発明の実施形態に係る通信システム１のＥＰＤＣＣＨ  ｓｅｔの概略構成の一例を示す図である。
【図１３】本発明の実施形態に係る通信システム１のＥＰＤＣＣＨとＥＣＣＥの論理的な関係を説明する図である。
【図１４】本発明の実施形態のＥＲＥＧの構成の一例を示す図である。
【図１５】本発明の実施形態のＬｏｃａｌｉｚｅｄ  ｍａｐｐｉｎｇの一例を示す図である。
【図１６】本発明の実施形態のＬｏｃａｌｉｚｅｄ  ｍａｐｐｉｎｇの一例を示す図である。
【図１７】本発明の実施形態のＬｏｃａｌｉｚｅｄ  ｍａｐｐｉｎｇの一例を示す図である。
【図１８】本発明の実施形態のＤｉｓｔｒｉｂｕｔｅｄ  ｍａｐｐｉｎｇの一例を示す図である。
【図１９】本発明の実施形態のＤｉｓｔｒｉｂｕｔｅｄ  ｍａｐｐｉｎｇの一例を示す図である。
【図２０】本発明の実施形態のＤｉｓｔｒｉｂｕｔｅｄ  ｍａｐｐｉｎｇの一例を示す図である。
【発明を実施するための形態】
【００２０】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やｃｄｍａ２０００（登録商標）等のような無線技術（規格）を実装し得る。ＵＴＲＡは、広帯域ＣＤＭＡ（ＷＣＤＭＡ）及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））のような無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ‐ＯＦＤＭ（登録商標）などのような無線技術を実装し得る。３ＧＰＰ ＬＴＥ（Ｌｏｎｇ  Ｔｅｒｍ  Ｅｖｏｌｕｔｉｏｎ）は、ダウンリンク上でＯＦＤＭＡを、アップリンク上でＳＣ−ＦＤＭＡを採用するＥ−ＵＴＲＡである。ＬＴＥ−Ａは、ＬＴＥを改良したシステム、無線技術、規格である。ＵＴＲＡ、Ｅ−ＵＴＲＡ、ＬＴＥ、ＬＴＥ−Ａ及びＧＳＭは、第３世代パートナーシッププロジェクト（３ＧＰＰ）と名付けられた機関からのドキュメントで説明されている。ｃｄｍａ２０００及びＵＭＢは、第３世代パートナーシッププロジェクト２（３ＧＰＰ２）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００２１】
以下、本発明に係る好適な実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。以下の詳細な説明は、本発明の完全な理解を提供するために具体的な細部事項を含む。しかし、当業者であれば、本発明がこのような具体的な細部事項がなくても実施され得ることが分かる。例えば、以下の詳細な説明は、移動通信システムが３ＧＰＰ  ＬＴＥ、ＬＴＥ―Ａシステムである場合を仮定して具体的に説明するが、３ＧＰＰ  ＬＴＥ、ＬＴＥ―Ａの特有の事項を除いては、他の任意の移動通信システムにも適用可能である。また、後述される用語は、本発明における機能を考慮して定義された用語で、ユーザ、運用者の意図または慣例などによって変わり得る。したがって、その用語は、本明細書全般にわたった内容に基づいて定義されるべきである。
【００２２】
実施形態を説明するにおいて本発明が属する技術分野に十分知られており、本発明と直接的に関係のない技術内容については説明を省略する。これは、不要な説明を省略することにより、本発明の要旨を不明瞭にせず、より明確に伝達するためである。よって、いくつかの場合、本発明の概念が曖昧になることを避けるために公知の構造及び装置は省略したり、各構造及び装置の核心機能を中心にしたブロック図の形式で図示したりすることができる。本発明の要旨を不明瞭にせず、より明確に伝達するため、図面において一部の構成要素は、誇張されたり省略されたり概略的に示される。また、各構成要素の大きさは、実際の大きさを反映するものではない。また、本明細書全体で同一の構成要素については同一の図面符号を使用して説明する。
【００２３】
明細書全体において、一つの部分が一つの構成要素を「含む」とするとき、これは、特別に反対の記載がない限り、他の構成要素を除外するのではなく、他の構成要素を更に含むことができることを意味する。さらに、詳細な説明または特許請求の範囲のいずれかで使用される“または”という用語は、排
他的な“または”というよりむしろ、包含的な“または”を意味することを意図している。すなわち、そうではないと指定されていない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによっても満たされる：ＸがＡを用いる；ＸがＢを用いる；または、ＸがＡおよびＢの双方とも用いる。加えて、本出願および添付した特許請求の範囲で使用した冠詞“ａ”および“ａｎ”は、そうではないと指定されていない限り、または、単数形を意図する文脈から明らかでない限り、一般的に、“１つ以上”を意味すると解釈すべきである。また、明細書に記載された「…部」、「…器」、「モジュール」などの用語は、少なくとも一つの機能や動作を処理する単位を意味し、これは、ハードウェアやソフトウェア又はハードウェア及びソフトウェアの組合せで具現することができる。
【００２４】
併せて、以下の説明において、端末装置は、ユーザ装置（User Equipment: UE）、移動局（Mobile Station: MS, Mobile Terminal: MT）、移動局装置、移動端末、加入者ユニット、加入者局、ワイヤレス端末、移動体デバイス、ノード、デバイス、遠隔局、遠隔端末、ワイヤレス通信デバイス、ワイヤレス通信装置、ユーザエージェント、アクセス端末などの移動型又は固定型のユーザ端機器を総称するものとする。また、端末装置は、セルラ電話機、コードレス電話機、セッション開始プロトコル（SIP）電話機、スマートフォン、ワイヤレスローカルループ（WLL）局、パーソナルデジタルアシスタント（PDA）、タブレット、ラップトップ、ハンドヘルド通信デバイス、ハンドヘルドコンピューティングデバイス、衛星ラジオ、ワイヤレスモデムカード、ＵＳＢモデム、ルーター、および／または、ワイヤレスシステムを通して通信するための別の処理デバイスとすることができる。また、基地局装置は、ノードＢ（NodeB）、強化ノードＢ（eNodeB）、基地局、アクセスポイント（Access Point: AP）などの端末と通信するネットワーク端の任意のノードを総称するものとする。なお、基地局装置は、ＲＲＨ（Remote Radio Head、基地局装置より小型の屋外型の無線部を有する装置、Remote Radio Unit: RRUとも称す）（リモートアンテナ、分散アンテナとも呼称する。）を含むものとする。ＲＲＨは、基地局装置の特殊な形態とも言える。例えば、ＲＲＨは信号処理部のみを有し、他の基地局装置によってＲＲＨで用いられるパラメータの設定、スケジューリングの決定などが行われる基地局装置と言うことができる。
【００２５】
本発明の端末装置は、下記で説明する各種処理に関連した命令を保持するメモリーと、前記メモリーに結合され、前記メモリー中に保持された前記命令を実行するように構成された、プロセッサーを備えた構成でもよい。本発明の基地局装置は、下記で説明する各種処理に関連した命令を保持するメモリーと、前記メモリーに結合され、前記メモリー中に保持された前記命令を実行するように構成された、プロセッサーを備えた構成でもよい。
【００２６】
図１〜図２０を用いて、本実施形態に係る通信システムの全体像、および無線フレームの構成などについて説明する。図１〜図６を用いて、本実施形態に係る通信システムの構成について説明する。図７〜図２０を用いて、本実施形態に係る通信システムの動作処理について説明する。
【００２７】
図７は、本発明の実施形態に係る通信システムの全体像についての概略を説明する図である。この図が示す通信システム１は、複数の基地局装置（基地局装置３Ａ、基地局装置３Ｂ）と、複数の端末装置（端末装置５Ａ、端末装置５Ｂ、端末装置５Ｃ、端末装置５Ｄ、端末装置５Ｅ）とが通信を行なう。基地局装置が任意の１つの周波数帯域を用いて通信する形態のことを「セル（Cell）」と呼称する。通信システム１において、セル７Ａは基地局装置３Ａが形成するセルであり、セル７Ｂは基地局装置３Ｂが形成するセルである。例えば、セル７Ａにおいて、基地局装置３Ａは端末装置５Ａ、端末装置５Ｂ、端末装置５Ｃと通信を行う。例えば、セル７Ｂにおいて、基地局装置３Ｂは端末装置５Ｃ、端末装置５Ｄ、端末装置５Ｅと通信を行う。以下、本実施形態において、基地局装置３Ａ、基地局装置３Ｂを基地局装置３と呼び、端末装置５Ａ、端末装置５Ｂ、端末装置５Ｃ、端末装置５Ｄ、端末装置５Ｅを端末装置５と呼び、適宜説明を行なう。
【００２８】
例えば、図７において、基地局装置３Ａのカバレッジと基地局装置３Ｂのカバレッジとが重複するエリアに位置する端末装置５Ｃに、送信先をダイナミックに切り替える技術（Dynamic Point Switching: DPS）が適用されうる。端末装置５Ｃに対する下りリンクの信号の送信先が基地局装置３Ａ、または基地局装置３Ｂのいずれかにダイナミックに切り替えられうる。ここで、“ダイナミックな切り替え”とは、後述するサブフレーム単位での切り替えを意味し、ハンドオーバによる送信先の切り替えではないことに注意すべきである。なお、必ずしもサブフレーム単位で必ず切り替える必要はなく、必要性が生じたサブフレームでのみ、送信先が切り替えられる。
【００２９】
なお、図７において示す基地局装置３の数、端末装置５の数は一例であり、異なる数の基地局装置３、端末装置５が通信システム１内に存在してもよい。なお、図示は省略するが、通信システム１は、ネットワークの終端に位置し、外部ネットワークと接続されるゲートウェイ（Access Gataway: AG）を含み、それぞれの基地局装置３はゲートウェイと接続される。
【００３０】
一つの基地局装置３には一つ以上のセルが存在する。セルは、１．２５、２．５、５、１０、１５、２０ＭＨｚなどの帯域幅のうち一つに設定され、多くの端末装置５に下りリンク又は上りリンク送信サービスを提供する。別個のセルは、別個の帯域幅を提供するように設定されることができる。基地局装置３は、多数の端末装置５に対するデータ送受信を制御する。基地局装置３は、下りリンクデータに対して下りリンクスケジュール情報を送信し、該当の端末にデータが送信される時間／周波数領域、符号化、データサイズ、ハイブリッド自動再送信要求（ＨＡＲＱ）関連情報などを知らせる。また、基地局装置３は、上りリンクデータに対して上りリンクスケジュール情報を該当の端末装置５に送信し、該当の端末装置５が使用可能な時間／周波数領域、符号化、データサイズ、ハイブリッド自動再送信要求関連情報などを知らせる。基地局装置３間には、ユーザ情報（user traffic）又は制御情報（control traffic）を送信するためのインタフェースを使用することができる。たとえば、そのインタフェースは、光ファイバ、デジタル加入者線等の有線回線や、リレー技術を用いた無線回線により実現される。コア網（Core Network: CN）は、ＡＧ及び端末のユーザ登録などのためのネットワークノードなどで構成することができる。ＡＧは、複数のセルで構成される追跡範囲（Tracking Area: TA）単位で端末装置５の移動性を管理する。
【００３１】
通信システム１では、新しいキャリアタイプを用いたセルにおいて、基地局装置３から端末装置５への通信方向である下りリンク（DL: Downlinkとも呼称する。）は、拡張物理下りリンク制御チャネル（Enhanced Physical Downlink Control CHannel: EPDCCH）、拡張物理ハイブリッド自動再送要求指示チャネル（Enhanced Physical Hybrid ARQ（Automatic Repeat reQuest） Indicator Channel: EPHICH）、および物理下りリンク共用チャネル（PDSCH: Physical Downlink Shared CHannelとも呼称する。）を含んで構成される。さらに、下りリンクは、ＰＤＳＣＨの信号の復調に用いられる参照信号（UE-specific reference signals associated with PDSCH）（説明の便宜上、以降第一の参照信号と呼称する）、ＥＰＤＣＣＨの信号の復調に用いられる参照信号（Demodulation reference signals associated with EPDCCH）（説明の便宜上、以降第二の参照信号と呼称する）を含んで構成される。ＥＰＨＩＣＨは、上りリンクのデータに対する下りリンクの制御情報の送受信に用いられる物理チャネルである。また、ＥＰＨＩＣＨの信号の復調にも第二の参照信号が用いられるが、第二の参照信号とは異なる参照信号が定義されてもよい。
【００３２】
また、通信システム１では、端末装置５から基地局装置３への通信方向である上りリンク（UL: Uplinkとも呼称する）は、物理上りリンク共用チャネル（PUSCH: PhysicalUplink Shared CHannelとも呼称する。）、および物理上りリンク制御チャネル（PUCCH: Physical Uplink Control CHannelとも呼称する。）を含んで構成される。さらに、上りリンクは、ＰＵＳＣＨ、ＰＵＣＣＨの信号の復調に用いられる参照信号（UL RS: Uplink Reference Signal、DM RS: Demodulation Reference Signal）を含んで構成される。ＥＰＨＩＣＨに配置される制御情報は、受信されたＰＵＳＣＨに配置されたデータに対する肯定応答（Acknowledgement: ACK）または否定応答（Negative Acknowledgement: NACK）を示す制御情報（受信確認応答; ACK/NACK）（hybrid-ARQ ACK/NAK）（HARQ indicator）（HARQ acknowledgement）（HARQ ACK）である。
【００３３】
チャネルとは、信号の送受信に用いられる媒体を意味する。物理層で用いられるチャネルは物理チャネル、媒体アクセス制御（Medium Access Control: MAC）層で用いられるチャネルは論理チャネル、トランスポートチャネルと呼称する。トランスポートチャネルとしては、ブロードキャスト情報の送受信に用いられるブロードキャストチャネル（Broadcast Channel: BCH）、下りリンクの情報データ等の送受信に用いられる下りリンク共用チャネル（Downlink Shared Channel: DL-SCH）、ページング情報の送受信に用いられるページングチャネル（Paging Channel: PCH）、マルチキャストデータの送受信に用いられるマルチキャストチャネル（Multicast Channel: MCH）、上りリンクの情報データ等の送受信に用いられる上りリンク共用チャネル（Uplink Shared Channel: UL-SCH）、ランダムアクセスに用いられるランダムアクセスチャネル（Random Access Channel: RACH）等がある。論理チャネルとしては、ブロードキャスト情報の送受信に用いられるブロードキャスト制御チャネル（Broadcast Control Channel: BCCH）、ページング情報の送受信に用いられるページング制御チャネル（Paging Control Channel: PCCH）、共通制御情報の送受信に用いられる共通制御チャネル（Common Control Channel: CCCH）、個別制御情報の送受信に用いられる個別制御チャネル（Dedicated Control Channel: DCCH）、マルチキャスト制御情報の送受信に用いられるマルチキャスト制御チャネル（Multicast Control Channel: MCCH）、個別データの送受信に用いられる個別トラフィックチャネル（Dedicated Traffic Channel: DTCH）、マルチキャストデータの送受信に用いられるマルチキャストトラフィックチャネル（Multicast Traffic Channel: MTCH）等がある。
【００３４】
ＰＤＳＣＨは、下りリンクのデータおよび制御情報（ＥＰＤＣＣＨで送信される制御情報とは異なる）の送受信に用いられる物理チャネルである。ＥＰＤＣＣＨは、下りリンクの制御情報（ＰＤＳＣＨで送信される制御情報とは異なる）の送受信に用いられる物理チャネルである。ＥＰＨＩＣＨは、ＰＵＳＣＨに配置されたデータに対するＡＣＫ／ＮＡＣＫの送受信に用いられる物理チャネルである。ＰＵＳＣＨは、上りリンクのデータおよび制御情報（下りリンクで送信される制御情報とは異なる）の送受信に用いられる物理チャネルである。ＰＵＣＣＨは、上りリンクの制御情報（上りリンク制御情報; Uplink Control Information: UCI）の送受信に用いられる物理チャネルである。ＵＣＩの種類としては、ＰＤＳＣＨの下りリンクのデータに対する肯定応答（Acknowledgement: ACK）、または否定応答（Negative Acknowledgement: NACK）を示す受信確認応答（ACK/NACK）と、リソースの割り当てを要求するか否かを示すスケジューリング要求（Scheduling request: SR）等が用いられる。その他の物理チャネルの種類としては、上りリンクの同期確立のために用いられる物理ランダムアクセスチャネル（Physical Random Access CHannel: PRACH）、下りリンクのシステム情報（MIB: Master Information Blockとも呼称する。）の送信に用いられる物理報知チャネル（Physical Broadcast CHannel: PBCH）、下りリンクの制御情報の送受信に用いられる物理下りリンク制御チャネル（Physical Downlink Control CHannel: PDCCH）、上りリンクのデータに対する下りリンクの制御情報の送受信に用いられる物理ハイブリッド自動再送要求指示チャネル（Physical Hybrid ARQ（Automatic Repeat reQuest） Indicator Channel: PHICH）、マルチキャストデータの送受信に用いられる物理マルチキャストチャネル（Physical Multicast CHannel: PMCH）等が用いられる。なお、新しいキャリアタイプを用いたセルにおいては、ＰＤＣＣＨ、ＰＨＩＣＨは用いられない。その他の物理信号としては、下りリンクの同期確立のために用いられる同期信号（Synchronization signal）、チャネル状態の推定のために用いられる参照信号（Channel State Information RS: CSI-RS）、ＰＤＣＣＨの復調等に用いられる参照信号（Cell specific RS: CRS）等が用いられる。なお、新しいキャリアタイプを用いたセルにおいては、ＣＲＳは用いられないか、または信号を配置する密度が削減されたＣＲＳが用いられる。たとえば、サブフレーム毎にＣＲＳは配置されず、複数サブフレーム間隔でＣＲＳが配置される。
【００３５】
端末装置５、基地局装置３は、制御情報、データなどから生成した信号を各物理チャネルに配置して、送信する。端末装置５、基地局装置３は、制御情報、データなどから生成した信号が配置されて送信された各物理チャネルを受信する。ＰＤＳＣＨ、またはＰＵＳＣＨで送信されるデータは、トランスポートブロックと呼称する。
【００３６】
＜下りリンクの時間フレームの構成＞
図８は、本発明の実施形態に係る基地局装置３から端末装置５への下りリンクの時間フレームの概略構成を示す図である。ここでは、新しいキャリアタイプのセルの下りリンクの時間フレームについて説明する。この図において、横軸は時間領域、縦軸は周波数領域を表している。下りリンクの時間フレームは、リソースの割り当てなどの単位であり、下りリンクの予め決められた幅の周波数帯および時間帯からなるリソースブロック（RB）（物理リソースブロック; PRB: Physical Resource Blockとも呼称する。）のペア（物理リソースブロックペア; PRB pairと呼称する。）から構成される。１個の下りリンクのＰＲＢ  ｐａｉｒ（下りリンク物理リソースブロックペア; DL PRB pairと呼称する。）は下りリンクの時間領域で連続する２個のＰＲＢ（下りリンク物理リソースブロック; DL PRBと呼称する。）から構成される。
【００３７】
また、この図において、１個のＤＬ  ＰＲＢは、下りリンクの周波数領域において１２個のサブキャリア（下りリンクサブキャリアと呼称する。）から構成され、時間領域において７個のＯＦＤＭ（直交周波数分割多重; Orthogonal Frequency Division Multiplexing）シンボルから構成される。下りリンクのシステム帯域（下りリンクシステム帯域と呼称する。）は、基地局装置３の下りリンクの通信帯域である。例えば、下りリンクのシステム帯域幅（下りリンクシステム帯域幅と呼称する。）は、２０ＭＨｚの周波数帯域幅から構成される。
【００３８】
なお、下りリンクシステム帯域では下りリンクシステム帯域幅に応じて複数のＤＬ  ＰＲＢ（ＤＬ  ＰＲＢ  ｐａｉｒ）が配置される。例えば、２０ＭＨｚの周波数帯域幅の下りリンクシステム帯域は、１１０個のＤＬ  ＰＲＢ（ＤＬ  ＰＲＢ  ｐａｉｒ）から構成される。
【００３９】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）がある。なお、１個の下りリンクサブキャリアと１個のＯＦＤＭシンボルから構成されるユニットをリソースエレメント（Resource Element: RE）（下りリンクリソースエレメント）と呼称する。各下りリンクサブフレームには、ＰＤＳＣＨ、ＥＰＤＣＣＨ、ＥＰＨＩＣＨが配置される。ＥＰＤＣＣＨとＥＰＨＩＣＨは、同一のＤＬ  ＰＲＢ  ｐａｉｒ内に配置されうる。ＰＤＳＣＨとＥＰＤＣＣＨは異なるＤＬ  ＰＲＢ  ｐａｉｒに配置される。ＰＤＳＣＨとＥＰＨＩＣＨは異なるＤＬ  ＰＲＢ  ｐａｉｒに配置される。ＥＰＤＣＣＨとＥＰＨＩＣＨは、異なるＤＬ  ＰＲＢ  ｐａｉｒ、または同じＤＬ  ＰＲＢ  ｐａｉｒに配置される。
【００４０】
なお、図８において、ＥＰＤＣＣＨと図示されたリソースに１つ以上のＥＰＤＣＣＨが配置されうる。なお、図８において、ＥＰＨＩＣＨと図示されたリソースに１つ以上のＥＰＨＩＣＨが配置されうる。なお、図８において、ＰＤＳＣＨと図示されたリソースに１つ以上のＰＤＳＣＨが配置されうる。
【００４１】
この図において図示は省略するが、第一の参照信号、第二の参照信号が下りリンクに配置される。第一の参照信号は、ＰＤＳＣＨが配置されるＤＬ  ＰＲＢ  ｐａｉｒ内の複数のＲＥに配置される。第二の参照信号は、ＥＰＤＣＣＨが配置されるＤＬ  ＰＲＢ  ｐａｉｒ内の複数のＲＥに配置される。第二の参照信号は、ＥＰＨＩＣＨが配置されるＤＬ  ＰＲＢ  ｐａｉｒ内の複数のＲＥに配置される。詳細は後述する。
【００４２】
ＥＰＤＣＣＨは、ＰＤＳＣＨに対するＤＬ  ＰＲＢ  ｐａｉｒの割り当てを示す情報、ＰＵＳＣＨに対するＵＬ  ＰＲＢ  ｐａｉｒの割り当てを示す情報、識別子（Radio Network Temporary Identifier: RNTIと呼称する。）、変調方式、符号化率、再送パラメータ、空間多重数、プリコーディング行列、送信電力制御コマンド（TPC command）、参照信号のサイクリックシフト値を示す情報などの制御情報から生成された信号が配置される。ＥＰＤＣＣＨに含まれる制御情報を下りリンク制御情報（Downlink Control Information: DCI）と呼称する。ＰＤＳＣＨに対するＤＬ  ＰＲＢ  ｐａｉｒの割り当てを示す情報（ＰＤＳＣＨのリソース割り当て情報）を含むＤＣＩは下りリンクアサインメント（Downlink assignment: DL assignment、またDownlink grantとも呼称する。）と呼称し、ＰＵＳＣＨに対するＵＬ  ＰＲＢ  ｐａｉｒの割り当てを示す情報（ＰＵＳＣＨのリソース割り当て情報）を含むＤＣＩは上りリンクグラント（Uplink grant: UL grantと呼称する。）と呼称する。なお、下りリンクアサインメントは、ＰＵＣＣＨに対する送信電力制御コマンドを含む。なお、上りリンクグラントは、ＰＵＳＣＨに対する送信電力制御コマンド、参照信号（ＤＭ  ＲＳ）のサイクリックシフト値を示す情報を含む。なお、１個のＥＰＤＣＣＨは、１個のＰＤＳＣＨのリソースの割り当てを示す情報、または１個のＰＵＳＣＨのリソースの割り当てを示す情報しか含まず、複数のＰＤＳＣＨのリソースの割り当てを示す情報、または複数のＰＵＳＣＨのリソースの割り当てを示す情報を含まない。
【００４３】
更に、ＥＰＤＣＣＨで送信される情報として、巡回冗長検査ＣＲＣ（Ｃｙｃｌｉｃ  Ｒｅｄｕｎｄａｎｃｙ  Ｃｈｅｃｋ）符号がある。ＥＰＤＣＣＨで送信される、ＤＣＩ、ＲＮＴＩ、ＣＲＣの関係について詳細に説明する。予め決められた生成多項式を用いてＤＣＩからＣＲＣ符号が生成される。生成されたＣＲＣ符号に対してＲＮＴＩを用いて排他的論理和（スクランブリングとも呼称する）の処理が行われる。ＤＣＩを示すビットと、ＣＲＣ符号に対してＲＮＴＩを用いて排他的論理和の処理が行われて生成されたビット（ＣＲＣ  ｍａｓｋｅｄ  ｂｙ  ＵＥ  ＩＤと呼称する）を変調した信号が、ＥＰＤＣＣＨで実際に送信される。たとえば、ＥＰＤＣＣＨに用いられるＲＮＴＩは、Ｃ−ＲＮＴＩ（Cell Radio Network Temporary Identifier）、ＳＰＳ（Semi-Persistent Scheduling）  Ｃ−ＲＮＴＩである。
【００４４】
ＰＤＳＣＨのリソースは、時間領域において、そのＰＤＳＣＨのリソースの割り当てに用いられた下りリンクアサインメントを含むＥＰＤＣＣＨのリソースが配置された下りリンクサブフレームと同一の下りリンクサブフレームに配置される。
【００４５】
下りリンクの参照信号の配置について説明する。図９は、本発明の実施形態に係る通信システム１の下りリンクサブフレーム内の第一の参照信号の配置の一例を示す図である。図９では、ある１個のＤＬ  ＰＲＢ  ｐａｉｒ内の下りリンクの参照信号の配置について説明するが、ＰＤＳＣＨが配置される、下りリンクシステム帯域内の複数のＤＬ  ＰＲＢ  ｐａｉｒにおいて共通した配置方法が用いられる。
【００４６】
網掛けした下りリンクリソースエレメントである、Ｄ１とＤ２は第一の参照信号が配置される下りリンクリソースエレメントを示す。図９は、１つのＤＬ  ＰＲＢ  ｐａｉｒ内に４本のアンテナポート（アンテナポート７とアンテナポート８とアンテナポート９とアンテナポート１０）に対する第一の参照信号が配置されうる場合の一例を示している。ここで、アンテナポートとは、信号処理で用いる論理的なアンテナを意味し、１個のアンテナポートは複数の物理的なアンテナから構成されてもよい。第一の参照信号の送信に用いられるアンテナポートについては、同一のアンテナポートを構成する複数の物理的なアンテナは、異なる信号処理（例えば、異なる位相回転処理）が行われた信号を送信してもよい。第一の参照信号の送信に用いられるアンテナポートについては、同一のアンテナポート内で、複数の物理的なアンテナを用いて、ビームフォーミングを実現することができる。
【００４７】
４本のアンテナポートに対する第一の参照信号が下りリンクで用いられる場合、２本のアンテナポート毎に異なる下りリンクリソースエレメントに第一の参照信号が多重されて、配置される。言い換えると、この場合、第一の参照信号の多重にＣＤＭとＦＤＭ（Frequency Division Multiplexing）が適用される。図９において、Ｄ１にアンテナポート７とアンテナポート８の第一の参照信号がＣＤＭで多重され、Ｄ２にアンテナポート９とアンテナポート１０の第一の参照信号がＣＤＭで多重される。ＣＤＭで多重される場合、各アンテナポートに対する第一の参照信号に異なる符号が用いられる。例えば、その符号には、Ｗａｌｓｈ符号が用いられる。
【００４８】
ＤＬ  ＰＲＢ  ｐａｉｒ内に４本ではなく、異なる本数のアンテナポートに対応する第一の参照信号が配置されてもよい。たとえば、ＤＬ  ＰＲＢ  ｐａｉｒ内に構成される第一の参照信号のアンテナポートの数が１本（アンテナポート７）の場合、図９において、Ｄ１に示す下りリンクリソースエレメントにのみ第一の参照信号が配置され、Ｄ２に示す下りリンクリソースエレメントには第一の参照信号は配置される、ＰＤＳＣＨに対する信号が配置される。たとえば、ＤＬ  ＰＲＢ  ｐａｉｒ内に構成される第一の参照信号のアンテナポートの数が２本（アンテナポート７とアンテナポート８）の場合、図９において、Ｄ１に示す下りリンクリソースエレメントにのみ第一の参照信号が配置され、Ｄ２に示す下りリンクリソースエレメントには第一の参照信号は配置される、ＰＤＳＣＨに対する信号が配置される。たとえば、ＤＬ  ＰＲＢ  ｐａｉｒ内に構成される第一の参照信号のアンテナポートの数が８本（アンテナポート７とアンテナポート８とアンテナポート９とアンテナポート１０とアンテナポート１１とアンテナポート１２とアンテナポート１３とアンテナポート１４）の場合、図９に示す場合と比較して、第一の参照信号が配置される下りリンクリソースエレメントの数が２倍に変えられ、符号の長さが４である符号を用いて、４個の下りリンクリソースエレメントを一単位としてＵＥ‐ｓｐｅｃｉｆｉｃ  ＲＳが多重されて、配置される。
【００４９】
また、第一の参照信号には、擬似ランダム系列が用いられる。例えば、疑似ランダム系列は、長さ３１のゴールド系列により定義される。例えば、擬似ランダム系列の生成において、基地局装置３から通知されるセルＩＤ（物理セルＩＤ; Ｐｈｙｓｉｃａｌ  Ｃｅｌｌ  ＩＤ）およびスクランブルＩＤに基づいて初期化が行われる。例えば、スクランブルＩＤは、０または１を示す値である。例えば、擬似ランダム系列の生成において、端末装置５毎に個別に通知されるパラメータが用いられる。例えば、端末装置５毎に仮想セルＩＤ（Ｖｉｒｔｕａｌ  ｃｅｌｌ  ＩＤ）がパラメータとして基地局装置３から通知される。第一の参照信号は、第一の参照信号を用いることが設定された端末装置５に割り当てられたＰＤＳＣＨのＤＬ  ＰＲＢ  ｐａｉｒ内に配置される。
【００５０】
図１０は、本発明の実施形態に係る通信システム１の下りリンクサブフレーム内の第二の参照信号の配置の一例を示す図である。図１０では、ある１個のＤＬ  ＰＲＢ  ｐａｉｒ内の下りリンクの参照信号の配置について説明するが、ＥＰＤＣＣＨ、ＥＰＨＩＣＨが配置される、下りリンクシステム帯域内の複数のＤＬ  ＰＲＢ  ｐａｉｒにおいて共通した配置方法が用いられる。
【００５１】
網掛けした下りリンクリソースエレメントである、Ｄ１１とＤ１２は第二の参照信号が配置される下りリンクリソースエレメントを示す。図１０は、１つのＤＬ  ＰＲＢ  ｐａｉｒ内に４本のアンテナポート（アンテナポート１０７とアンテナポート１０８とアンテナポート１０９とアンテナポート１１０）に対する第二の参照信号が配置されうる場合の一例を示している。
【００５２】
４本のアンテナポートに対する第二の参照信号が下りリンクで用いられる場合、２本のアンテナポート毎に異なる下りリンクリソースエレメントに第二の参照信号が多重されて、配置される。言い換えると、この場合、第二の参照信号の多重にＣＤＭとＦＤＭ（Frequency Division Multiplexing）が適用される。図１０において、Ｄ１１にアンテナポート１０７とアンテナポート１０８の第二の参照信号がＣＤＭで多重され、Ｄ２にアンテナポート１０９とアンテナポート１１０の第二の参照信号がＣＤＭで多重される。ＣＤＭで多重される場合、各アンテナポートに対する第二の参照信号に異なる符号が用いられる。例えば、その符号には、Ｗａｌｓｈ符号が用いられる。
【００５３】
また、第二の参照信号には、擬似ランダム系列が用いられる。例えば、疑似ランダム系列は、長さ３１のゴールド系列により定義される。例えば、擬似ランダム系列の生成において、基地局装置３から端末装置５毎に通知されるＩＤと、スクランブルＩＤとに基づいて初期化が行われる。例えば、スクランブルＩＤは、２の固定値が用いられる。例えば、擬似ランダム系列の生成において、端末装置５毎に個別に通知されるパラメータが用いられる。第二の参照信号は、第二の参照信号を用いることが設定された端末装置５に割り当てられるＥＰＤＣＣＨ，ＥＰＨＩＣＨのＤＬ  ＰＲＢ  ｐａｉｒ内に配置される。
【００５４】
＜上りリンクの時間フレームの構成＞
図１１は、本発明の実施形態に係る端末装置５から基地局装置３への上りリンクの時間フレームの概略構成を示す図である。この図において、横軸は時間領域、縦軸は周波数領域を表している。上りリンクの時間フレームは、リソースの割り当てなどの単位であり、上りリンクの予め決められた幅の周波数帯および時間帯からなる物理リソースブロックのペア（上りリンク物理リソースブロックペア; UL PRB pairと呼称する。）から構成される。１個のＵＬ  ＰＲＢ  ｐａｉｒは、上りリンクの時間領域で連続する２個の上りリンクのＰＲＢ（上りリンク物理リソースブロック; UL PRBと呼称する。）から構成される。
【００５５】
また、この図において、１個のＵＬ  ＰＲＢは、上りリンクの周波数領域において１２個のサブキャリア（上りリンクサブキャリアと呼称する。）から構成され、時間領域において７個のＳＣ−ＦＤＭＡ（Single-Carrier Frequency Division Multiple Access）シンボルから構成される。上りリンクのシステム帯域（上りリンクシステム帯域と呼称する。）は、基地局装置３の上りリンクの通信帯域である。上りリンクのシステム帯域幅（上りリンクシステム帯域幅と呼称する。）は、例えば、２０ＭＨｚの周波数帯域幅から構成される。
【００５６】
なお、上りリンクシステム帯域では上りリンクシステム帯域幅に応じて複数のＵＬ  ＰＲＢ  ｐａｉｒが配置される。例えば、２０ＭＨｚの周波数帯域幅の上りリンクシステム帯域は、１１０個のＵＬ  ＰＲＢ  ｐａｉｒから構成される。また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）がある。なお、１個の上りリンクサブキャリアと１個のＳＣ−ＦＤＭＡシンボルから構成されるユニットをリソースエレメント（上りリンクリソースエレメントと呼称する。）と呼称する。
【００５７】
各上りリンクサブフレームには、少なくとも情報データの送受信に用いられるＰＵＳＣＨ、上りリンク制御情報（UCI: Uplink Control Information）の送受信に用いられるＰＵＣＣＨ、ＰＵＳＣＨとＰＵＣＣＨの復調（伝搬路変動の推定）のためのＤＭ  ＲＳが配置される。また、図示は省略するが、何れかの上りリンクサブフレームには、上りリンクの同期確立のために用いられるＰＲＡＣＨが配置される。また、図示は省略するが、何れかの上りリンクサブフレームには、チャネル品質、同期ずれの測定等に用いられるＳＲＳが配置される。ＰＵＣＣＨは、ＰＤＳＣＨを用いて受信されたデータに対する肯定応答（ACK: Acknowledgement）または否定応答（NACK: Negative Acknowledgement）を示すＵＣＩ（ACK/NACK）、上りリンクのリソースの割り当てを要求するか否かを少なくとも示すＵＣＩ（SR: Scheduling Request; スケジューリング要求）、下りリンクの受信品質（チャネル品質とも呼称する。）を示すＵＣＩ（CQI: Channel Quality Indicator; チャネル品質指標）を送信するために用いられる。
【００５８】
なお、端末装置５が上りリンクのリソースの割り当てを要求することを基地局装置３に示す場合に、端末装置５はＳＲの送信用のＰＵＣＣＨで信号を送信する。基地局装置３は、ＳＲの送信用のＰＵＣＣＨのリソースで信号を検出したという結果から端末装置５が上りリンクのリソースの割り当てを要求していることを認識する。端末装置５が上りリンクのリソースの割り当てを要求しないことを基地局装置３に示す場合に、端末装置５は予め割り当てられたＳＲの送信用のＰＵＣＣＨのリソースで何も信号を送信しない。基地局装置３は、ＳＲの送信用のＰＵＣＣＨのリソースで信号を検出しなかったという結果から端末装置５が上りリンクのリソースの割り当てを要求していないことを認識する。
【００５９】
また、ＰＵＣＣＨは、ＡＣＫ／ＮＡＣＫからなるＵＣＩが送信される場合と、ＳＲからなるＵＣＩが送信される場合と、ＣＱＩからなるＵＣＩが送信される場合とで異なる種類の信号構成が用いられる。ＡＣＫ／ＮＡＣＫの送信に用いられるＰＵＣＣＨをＰＵＣＣＨ  ｆｏｒｍａｔ  １ａ、またはＰＵＣＣＨ  ｆｏｒｍａｔ  １ｂと呼称する。ＰＵＣＣＨ  ｆｏｒｍａｔ  １ａでは、ＡＣＫ／ＮＡＣＫに関する情報を変調する変調方式としてＢＰＳＫ（二位相偏移変調; Binary Phase Shift Keying）が用いられる。ＰＵＣＣＨ  ｆｏｒｍａｔ  １ａでは、1ビットの情報が変調信号から示される。ＰＵＣＣＨ  ｆｏｒｍａｔ  １ｂでは、ＡＣＫ／ＮＡＣＫに関する情報を変調する変調方式としてＱＰＳＫ（四位相偏移変調; Quadrature Phase Shift Keying）が用いられる。ＰＵＣＣＨ  ｆｏｒｍａｔ  １ｂでは、２ビットの情報が変調信号から示される。ＳＲの送信に用いられるＰＵＣＣＨをＰＵＣＣＨ  ｆｏｒｍａｔ  １と呼称する。ＣＱＩの送信に用いられるＰＵＣＣＨをＰＵＣＣＨ  ｆｏｒｍａｔ  ２と呼称する。ＣＱＩとＡＣＫ／ＮＡＣＫの同時送信に用いられるＰＵＣＣＨをＰＵＣＣＨ  ｆｏｒｍａｔ  ２ａ、またはＰＵＣＣＨ  ｆｏｒｍａｔ  ２ｂと呼称する。ＰＵＣＣＨ  ｆｏｒｍａｔ  ２ａ、ＰＵＣＣＨ  ｆｏｒｍａｔ  ２ｂでは、ＤＭ  ＲＳにＡＣＫ／ＮＡＣＫの情報から生成された変調信号が乗算される。ＰＵＣＣＨ  ｆｏｒｍａｔ  ２ａでは、ＡＣＫ／ＮＡＣＫに関する１ビットの情報とＣＱＩの情報が送信される。ＰＵＣＣＨ  ｆｏｒｍａｔ  ２ｂでは、ＡＣＫ／ＮＡＣＫに関する２ビットの情報とＣＱＩの情報が送信される。
【００６０】
なお、１個のＰＵＳＣＨは１個以上のＵＬ  ＰＲＢ  ｐａｉｒから構成され、１個のＰＵＣＣＨは上りリンクシステム帯域内において周波数領域に対称関係にあり、異なる上りリンクスロットに位置する２個のＵＬ  ＰＲＢから構成され、１個のＰＲＡＣＨは６個のＵＬ  ＰＲＢ  ｐａｉｒから構成される。例えば、図１１において、上りリンクサブフレーム内において、１番目の上りリンクスロットの最も周波数が低いＵＬ  ＰＲＢと、２番目の上りリンクスロットの最も周波数が高いＵＬ  ＰＲＢと、により、ＰＵＣＣＨに用いられるＵＬ  ＰＲＢ  ｐａｉｒの１個が構成される。なお、端末装置５は、ＰＵＳＣＨとＰＵＣＣＨの同時送信を行なわないように設定されている場合、同一上りリンクサブフレームでＰＵＣＣＨのリソースとＰＵＳＣＨのリソースが割り当てられた場合は、ＰＵＳＣＨのリソースのみを用いて信号を送信する。なお、端末装置５は、ＰＵＳＣＨとＰＵＣＣＨの同時送信を行なうように設定されている場合、同一上りリンクサブフレームでＰＵＣＣＨのリソースとＰＵＳＣＨのリソースが割り当てられた場合は、基本的にＰＵＣＣＨのリソースとＰＵＳＣＨのリソースの両方を用いて信号を送信することができる。
【００６１】
ＤＭ  ＲＳは、ＰＵＳＣＨおよびＰＵＣＣＨの伝搬路変動の推定に用いられる上りリンクの参照信号である。ＳＲＳは、基地局装置３のＰＵＳＣＨの周波数スケジューリングおよび適応変調のためのチャネル品質の測定、基地局装置３と端末装置５間の同期ずれの測定に用いられる上りリンクの参照信号である。なお、説明の簡略化のため、図１１において、ＳＲＳは図示されていない。ＤＭ  ＲＳ、ＳＲＳは、ベースシーケンスをサイクリックシフトした系列により定義される。例えば、異なる端末装置５に対して、異なるサイクリックシフト値を用いてベースシーケンスをサイクリックシフトした系列がＤＭ  ＲＳに用いられる。ＤＭ  ＲＳは、ＰＵＳＣＨと同じＵＬ  ＰＲＢ内に配置される場合と、ＰＵＣＣＨと同じＵＬ  ＰＲＢ内に配置される場合とで、異なるＳＣ−ＦＤＭＡシンボルに配置される。ＤＭ  ＲＳは、ＰＵＳＣＨおよびＰＵＣＣＨの伝搬路変動の推定に用いられる、通信システム１において既知の信号である。
【００６２】
ＤＭ  ＲＳは、ＰＵＳＣＨと同じＵＬ  ＰＲＢ内に配置される場合、上りリンクスロット内の４番目のＳＣ−ＦＤＭＡシンボルに配置される。ＤＭ  ＲＳは、ＡＣＫ／ＮＡＣＫを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＳＲを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＣＱＩを含むＰＵＣＣＨと同じＵＬ  ＰＲＢ内に配置される場合、上りリンクスロット内の２番目と６番目のＳＣ−ＦＤＭＡシンボルに配置される。
【００６３】
ＳＲＳは、基地局装置３が決定したＵＬ  ＰＲＢ内に配置され、上りリンクサブフレーム内の１４番目のＳＣ−ＦＤＭＡシンボル（上りリンクサブフレームの２番目の上りリンクスロットの７番目のＳＣ−ＦＤＭＡシンボル）に配置され得る。ＳＲＳは、セル内において基地局装置３が決定した周期の上りリンクサブフレーム（調査参照信号サブフレーム; SRS subframeと呼称する。）のみに配置され得る。ＳＲＳ  ｓｕｂｆｒａｍｅに対して、基地局装置３は端末装置５毎にＳＲＳを送信する周期、ＳＲＳに割り当てるＵＬ  ＰＲＢを割り当てる。
【００６４】
図１１では、ＰＵＣＣＨが上りリンクシステム帯域の周波数領域で最も端のＵＬ  ＰＲＢに配置された場合を示しているが、上りリンクシステム帯域の端から２番目、３番目などのＵＬ  ＰＲＢがＰＵＣＣＨに用いられてもよい。
【００６５】
なお、ＰＵＣＣＨにおいて周波数領域での符号多重、時間領域での符号多重が用いられる。周波数領域での符号多重は、サブキャリア単位で符号系列の各符号が上りリンク制御情報から変調された変調信号に乗算されることにより処理される。時間領域での符号多重は、ＳＣ−ＦＤＭＡシンボル単位で符号系列の各符号が上りリンク制御情報から変調された変調信号に乗算されることにより処理される。複数のＰＵＣＣＨが同一のＵＬ  ＰＲＢに配置され、各ＰＵＣＣＨは異なる符号が割り当てられ、割り当てられた符号により周波数領域、または時間領域において符号多重が実現される。ＡＣＫ／ＮＡＣＫを送信するために用いられるＰＵＣＣＨ（ＰＵＣＣＨ  ｆｏｒｍａｔ  １ａ、またはＰＵＣＣＨ  ｆｏｒｍａｔ  １ｂと呼称する。）においては、周波数領域及び時間領域での符号多重が用いられる。ＳＲを送信するために用いられるＰＵＣＣＨ（ＰＵＣＣＨ  ｆｏｒｍａｔ  １と呼称する。）においては、周波数領域及び時間領域での符号多重が用いられる。ＣＱＩを送信するために用いられるＰＵＣＣＨ（ＰＵＣＣＨ  ｆｏｒｍａｔ  ２、またはＰＵＣＣＨ  ｆｏｒｍａｔ  ２ａ、またはＰＵＣＣＨ  ｆｏｒｍａｔ  ２ｂと呼称する。）においては、周波数領域での符号多重が用いられる。
【００６６】
ＰＵＳＣＨのリソースは、時間領域において、そのＰＵＳＣＨのリソースの割り当てに用いられた上りリンクグラントを含むＥＰＤＣＣＨのリソースが配置された下りリンクサブフレームから所定の数（例えば、４）後の上りリンクサブフレームに配置される。ＰＤＳＣＨのリソースは、時間領域において、そのＰＤＳＣＨのリソースの割り当てに用いられた下りリンクアサインメントを含むＥＰＤＣＣＨのリソースが配置された下りリンクサブフレームと同一の下りリンクサブフレームに配置される。ＦＤＤ（Frequency Division Duplex）の場合、ＰＵＳＣＨで送信されるトランスポートブロックに対するＡＣＫ／ＮＡＣＫは、そのＰＵＳＣＨのリソースが配置された上りリンクサブフレームから所定の数（例えば、４）後の下りリンクサブフレームのＥＰＨＩＣＨを用いて送受信される。
【００６７】
端末装置５には、ＥＰＤＣＣＨが配置される可能性のある領域（ＥＰＤＣＣＨ  ｓｅｔ、ＥＰＤＣＣＨ  ＰＲＢ  ｓｅｔ）が構成（設定）される。１つのＥＰＤＣＣＨを構成するリソースのマッピングの単位は、予め設定された個数のＤＬ  ＰＲＢ  ｐａｉｒのセットであり、１つのＥＰＤＣＣＨ  ｓｅｔである。１つ以上のＥＰＤＣＣＨ  ｓｅｔが端末装置５に対して構成されうる。例えば、１つのＥＰＤＣＣＨ  ｓｅｔは、２個のＤＬ  ＰＲＢ  ｐａｉｒから構成される。例えば、１つのＥＰＤＣＣＨ  ｓｅｔは、４個のＤＬ  ＰＲＢ  ｐａｉｒから構成される。例えば、１つのＥＰＤＣＣＨ  ｓｅｔは、８個のＤＬ  ＰＲＢ  ｐａｉｒから構成される。１つのＥＰＤＣＣＨ  ｓｅｔが何個のＤＬ  ＰＲＢ  ｐａｉｒから構成されるかを示す情報が基地局装置３から端末装置５に通知される。例えば、２個のＥＰＤＣＣＨ  ｓｅｔが端末装置５に対して構成されうる。また、端末装置５に対して複数のＥＰＤＣＣＨ  ｓｅｔが構成される場合、それぞれのＥＰＤＣＣＨ  ｓｅｔが同じ個数のＤＬ  ＰＲＢ  ｐａｉｒから構成されてもよいし、それぞれのＥＰＤＣＣＨ  ｓｅｔが異なる個数のＤＬ  ＰＲＢ  ｐａｉｒから構成されてもよい。異なる端末装置５のそれぞれに対して、異なるＤＬ  ＰＲＢ  ｐａｉｒから構成されるＥＰＤＣＣＨ  ｓｅｔが構成されてもよいし、同じＤＬ  ＰＲＢ  ｐａｉｒから構成されるＥＰＤＣＣＨ  ｓｅｔが構成されてもよいし、一部が異なり、一部が同じＤＬ  ＰＲＢ  ｐａｉｒから構成されるＥＰＤＣＣＨ  ｓｅｔが構成されてもよい。また、異なる端末装置５のそれぞれに対して、異なる個数のＤＬ  ＰＲＢ  ｐａｉｒから構成されるＥＰＤＣＣＨ  ｓｅｔが構成されてもよい。端末装置５は、構成された１つ以上のＥＰＤＣＣＨ  ｓｅｔのそれぞれにおいて、ＥＰＤＣＣＨを検出するための復号処理を行なう。
【００６８】
図１２は、本発明の実施形態に係る通信システム１のＥＰＤＣＣＨ  ｓｅｔの概略構成の一例を示す図である。基地局装置３は、下りリンクシステム帯域内に複数のＥＰＤＣＣＨ  ｓｅｔ（ＥＰＤＣＣＨ  ｓｅｔ  １、ＥＰＤＣＣＨ  ｓｅｔ  ２、ＥＰＤＣＣＨ  ｓｅｔ  ３）を構成（設定、配置）することができる。例えば、１個のＥＰＤＣＣＨ  ｓｅｔは、４個のＤＬ  ＰＲＢ  ｐａｉｒから構成される。例えば、１個のＥＰＤＣＣＨ  ｓｅｔを構成する複数のＤＬ  ＰＲＢ  ｐａｉｒは、図１２に示すように周波数領域で分散するＤＬ  ＰＲＢ  ｐａｉｒにより構成されてもよいし、周波数領域で連続するＤＬ  ＰＲＢ  ｐａｉｒにより構成されてもよい。図１２では、ＥＰＤＣＣＨ  ｓｅｔ  １、ＥＰＤＣＣＨ  ｓｅｔ  ２、ＥＰＤＣＣＨ  ｓｅｔ  ３のそれぞれは、異なるＤＬ  ＰＲＢ  ｐａｉｒから構成される。
【００６９】
１つのＥＰＤＣＣＨは、１つ以上のＥＣＣＥから構成される。図１３は、本発明の実施形態に係る通信システム１のＥＰＤＣＣＨとＥＣＣＥの論理的な関係を説明する図である。基地局装置３と端末装置５間で用いられるＥＣＣＥには、ＥＣＣＥを識別するための番号が付与されている。ＥＣＣＥの番号付けは、ＥＰＤＣＣＨ  ｓｅｔ内で予め決められた規則に基づいて行なわれる。ここで、ＥＣＣＥ  ｔは、ＥＣＣＥ番号ｔのＥＣＣＥを示す。ＥＰＤＣＣＨは、１つ以上のＥＣＣＥからなる集合（ECCE Aggregation）により構成される。この集合を構成するＥＣＣＥの数を、以下、「ＥＣＣＥ集合数」（ECCE aggregation number）（ECCE aggregation level）と称す。例えば、ＥＰＤＣＣＨを構成するＥＣＣＥ  ａｇｇｒｅｇａｔｉｏｎ  ｎｕｍｂｅｒは、ＥＰＤＣＣＨに設定される符号化率、ＥＰＤＣＣＨに含められるＤＣＩのビット数に応じて基地局装置３において設定される。また、ｎ個のＥＣＣＥからなる集合を、以下、「ＥＣＣＥ  ａｇｇｒｅｇａｔｉｏｎ  ｎ」という。
【００７０】
例えば、基地局装置３は、１個のＥＣＣＥによりＥＰＤＣＣＨを構成したり（ＥＣＣＥ  ａｇｇｒｅｇａｔｉｏｎ  １）、２個のＥＣＣＥによりＥＰＤＣＣＨを構成したり（ＥＣＣＥ  ａｇｇｒｅｇａｔｉｏｎ  ２）、４個のＥＣＣＥによりＥＰＤＣＣＨを構成したり（ＥＣＣＥ  ａｇｇｒｅｇａｔｉｏｎ  ４）、８個のＥＣＣＥによりＥＰＤＣＣＨを構成したり（ＥＣＣＥ  ａｇｇｒｅｇａｔｉｏｎ  ８）、１６個のＥＣＣＥによりＥＰＤＣＣＨを構成したり（ＥＣＣＥ  ａｇｇｒｅｇａｔｉｏｎ  １６）、３２個のＥＣＣＥによりＥＰＤＣＣＨを構成したりする（ＥＣＣＥ  ａｇｇｒｅｇａｔｉｏｎ  ３２）。例えば、基地局装置３はチャネル品質の良い端末装置３に対してはＥＰＤＣＣＨを構成するＥＣＣＥの数が少ないＥＣＣＥ  ａｇｇｒｅｇａｔｉｏｎ  ｎｕｍｂｅｒを用い、チャネル品質の悪い端末装置３に対してはＥＰＤＣＣＨを構成するＥＣＣＥの数が多いＥＣＣＥ  ａｇｇｒｅｇａｔｉｏｎ  ｎｕｍｂｅｒを用いる。また、例えば、基地局装置３はビット数の少ないＤＣＩを送信する場合、ＥＰＤＣＣＨを構成するＥＣＣＥの数が少ないＥＣＣＥ  ａｇｇｒｅｇａｔｉｏｎ  ｎｕｍｂｅｒを用い、ビット数の多いＤＣＩを送信する場合、ＥＰＤＣＣＨを構成するＥＣＣＥの数が多いＥＣＣＥ  ａｇｇｒｅｇａｔｉｏｎ  ｎｕｍｂｅｒを用いる。
【００７１】
図１３において、斜線で示されるものは、ＥＰＤＣＣＨ候補を意味する。ＥＰＤＣＣＨ候補（ＥＰＤＣＣＨ  ｃａｎｄｉｄａｔｅ）とは、端末装置５がＥＰＤＣＣＨの復号検出を行う対象であり、ＥＣＣＥ  ａｇｇｒｅｇａｔｉｏｎ  ｎｕｍｂｅｒ毎に独立にＥＰＤＣＣＨ候補が構成される。ＥＣＣＥ  ａｇｇｒｅｇａｔｉｏｎ  ｎｕｍｂｅｒ毎に構成されるＥＰＤＣＣＨ候補は、それぞれ異なる１つ以上のＥＣＣＥから構成される。ＥＣＣＥ  ａｇｇｒｅｇａｔｉｏｎ  ｎｕｍｂｅｒ毎に、独立にＥＰＤＣＣＨ候補の数が設定される。ＥＣＣＥ  ａｇｇｒｅｇａｔｉｏｎ  ｎｕｍｂｅｒ毎に構成されるＥＰＤＣＣＨ候補は、番号の連続するＥＣＣＥから構成される。端末装置５は、ＥＣＣＥ  ａｇｇｒｅｇａｔｉｏｎ  ｎｕｍｂｅｒ毎に設定された数のＥＰＤＣＣＨ候補に対してＥＰＤＣＣＨの復号検出を行う。なお、端末装置５は、自装置宛てのＥＰＤＣＣＨを検出したと判断した場合、設定されたＥＰＤＣＣＨ候補の一部に対してＥＰＤＣＣＨの復号検出を行わなくてもよい（停止してもよい）。
【００７２】
１つのＥＰＤＣＣＨ  ｓｅｔで構成されるＥＣＣＥの数は、ＥＰＤＣＣＨ  ｓｅｔを構成するＤＬ  ＰＲＢ  ｐａｉｒの数に依存する。例えば、１つのＥＣＣＥが対応するリソースの量（リソースエレメントの数）は、１つのＤＬ  ＰＲＢ  ｐａｉｒのリソースを４つに分割したリソースから、ＥＰＤＣＣＨの信号に用いることができないリソース（第二の参照信号）を除いたリソースの量とほぼ等しい。例えば、４つのＤＬ  ＰＲＢ  ｐａｉｒから構成されるＥＰＤＣＣＨ  ｓｅｔでは、１６個のＥＣＣＥが構成される。例えば、２つのＤＬ  ＰＲＢ  ｐａｉｒから構成されるＥＰＤＣＣＨ  ｓｅｔでは、８個のＥＣＣＥが構成される。例えば、８つのＤＬ  ＰＲＢ  ｐａｉｒから構成されるＥＰＤＣＣＨ  ｓｅｔでは、３２個のＥＣＣＥが構成される。
【００７３】
ＥＰＤＣＣＨを構成するリソースのマッピング方法として、２種類の方法が用いられる。Ｌｏｃａｌｉｚｅｄ  ｍａｐｐｉｎｇとＤｉｓｔｒｉｂｕｔｅｄ  ｍａｐｐｉｎｇと呼称する。Ｌｏｃａｌｉｚｅｄ  ｍａｐｐｉｎｇにより構成されるリソースを用いたＥＰＤＣＣＨの送信のことを、Ｌｏｃａｌｉｚｅｄ  ｔｒａｎｓｍｉｓｓｉｏｎと呼称する。Ｄｉｓｔｒｉｂｕｔｅｄ  ｍａｐｐｉｎｇにより構成されるリソースを用いたＥＰＤＣＣＨの送信のことを、Ｄｉｓｔｒｉｂｕｔｅｄ  ｔｒａｎｓｍｉｓｓｉｏｎと呼称する。
【００７４】
Ｌｏｃａｌｉｚｅｄ  ｍａｐｐｉｎｇは、１つのＥＣＣＥが１つのＤＬ  ＰＲＢ  ｐａｉｒ内のリソースにマッピングされる方法である。Ｄｉｓｔｒｉｂｕｔｅｄ  ｍａｐｐｉｎｇは、１つのＥＣＣＥが複数のＤＬ  ＰＲＢ  ｐａｉｒのリソースにマッピングされる方法である。より詳細には、後述するＥＲＥＧ（Enhanced Resource Element Group）に関して、Ｌｏｃａｌｉｚｅｄ  ｍａｐｐｉｎｎｇでは１つのＥＣＣＥが１つのＤＬ  ＰＲＢ  ｐａｉｒ内の複数のＥＲＥＧから構成され、Ｄｉｓｔｒｉｂｕｔｅｄ  ｍａｐｐｉｎｎｇでは１つのＥＣＣＥが複数のＤＬ  ＰＲＢ  ｐａｉｒ内の複数のＥＲＥＧから構成される。
【００７５】
図１４は、本発明の実施形態のＥＲＥＧの構成の一例を示す図である。ここでは、１つのＤＬ  ＰＲＢ  ｐａｉｒについて示す。図１４において、１つの升目は１つのＲＥと対応する。この図において、縦軸は周波数領域、横軸は時間領域を表わしている。１つのＤＬ  ＰＲＢ  ｐａｉｒでは、１６８個のＲＥが構成される。第二の参照信号に対しては２４個のＲＥが構成される。ＥＲＥＧは、１つのＤＬ  ＰＲＢ  ｐａｉｒ内に構成されるＲＥから第二の参照信号に対して構成されるＲＥを除いたＲＥを用いて構成される。ここでは、ＥＲＥＧは、１つのＤＬ  ＰＲＢ  ｐａｉｒ内で１４４個のＲＥを用いて構成される。図１４では、１つのＤＬ  ＰＲＢ  ｐａｉｒで１６個のＥＲＥＧが構成される場合について示す。ここでは、１つのＥＲＥＧは、１４４個のＲＥを１６等分割した、９個のＲＥから構成される。
【００７６】
１つのＥＲＥＧを構成する９個のＲＥの詳細について説明する。ＤＬ  ＰＲＢ  ｐａｉｒ内において、周波数が最も低いサブキャリアと、時間が最も早いＯＦＤＭシンボルと、から構成されるＲＥから番号付けが始まる。次に、周波数方向のＲＥに対して番号付けが順に行なわれ、そのＯＦＤＭシンボルにおいて周波数が最も高いサブキャリアから構成されるＲＥに対して番号付けが行なわれたら、次のＯＦＤＭシンボルと、周波数が最も低いサブキャリアと、から構成されるＲＥに対して番号付けが続けて行なわれる。上記と同様の処理が、異なるサブキャリアから構成されるＲＥ、異なるＯＦＤＭシンボルから構成される残りのＲＥに対して行われ、時間が最も遅いＯＦＤＭシンボルと、周波数が最も高いサブキャリアとから構成されるＲＥまで番号付けが行われる。ここで、第二の参照信号に対して構成されるＲＥは飛ばされて、ＥＲＥＧを構成するためのＲＥに対する番号付けが行なわれる。なお、番号は‘０’から始まり、‘１’、‘２’、‘３’、‘４’、‘５’、‘６’、‘７’．‘８’、‘９’、‘１０’、‘１１’、‘１２’、‘１３’、‘１４’、‘１５’の順で番号付けが行なわれ、‘１５’まで番号付けが行なわれたら、再度‘０’から番号付けが繰り返される。同一の番号が付された９個のＲＥから１つのＥＲＥＧが構成される。例えば、ＥＲＥＧ０は‘０’の番号が付された９個のＲＥから構成され、ＥＲＥＧ１は‘１’の番号が付された９個のＲＥから構成され、ＥＲＥＧ２は‘２’の番号が付された９個のＲＥから構成され、ＥＲＥＧ３は‘３’の番号が付された９個のＲＥから構成され、ＥＲＥＧ４は‘４’の番号が付された９個のＲＥから構成され、ＥＲＥＧ５は‘５’の番号が付された９個のＲＥから構成され、ＥＲＥＧ６は‘６’の番号が付された９個のＲＥから構成され、ＥＲＥＧ７は‘７’の番号が付された９個のＲＥから構成され、ＥＲＥＧ８は‘８’の番号が付された９個のＲＥから構成され、ＥＲＥＧ９は‘９’の番号が付された９個のＲＥから構成され、ＥＲＥＧ１０は‘１０’の番号が付された９個のＲＥから構成され、ＥＲＥＧ１１は‘１１’の番号が付された９個のＲＥから構成され、ＥＲＥＧ１２は‘１２’の番号が付された９個のＲＥから構成され、ＥＲＥＧ１３は‘１３’の番号が付された９個のＲＥから構成され、ＥＲＥＧ１４は‘１４’の番号が付された９個のＲＥから構成され、ＥＲＥＧ１５は‘１５’の番号が付された９個のＲＥから構成され、ＥＲＥＧ１６は‘１６’の番号が付された９個のＲＥから構成される。
【００７７】
図１４のようにＥＲＥＧは構成されるが、他の信号、例えば、ＣＳＩ−ＲＳが配置されるＲＥでは、ＥＰＤＣＣＨの信号は配置されない。よって、ＣＳＩ−ＲＳが配置されるＲＥを除いたＥＲＥＧのリソースで送受信可能なビット数に応じて、ＥＰＤＣＣＨの信号の送受信処理においてレートマッチング処理、デレートマッチング処理が、基地局装置３と端末装置５で行なわれる。
【００７８】
図１５は、本発明の実施形態のＬｏｃａｌｉｚｅｄ  ｍａｐｐｉｎｇの一例を示す図である。ここでは、１個のＥＰＤＣＣＨ  ｓｅｔが４個のＤＬ  ＰＲＢ  ｐａｉｒ（ＤＬ  ＰＲＢ  ｐａｉｒ  Ｗ、ＤＬ  ＰＲＢ  ｐａｉｒ  Ｘ、ＤＬ  ＰＲＢ  ｐａｉｒ  Ｙ、ＤＬ  ＰＲＢ  ｐａｉｒ  Ｚ）から構成され、１つのＤＬ  ＰＲＢ  ｐａｉｒ内で１６個のＥＲＥＧ（ＥＲＥＧ０、ＥＲＥＧ１、ＥＲＥＧ２、ＥＲＥＧ３、ＥＲＥＧ４、ＥＲＥＧ５、ＥＲＥＧ６、ＥＲＥＧ７、ＥＲＥＧ８、ＥＲＥＧ９、ＥＲＥＧ１０、ＥＲＥＧ１１、ＥＲＥＧ１２、ＥＲＥＧ１３、ＥＲＥＧ１４、ＥＲＥＧ１５）が構成され、１個のＥＰＤＣＣＨ  ｓｅｔにおいて１６個のＥＣＣＥ（ＥＣＣＥ０、ＥＣＣＥ１、ＥＣＣＥ２、ＥＣＣＥ３、ＥＣＣＥ４、ＥＣＣＥ５、ＥＣＣＥ６、ＥＣＣＥ７、ＥＣＣＥ８、ＥＣＣＥ９、ＥＣＣＥ１０、ＥＣＣＥ１１、ＥＣＣＥ１２、ＥＣＣＥ１３、ＥＣＣＥ１４、ＥＣＣＥ１５）が構成される場合について示す。
【００７９】
ＥＲＥＧはＥＣＣＥよりもリソースの量が小さい要素であり、１つのＥＣＣＥは複数のＥＲＥＧにより構成される。例えば、１つのＥＣＣＥは４個のＥＲＥＧから構成される。なお、それぞれのＥＲＥＧを識別する番号をＥＲＥＧ  ｉｎｄｅｘと呼称する。なお、それぞれのＥＣＣＥを識別する番号をＥＣＣＥ  ｉｎｄｅｘと呼称する。
【００８０】
例えば、図１５において、それぞれのＤＬ  ＰＲＢ  ｐａｉｒは、図１２で示すあるＥＰＤＣＣＨ  ｓｅｔを構成するそれぞれのＤＬ  ＰＲＢ  ｐａｉｒと対応する。それぞれのＥＣＣＥは、複数の異なるＥＲＥＧをまとめて構成される。例えば、ＥＣＣＥは、１個のＤＬ  ＰＲＢ  ｐａｉｒの４個のＥＲＥＧをまとめたリソースから構成される。図１５では、１つの塊（番号の連続する４つのＥＣＣＥからなる塊）（ＥＣＣＥ０とＥＣＣＥ１とＥＣＣＥ２とＥＣＣＥ３とから構成される塊、ＥＣＣＥ４とＥＣＣＥ５とＥＣＣＥ６とＥＣＣＥ７とから構成される塊、ＥＣＣＥ８とＥＣＣＥ９とＥＣＣＥ１０とＥＣＣＥ１１とから構成される塊、ＥＣＣＥ１２とＥＣＣＥ１３とＥＣＣＥ１４とＥＣＣＥ１５とから構成される塊）が１つのＤＬ  ＰＲＢ  ｐａｉｒのリソースを意味する。
【００８１】
Ｌｏｃａｌｉｚｅｄ  ｍａｐｐｉｎｇが適用されて構成される１つのＥＣＣＥは、同じＤＬ  ＰＲＢ  ｐａｉｒ内の複数のＥＲＥＧから構成される。図１５において、ＥＣＣＥ０はＤＬ  ＰＲＢ  ｐａｉｒ  ＷのＥＲＥＧ０とＥＲＥＧ１とＥＲＥＧ２とＥＲＥＧ３とから構成され、ＥＣＣＥ１はＤＬ  ＰＲＢ  ｐａｉｒ  ＷのＥＲＥＧ４とＥＲＥＧ５とＥＲＥＧ６とＥＲＥＧ７とから構成され、ＥＣＣＥ２はＤＬ  ＰＲＢ  ｐａｉｒ  ＷのＥＲＥＧ８とＥＲＥＧ９とＥＲＥＧ１０とＥＲＥＧ１１とから構成され、ＥＣＣＥ３はＤＬ  ＰＲＢ  ｐａｉｒ  ＷのＥＲＥＧ１２とＥＲＥＧ１３とＥＲＥＧ１４とＥＲＥＧ１５とから構成され、ＥＣＣＥ４はＤＬ  ＰＲＢ  ｐａｉｒ  ＸのＥＲＥＧ０とＥＲＥＧ１とＥＲＥＧ２とＥＲＥＧ３とから構成され、ＥＣＣＥ５はＤＬ  ＰＲＢ  ｐａｉｒ  ＸのＥＲＥＧ４とＥＲＥＧ５とＥＲＥＧ６とＥＲＥＧ７とから構成され、ＥＣＣＥ６はＤＬ  ＰＲＢ  ｐａｉｒ  ＸのＥＲＥＧ８とＥＲＥＧ９とＥＲＥＧ１０とＥＲＥＧ１１とから構成され、ＥＣＣＥ７はＤＬ  ＰＲＢ  ｐａｉｒ  ＸのＥＲＥＧ１２とＥＲＥＧ１３とＥＲＥＧ１４とＥＲＥＧ１５とから構成され、ＥＣＣＥ８はＤＬ  ＰＲＢ  ｐａｉｒ  ＹのＥＲＥＧ０とＥＲＥＧ１とＥＲＥＧ２とＥＲＥＧ３とから構成され、ＥＣＣＥ９はＤＬ  ＰＲＢ  ｐａｉｒ  ＹのＥＲＥＧ４とＥＲＥＧ５とＥＲＥＧ６とＥＲＥＧ７とから構成され、ＥＣＣＥ１０はＤＬ  ＰＲＢ  ｐａｉｒ  ＹのＥＲＥＧ８とＥＲＥＧ９とＥＲＥＧ１０とＥＲＥＧ１１とから構成され、ＥＣＣＥ１１はＤＬ  ＰＲＢ  ｐａｉｒ  ＹのＥＲＥＧ１２とＥＲＥＧ１３とＥＲＥＧ１４とＥＲＥＧ１５とから構成され、ＥＣＣＥ１２はＤＬ  ＰＲＢ  ｐａｉｒ  ＺのＥＲＥＧ０とＥＲＥＧ１とＥＲＥＧ２とＥＲＥＧ３とから構成され、ＥＣＣＥ１３はＤＬ  ＰＲＢ  ｐａｉｒ  ＺのＥＲＥＧ４とＥＲＥＧ５とＥＲＥＧ６とＥＲＥＧ７とから構成され、ＥＣＣＥ１４はＤＬ  ＰＲＢ  ｐａｉｒ  ＺのＥＲＥＧ８とＥＲＥＧ９とＥＲＥＧ１０とＥＲＥＧ１１とから構成され、ＥＣＣＥ１５はＤＬ  ＰＲＢ  ｐａｉｒ  ＺのＥＲＥＧ１２とＥＲＥＧ１３とＥＲＥＧ１４とＥＲＥＧ１５とから構成される。
【００８２】
なお、図１５では、物理的に、横軸が周波数領域、縦軸が時間領域を意味するのではなく、概念的に１個のＤＬ  ＰＲＢ  ｐａｉｒが１６個のリソースに分割されたリソースから１個のＥＲＥＧが構成され、４個のＥＲＥＧから１個のＥＣＣＥが構成されることを示す。なお、図１５において、ＤＬ  ＰＲＢ  ｐａｉｒ内の全てのリソースがＥＣＣＥとして構成されることを意味してはおらず、例えば、第二の参照信号が配置されるリソースはＥＲＥＧを構成するリソースから予め除外される。
【００８３】
図１６は、本発明の実施形態のＬｏｃａｌｉｚｅｄ  ｍａｐｐｉｎｇの一例を示す図である。ここでは、１個のＥＰＤＣＣＨ  ｓｅｔが８個のＤＬ  ＰＲＢ  ｐａｉｒ（ＤＬ  ＰＲＢ  ｐａｉｒ  Ｓ、ＤＬ  ＰＲＢ  ｐａｉｒ  Ｔ、ＤＬ  ＰＲＢ  ｐａｉｒ  Ｕ、ＤＬ  ＰＲＢ  ｐａｉｒ  Ｖ、ＤＬ  ＰＲＢ  ｐａｉｒ  Ｗ、ＤＬ  ＰＲＢ  ｐａｉｒ  Ｘ、ＤＬ  ＰＲＢ  ｐａｉｒ  Ｙ、ＤＬ  ＰＲＢ  ｐａｉｒ  Ｚ）から構成され、１つのＤＬ  ＰＲＢ  ｐａｉｒ内で１６個のＥＲＥＧ（ＥＲＥＧ０、ＥＲＥＧ１、ＥＲＥＧ２、ＥＲＥＧ３、ＥＲＥＧ４、ＥＲＥＧ５、ＥＲＥＧ６、ＥＲＥＧ７、ＥＲＥＧ８、ＥＲＥＧ９、ＥＲＥＧ１０、ＥＲＥＧ１１、ＥＲＥＧ１２、ＥＲＥＧ１３、ＥＲＥＧ１４、ＥＲＥＧ１５）が構成され、１個のＥＰＤＣＣＨ  ｓｅｔにおいて３２個のＥＣＣＥ（ＥＣＣＥ０、ＥＣＣＥ１、ＥＣＣＥ２、ＥＣＣＥ３、ＥＣＣＥ４、ＥＣＣＥ５、ＥＣＣＥ６、ＥＣＣＥ７、ＥＣＣＥ８、ＥＣＣＥ９、ＥＣＣＥ１０、ＥＣＣＥ１１、ＥＣＣＥ１２、ＥＣＣＥ１３、ＥＣＣＥ１４、ＥＣＣＥ１５、ＥＣＣＥ１６、ＥＣＣＥ１７、ＥＣＣＥ１８、ＥＣＣＥ１９、ＥＣＣＥ２０、ＥＣＣＥ２１、ＥＣＣＥ２２、ＥＣＣＥ２３、ＥＣＣＥ２４、ＥＣＣＥ２５、ＥＣＣＥ２６、ＥＣＣＥ２７、ＥＣＣＥ２８、ＥＣＣＥ２９、ＥＣＣＥ３０、ＥＣＣＥ３１）が構成される場合について示す。
【００８４】
図１６では、１つの塊（番号の連続する４つのＥＣＣＥからなる塊）（ＥＣＣＥ０とＥＣＣＥ１とＥＣＣＥ２とＥＣＣＥ３とから構成される塊、ＥＣＣＥ４とＥＣＣＥ５とＥＣＣＥ６とＥＣＣＥ７とから構成される塊、ＥＣＣＥ８とＥＣＣＥ９とＥＣＣＥ１０とＥＣＣＥ１１とから構成される塊、ＥＣＣＥ１２とＥＣＣＥ１３とＥＣＣＥ１４とＥＣＣＥ１５とから構成される塊、ＥＣＣＥ１６とＥＣＣＥ１７とＥＣＣＥ１８とＥＣＣＥ１９とから構成される塊、ＥＣＣＥ２０とＥＣＣＥ２１とＥＣＣＥ２２とＥＣＣＥ２３とから構成される塊、ＥＣＣＥ２４とＥＣＣＥ２５とＥＣＣＥ２６とＥＣＣＥ２７とから構成される塊、ＥＣＣＥ２８とＥＣＣＥ２９とＥＣＣＥ３０とＥＣＣＥ３１とから構成される塊）が１つのＤＬ  ＰＲＢ  ｐａｉｒのリソースを意味する。
【００８５】
図１６において、ＥＣＣＥ０はＤＬ  ＰＲＢ  ｐａｉｒ  ＳのＥＲＥＧ０とＥＲＥＧ１とＥＲＥＧ２とＥＲＥＧ３とから構成され、ＥＣＣＥ１はＤＬ  ＰＲＢ  ｐａｉｒ  ＳのＥＲＥＧ４とＥＲＥＧ５とＥＲＥＧ６とＥＲＥＧ７とから構成され、ＥＣＣＥ２はＤＬ  ＰＲＢ  ｐａｉｒ  ＳのＥＲＥＧ８とＥＲＥＧ９とＥＲＥＧ１０とＥＲＥＧ１１とから構成され、ＥＣＣＥ３はＤＬ  ＰＲＢ  ｐａｉｒ  ＳのＥＲＥＧ１２とＥＲＥＧ１３とＥＲＥＧ１４とＥＲＥＧ１５とから構成され、ＥＣＣＥ４はＤＬ  ＰＲＢ  ｐａｉｒ  ＴのＥＲＥＧ０とＥＲＥＧ１とＥＲＥＧ２とＥＲＥＧ３とから構成され、ＥＣＣＥ５はＤＬ  ＰＲＢ  ｐａｉｒ  ＴのＥＲＥＧ４とＥＲＥＧ５とＥＲＥＧ６とＥＲＥＧ７とから構成され、ＥＣＣＥ６はＤＬ  ＰＲＢ  ｐａｉｒ  ＴのＥＲＥＧ８とＥＲＥＧ９とＥＲＥＧ１０とＥＲＥＧ１１とから構成され、ＥＣＣＥ７はＤＬ  ＰＲＢ  ｐａｉｒ  ＴのＥＲＥＧ１２とＥＲＥＧ１３とＥＲＥＧ１４とＥＲＥＧ１５とから構成され、ＥＣＣＥ８はＤＬ  ＰＲＢ  ｐａｉｒ  ＵのＥＲＥＧ０とＥＲＥＧ１とＥＲＥＧ２とＥＲＥＧ３とから構成され、ＥＣＣＥ９はＤＬ  ＰＲＢ  ｐａｉｒ  ＵのＥＲＥＧ４とＥＲＥＧ５とＥＲＥＧ６とＥＲＥＧ７とから構成され、ＥＣＣＥ１０はＤＬ  ＰＲＢ  ｐａｉｒ  ＵのＥＲＥＧ８とＥＲＥＧ９とＥＲＥＧ１０とＥＲＥＧ１１とから構成され、ＥＣＣＥ１１はＤＬ  ＰＲＢ  ｐａｉｒ  ＵのＥＲＥＧ１２とＥＲＥＧ１３とＥＲＥＧ１４とＥＲＥＧ１５とから構成され、ＥＣＣＥ１２はＤＬ  ＰＲＢ  ｐａｉｒ  ＶのＥＲＥＧ０とＥＲＥＧ１とＥＲＥＧ２とＥＲＥＧ３とから構成され、ＥＣＣＥ１３はＤＬ  ＰＲＢ  ｐａｉｒ  ＶのＥＲＥＧ４とＥＲＥＧ５とＥＲＥＧ６とＥＲＥＧ７とから構成され、ＥＣＣＥ１４はＤＬ  ＰＲＢ  ｐａｉｒ  ＶのＥＲＥＧ８とＥＲＥＧ９とＥＲＥＧ１０とＥＲＥＧ１１とから構成され、ＥＣＣＥ１５はＤＬ  ＰＲＢ  ｐａｉｒ  ＶのＥＲＥＧ１２とＥＲＥＧ１３とＥＲＥＧ１４とＥＲＥＧ１５とから構成され、ＥＣＣＥ１６はＤＬ  ＰＲＢ  ｐａｉｒ  ＳのＥＲＥＧ０とＥＲＥＧ１とＥＲＥＧ２とＥＲＥＧ３とから構成され、ＥＣＣＥ１７はＤＬ  ＰＲＢ  ｐａｉｒ  ＷのＥＲＥＧ４とＥＲＥＧ５とＥＲＥＧ６とＥＲＥＧ７とから構成され、ＥＣＣＥ１８はＤＬ  ＰＲＢ  ｐａｉｒ  ＷのＥＲＥＧ８とＥＲＥＧ９とＥＲＥＧ１０とＥＲＥＧ１１とから構成され、ＥＣＣＥ１９はＤＬ  ＰＲＢ  ｐａｉｒ  ＷのＥＲＥＧ１２とＥＲＥＧ１３とＥＲＥＧ１４とＥＲＥＧ１５とから構成され、ＥＣＣＥ２０はＤＬ  ＰＲＢ  ｐａｉｒ  ＸのＥＲＥＧ０とＥＲＥＧ１とＥＲＥＧ２とＥＲＥＧ３とから構成され、ＥＣＣＥ２１はＤＬ  ＰＲＢ  ｐａｉｒ  ＸのＥＲＥＧ４とＥＲＥＧ５とＥＲＥＧ６とＥＲＥＧ７とから構成され、ＥＣＣＥ２２はＤＬ  ＰＲＢ  ｐａｉｒ  ＸのＥＲＥＧ８とＥＲＥＧ９とＥＲＥＧ１０とＥＲＥＧ１１とから構成され、ＥＣＣＥ２３はＤＬ  ＰＲＢ  ｐａｉｒ  ＸのＥＲＥＧ１２とＥＲＥＧ１３とＥＲＥＧ１４とＥＲＥＧ１５とから構成され、ＥＣＣＥ２４はＤＬ  ＰＲＢ  ｐａｉｒ  ＹのＥＲＥＧ０とＥＲＥＧ１とＥＲＥＧ２とＥＲＥＧ３とから構成され、ＥＣＣＥ２５はＤＬ  ＰＲＢ  ｐａｉｒ  ＹのＥＲＥＧ４とＥＲＥＧ５とＥＲＥＧ６とＥＲＥＧ７とから構成され、ＥＣＣＥ２６はＤＬ  ＰＲＢ  ｐａｉｒ  ＹのＥＲＥＧ８とＥＲＥＧ９とＥＲＥＧ１０とＥＲＥＧ１１とから構成され、ＥＣＣＥ２７はＤＬ  ＰＲＢ  ｐａｉｒ  ＹのＥＲＥＧ１２とＥＲＥＧ１３とＥＲＥＧ１４とＥＲＥＧ１５とから構成され、ＥＣＣＥ２８はＤＬ  ＰＲＢ  ｐａｉｒ  ＺのＥＲＥＧ０とＥＲＥＧ１とＥＲＥＧ２とＥＲＥＧ３とから構成され、ＥＣＣＥ２９はＤＬ  ＰＲＢ  ｐａｉｒ  ＺのＥＲＥＧ４とＥＲＥＧ５とＥＲＥＧ６とＥＲＥＧ７とから構成され、ＥＣＣＥ３０はＤＬ  ＰＲＢ  ｐａｉｒ  ＺのＥＲＥＧ８とＥＲＥＧ９とＥＲＥＧ１０とＥＲＥＧ１１とから構成され、ＥＣＣＥ３１はＤＬ  ＰＲＢ  ｐａｉｒ  ＺのＥＲＥＧ１２とＥＲＥＧ１３とＥＲＥＧ１４とＥＲＥＧ１５とから構成される。
【００８６】
図１７は、本発明の実施形態のＬｏｃａｌｉｚｅｄ  ｍａｐｐｉｎｇの一例を示す図である。ここでは、１個のＥＰＤＣＣＨ  ｓｅｔが２個のＤＬ  ＰＲＢ  ｐａｉｒ（ＤＬ  ＰＲＢ  ｐａｉｒ  Ｙ、ＤＬ  ＰＲＢ  ｐａｉｒ  Ｚ）から構成され、１つのＤＬ  ＰＲＢ  ｐａｉｒ内で１６個のＥＲＥＧ（ＥＲＥＧ０、ＥＲＥＧ１、ＥＲＥＧ２、ＥＲＥＧ３、ＥＲＥＧ４、ＥＲＥＧ５、ＥＲＥＧ６、ＥＲＥＧ７、ＥＲＥＧ８、ＥＲＥＧ９、ＥＲＥＧ１０、ＥＲＥＧ１１、ＥＲＥＧ１２、ＥＲＥＧ１３、ＥＲＥＧ１４、ＥＲＥＧ１５）が構成され、１個のＥＰＤＣＣＨ  ｓｅｔにおいて８個のＥＣＣＥ（ＥＣＣＥ０、ＥＣＣＥ１、ＥＣＣＥ２、ＥＣＣＥ３、ＥＣＣＥ４、ＥＣＣＥ５、ＥＣＣＥ６、ＥＣＣＥ７）が構成される場合について示す。
【００８７】
図１７では、１つの塊（番号の連続する４つのＥＣＣＥからなる塊）（ＥＣＣＥ０とＥＣＣＥ１とＥＣＣＥ２とＥＣＣＥ３とから構成される塊、ＥＣＣＥ４とＥＣＣＥ５とＥＣＣＥ６とＥＣＣＥ７とから構成される塊）が１つのＤＬ  ＰＲＢ  ｐａｉｒのリソースを意味する。
【００８８】
図１７において、ＥＣＣＥ０はＤＬ  ＰＲＢ  ｐａｉｒ  ＹのＥＲＥＧ０とＥＲＥＧ１とＥＲＥＧ２とＥＲＥＧ３とから構成され、ＥＣＣＥ１はＤＬ  ＰＲＢ  ｐａｉｒ  ＹのＥＲＥＧ４とＥＲＥＧ５とＥＲＥＧ６とＥＲＥＧ７とから構成され、ＥＣＣＥ２はＤＬ  ＰＲＢ  ｐａｉｒ  ＹのＥＲＥＧ８とＥＲＥＧ９とＥＲＥＧ１０とＥＲＥＧ１１とから構成され、ＥＣＣＥ３はＤＬ  ＰＲＢ  ｐａｉｒ  ＹのＥＲＥＧ１２とＥＲＥＧ１３とＥＲＥＧ１４とＥＲＥＧ１５とから構成され、ＥＣＣＥ４はＤＬ  ＰＲＢ  ｐａｉｒ  ＺのＥＲＥＧ０とＥＲＥＧ１とＥＲＥＧ２とＥＲＥＧ３とから構成され、ＥＣＣＥ５はＤＬ  ＰＲＢ  ｐａｉｒ  ＺのＥＲＥＧ４とＥＲＥＧ５とＥＲＥＧ６とＥＲＥＧ７とから構成され、ＥＣＣＥ６はＤＬ  ＰＲＢ  ｐａｉｒ  ＺのＥＲＥＧ８とＥＲＥＧ９とＥＲＥＧ１０とＥＲＥＧ１１とから構成され、ＥＣＣＥ７はＤＬ  ＰＲＢ  ｐａｉｒ  ＺのＥＲＥＧ１２とＥＲＥＧ１３とＥＲＥＧ１４とＥＲＥＧ１５とから構成される。
【００８９】
図１８は、本発明の実施形態のＤｉｓｔｒｉｂｕｔｅｄ  ｍａｐｐｉｎｇの一例を示す図である。ここでは、１個のＥＰＤＣＣＨ  ｓｅｔが４個のＤＬ  ＰＲＢ  ｐａｉｒ（ＤＬ  ＰＲＢ  ｐａｉｒ  Ｗ、ＤＬ  ＰＲＢ  ｐａｉｒ  Ｘ、ＤＬ  ＰＲＢ  ｐａｉｒ  Ｙ、ＤＬ  ＰＲＢ  ｐａｉｒ  Ｚ）から構成され、１つのＤＬ  ＰＲＢ  ｐａｉｒ内で１６個のＥＲＥＧ（ＥＲＥＧ０、ＥＲＥＧ１、ＥＲＥＧ２、ＥＲＥＧ３、ＥＲＥＧ４、ＥＲＥＧ５、ＥＲＥＧ６、ＥＲＥＧ７、ＥＲＥＧ８、ＥＲＥＧ９、ＥＲＥＧ１０、ＥＲＥＧ１１、ＥＲＥＧ１２、ＥＲＥＧ１３、ＥＲＥＧ１４、ＥＲＥＧ１５）が構成され、１個のＥＰＤＣＣＨ  ｓｅｔにおいて１６個のＥＣＣＥ（ＥＣＣＥ０、ＥＣＣＥ１、ＥＣＣＥ２、ＥＣＣＥ３、ＥＣＣＥ４、ＥＣＣＥ５、ＥＣＣＥ６、ＥＣＣＥ７、ＥＣＣＥ８、ＥＣＣＥ９、ＥＣＣＥ１０、ＥＣＣＥ１１、ＥＣＣＥ１２、ＥＣＣＥ１３、ＥＣＣＥ１４、ＥＣＣＥ１５）が構成される場合について示す。
【００９０】
Ｄｉｓｔｒｉｂｕｔｅｄ  ｍａｐｐｉｎｇが適用されて構成される１つのＥＣＣＥは、異なるＤＬ  ＰＲＢ  ｐａｉｒ内の複数のＥＲＥＧから構成される。
【００９１】
図１８において、ＥＣＣＥ０はＤＬ  ＰＲＢ  ｐａｉｒ  ＷのＥＲＥＧ０とＤＬ  ＰＲＢ  ｐａｉｒ  ＸのＥＲＥＧ４とＤＬ  ＰＲＢ  ｐａｉｒ  ＹのＥＲＥＧ８とＤＬ  ＰＲＢ  ｐａｉｒ  ＺのＥＲＥＧ１２とから構成され、ＥＣＣＥ１はＤＬ  ＰＲＢ  ｐａｉｒ  ＷのＥＲＥＧ１２とＤＬ  ＰＲＢ  ｐａｉｒ  ＸのＥＲＥＧ０とＤＬ  ＰＲＢ  ｐａｉｒ  ＹのＥＲＥＧ４とＤＬ  ＰＲＢ  ｐａｉｒ  ＺのＥＲＥＧ８とから構成され、ＥＣＣＥ２はＤＬ  ＰＲＢ  ｐａｉｒ  ＷのＥＲＥＧ８とＤＬ  ＰＲＢ  ｐａｉｒ  ＸのＥＲＥＧ１２とＤＬ  ＰＲＢ  ｐａｉｒ  ＹのＥＲＥＧ０とＤＬ  ＰＲＢ  ｐａｉｒ  ＺのＥＲＥＧ４とから構成され、ＥＣＣＥ３はＤＬ  ＰＲＢ  ｐａｉｒ  ＷのＥＲＥＧ４とＤＬ  ＰＲＢ  ｐａｉｒ  ＸのＥＲＥＧ８とＤＬ  ＰＲＢ  ｐａｉｒ  ＹのＥＲＥＧ１２とＤＬ  ＰＲＢ  ｐａｉｒ  ＺのＥＲＥＧ０とから構成され、ＥＣＣＥ４はＤＬ  ＰＲＢ  ｐａｉｒ  ＷのＥＲＥＧ１とＤＬ  ＰＲＢ  ｐａｉｒ  ＸのＥＲＥＧ５とＤＬ  ＰＲＢ  ｐａｉｒ  ＹのＥＲＥＧ９とＤＬ  ＰＲＢ  ｐａｉｒ  ＺのＥＲＥＧ１３とから構成され、ＥＣＣＥ５はＤＬ  ＰＲＢ  ｐａｉｒ  ＷのＥＲＥＧ１３とＤＬ  ＰＲＢ  ｐａｉｒ  ＸのＥＲＥＧ１とＤＬ  ＰＲＢ  ｐａｉｒ  ＹのＥＲＥＧ５とＤＬ  ＰＲＢ  ｐａｉｒ  ＺのＥＲＥＧ９とから構成され、ＥＣＣＥ６はＤＬ  ＰＲＢ  ｐａｉｒ  ＷのＥＲＥＧ９とＤＬ  ＰＲＢ  ｐａｉｒ  ＸのＥＲＥＧ１３とＤＬ  ＰＲＢ  ｐａｉｒ  ＹのＥＲＥＧ１とＤＬ  ＰＲＢ  ｐａｉｒ  ＺのＥＲＥＧ５とから構成され、ＥＣＣＥ７はＤＬ  ＰＲＢ  ｐａｉｒ  ＷのＥＲＥＧ５とＤＬ  ＰＲＢ  ｐａｉｒ  ＸのＥＲＥＧ９とＤＬ  ＰＲＢ  ｐａｉｒ  ＹのＥＲＥＧ１３とＤＬ  ＰＲＢ  ｐａｉｒ  ＺのＥＲＥＧ１とから構成され、ＥＣＣＥ８はＤＬ  ＰＲＢ  ｐａｉｒ  ＷのＥＲＥＧ２とＤＬ  ＰＲＢ  ｐａｉｒ  ＸのＥＲＥＧ６とＤＬ  ＰＲＢ  ｐａｉｒ  ＹのＥＲＥＧ１０とＤＬ  ＰＲＢ  ｐａｉｒ  ＺのＥＲＥＧ１４とから構成され、ＥＣＣＥ９はＤＬ  ＰＲＢ  ｐａｉｒ  ＷのＥＲＥＧ１４とＤＬ  ＰＲＢ  ｐａｉｒ  ＸのＥＲＥＧ２とＤＬ  ＰＲＢ  ｐａｉｒ  ＹのＥＲＥＧ６とＤＬ  ＰＲＢ  ｐａｉｒ  ＺのＥＲＥＧ１０とから構成され、ＥＣＣＥ１０はＤＬ  ＰＲＢ  ｐａｉｒ  ＷのＥＲＥＧ１０とＤＬ  ＰＲＢ  ｐａｉｒ  ＸのＥＲＥＧ１４とＤＬ  ＰＲＢ  ｐａｉｒ  ＹのＥＲＥＧ２とＤＬ  ＰＲＢ  ｐａｉｒ  ＺのＥＲＥＧ６とから構成され、ＥＣＣＥ１１はＤＬ  ＰＲＢ  ｐａｉｒ  ＷのＥＲＥＧ６とＤＬ  ＰＲＢ  ｐａｉｒ  ＸのＥＲＥＧ１０とＤＬ  ＰＲＢ  ｐａｉｒ  ＹのＥＲＥＧ１４とＤＬ  ＰＲＢ  ｐａｉｒ  ＺのＥＲＥＧ２とから構成され、ＥＣＣＥ１２はＤＬ  ＰＲＢ  ｐａｉｒ  ＷのＥＲＥＧ３とＤＬ  ＰＲＢ  ｐａｉｒ  ＸのＥＲＥＧ７とＤＬ  ＰＲＢ  ｐａｉｒ  ＹのＥＲＥＧ１１とＤＬ  ＰＲＢ  ｐａｉｒ  ＺのＥＲＥＧ１５とから構成され、ＥＣＣＥ１３はＤＬ  ＰＲＢ  ｐａｉｒ  ＷのＥＲＥＧ１５とＤＬ  ＰＲＢ  ｐａｉｒ  ＸのＥＲＥＧ３とＤＬ  ＰＲＢ  ｐａｉｒ  ＹのＥＲＥＧ７とＤＬ  ＰＲＢ  ｐａｉｒ  ＺのＥＲＥＧ１１とから構成され、ＥＣＣＥ１４はＤＬ  ＰＲＢ  ｐａｉｒ  ＷのＥＲＥＧ１１とＤＬ  ＰＲＢ  ｐａｉｒ  ＸのＥＲＥＧ１５とＤＬ  ＰＲＢ  ｐａｉｒ  ＹのＥＲＥＧ３とＤＬ  ＰＲＢ  ｐａｉｒ  ＺのＥＲＥＧ７とから構成され、ＥＣＣＥ１５はＤＬ  ＰＲＢ  ｐａｉｒ  ＷのＥＲＥＧ７とＤＬ  ＰＲＢ  ｐａｉｒ  ＸのＥＲＥＧ１１とＤＬ  ＰＲＢ  ｐａｉｒ  ＹのＥＲＥＧ１５とＤＬ  ＰＲＢ  ｐａｉｒ  ＺのＥＲＥＧ３とから構成される。
【００９２】
なお、図１８では、物理的に、横軸が周波数領域、縦軸が時間領域を意味するのではなく、概念的に１個のＤＬ  ＰＲＢ  ｐａｉｒが１６個のＥＲＥＧに分割され、４個の異なるＤＬ  ＰＲＢ  ｐａｉｒの４個のＥＲＥＧから１個のＥＣＣＥが構成されることを示す。なお、図１８において、ＤＬ  ＰＲＢ  ｐａｉｒ内の全てのリソースがＥＲＥＧとして構成されることを意味してはおらず、例えば、第二の参照信号が配置されるリソースはＥＲＥＧを構成するリソースから予め除外される。
【００９３】
図１９は、本発明の実施形態のＤｉｓｔｒｉｂｕｔｅｄ  ｍａｐｐｉｎｇの一例を示す図である。ここでは、１個のＥＰＤＣＣＨ  ｓｅｔが８個のＤＬ  ＰＲＢ  ｐａｉｒ（ＤＬ  ＰＲＢ  ｐａｉｒ  Ｓ、ＤＬ  ＰＲＢ  ｐａｉｒ  Ｔ、ＤＬ  ＰＲＢ  ｐａｉｒ  Ｕ、ＤＬ  ＰＲＢ  ｐａｉｒ  Ｖ、ＤＬ  ＰＲＢ  ｐａｉｒ  Ｗ、ＤＬ  ＰＲＢ  ｐａｉｒ  Ｘ、ＤＬ  ＰＲＢ  ｐａｉｒ  Ｙ、ＤＬ  ＰＲＢ  ｐａｉｒ  Ｚ）から構成され、１つのＤＬ  ＰＲＢ  ｐａｉｒ内で１６個のＥＲＥＧ（ＥＲＥＧ０、ＥＲＥＧ１、ＥＲＥＧ２、ＥＲＥＧ３、ＥＲＥＧ４、ＥＲＥＧ５、ＥＲＥＧ６、ＥＲＥＧ７、ＥＲＥＧ８、ＥＲＥＧ９、ＥＲＥＧ１０、ＥＲＥＧ１１、ＥＲＥＧ１２、ＥＲＥＧ１３、ＥＲＥＧ１４、ＥＲＥＧ１５）が構成され、１個のＥＰＤＣＣＨ  ｓｅｔにおいて３２個のＥＣＣＥ（ＥＣＣＥ０、ＥＣＣＥ１、ＥＣＣＥ２、ＥＣＣＥ３、ＥＣＣＥ４、ＥＣＣＥ５、ＥＣＣＥ６、ＥＣＣＥ７、ＥＣＣＥ８、ＥＣＣＥ９、ＥＣＣＥ１０、ＥＣＣＥ１１、ＥＣＣＥ１２、ＥＣＣＥ１３、ＥＣＣＥ１４、ＥＣＣＥ１５、ＥＣＣＥ１６、ＥＣＣＥ１７、ＥＣＣＥ１８、ＥＣＣＥ１９、ＥＣＣＥ２０、ＥＣＣＥ２１、ＥＣＣＥ２２、ＥＣＣＥ２３、ＥＣＣＥ２４、ＥＣＣＥ２５、ＥＣＣＥ２６、ＥＣＣＥ２７、ＥＣＣＥ２８、ＥＣＣＥ２９、ＥＣＣＥ３０、ＥＣＣＥ３１）が構成される場合について示す。
【００９４】
図１９において、ＥＣＣＥ０はＤＬ  ＰＲＢ  ｐａｉｒ  ＳのＥＲＥＧ０とＤＬ  ＰＲＢ  ｐａｉｒ  ＵのＥＲＥＧ４とＤＬ  ＰＲＢ  ｐａｉｒ  ＷのＥＲＥＧ８とＤＬ  ＰＲＢ  ｐａｉｒ  ＹのＥＲＥＧ１２とから構成され、ＥＣＣＥ１はＤＬ  ＰＲＢ  ｐａｉｒ  ＴのＥＲＥＧ０とＤＬ  ＰＲＢ  ｐａｉｒ  ＶのＥＲＥＧ４とＤＬ  ＰＲＢ  ｐａｉｒ  ＸのＥＲＥＧ８とＤＬ  ＰＲＢ  ｐａｉｒ  ＺのＥＲＥＧ１２とから構成され、ＥＣＣＥ２はＤＬ  ＰＲＢ  ｐａｉｒ  ＳのＥＲＥＧ１２とＤＬ  ＰＲＢ  ｐａｉｒ  ＵのＥＲＥＧ０とＤＬ  ＰＲＢ  ｐａｉｒ  ＷのＥＲＥＧ４とＤＬ  ＰＲＢ  ｐａｉｒ  ＹのＥＲＥＧ８とから構成され、ＥＣＣＥ３はＤＬ  ＰＲＢ  ｐａｉｒ  ＴのＥＲＥＧ１２とＤＬ  ＰＲＢ  ｐａｉｒ  ＶのＥＲＥＧ０とＤＬ  ＰＲＢ  ｐａｉｒ  ＸのＥＲＥＧ４とＤＬ  ＰＲＢ  ｐａｉｒ  ＺのＥＲＥＧ８とから構成され、ＥＣＣＥ４はＤＬ  ＰＲＢ  ｐａｉｒ  ＳのＥＲＥＧ８とＤＬ  ＰＲＢ  ｐａｉｒ  ＵのＥＲＥＧ１２とＤＬ  ＰＲＢ  ｐａｉｒ  ＷのＥＲＥＧ０とＤＬ  ＰＲＢ  ｐａｉｒ  ＹのＥＲＥＧ４とから構成され、ＥＣＣＥ５はＤＬ  ＰＲＢ  ｐａｉｒ  ＴのＥＲＥＧ８とＤＬ  ＰＲＢ  ｐａｉｒ  ＶのＥＲＥＧ１２とＤＬ  ＰＲＢ  ｐａｉｒ  ＸのＥＲＥＧ０とＤＬ  ＰＲＢ  ｐａｉｒ  ＺのＥＲＥＧ４とから構成され、ＥＣＣＥ６はＤＬ  ＰＲＢ  ｐａｉｒ  ＳのＥＲＥＧ４とＤＬ  ＰＲＢ  ｐａｉｒ  ＵのＥＲＥＧ８とＤＬ  ＰＲＢ  ｐａｉｒ  ＷのＥＲＥＧ１２とＤＬ  ＰＲＢ  ｐａｉｒ  ＹのＥＲＥＧ０とから構成され、ＥＣＣＥ７はＤＬ  ＰＲＢ  ｐａｉｒ  ＴのＥＲＥＧ４とＤＬ  ＰＲＢ  ｐａｉｒ  ＶのＥＲＥＧ８とＤＬ  ＰＲＢ  ｐａｉｒ  ＸのＥＲＥＧ１２とＤＬ  ＰＲＢ  ｐａｉｒ  ＺのＥＲＥＧ０とから構成され、ＥＣＣＥ８はＤＬ  ＰＲＢ  ｐａｉｒ  ＳのＥＲＥＧ１とＤＬ  ＰＲＢ  ｐａｉｒ  ＵのＥＲＥＧ５とＤＬ  ＰＲＢ  ｐａｉｒ  ＷのＥＲＥＧ９とＤＬ  ＰＲＢ  ｐａｉｒ  ＹのＥＲＥＧ１３とから構成され、ＥＣＣＥ９はＤＬ  ＰＲＢ  ｐａｉｒ  ＴのＥＲＥＧ１とＤＬ  ＰＲＢ  ｐａｉｒ  ＶのＥＲＥＧ５とＤＬ  ＰＲＢ  ｐａｉｒ  ＸのＥＲＥＧ９とＤＬ  ＰＲＢ  ｐａｉｒ  ＺのＥＲＥＧ１３とから構成され、ＥＣＣＥ１０はＤＬ  ＰＲＢ  ｐａｉｒ  ＳのＥＲＥＧ１３とＤＬ  ＰＲＢ  ｐａｉｒ  ＵのＥＲＥＧ１とＤＬ  ＰＲＢ  ｐａｉｒ  ＷのＥＲＥＧ５とＤＬ  ＰＲＢ  ｐａｉｒ  ＹのＥＲＥＧ９とから構成され、ＥＣＣＥ１１はＤＬ  ＰＲＢ  ｐａｉｒ  ＴのＥＲＥＧ１３とＤＬ  ＰＲＢ  ｐａｉｒ  ＶのＥＲＥＧ１とＤＬ  ＰＲＢ  ｐａｉｒ  ＸのＥＲＥＧ５とＤＬ  ＰＲＢ  ｐａｉｒ  ＺのＥＲＥＧ９とから構成され、ＥＣＣＥ１２はＤＬ  ＰＲＢ  ｐａｉｒ  ＳのＥＲＥＧ９とＤＬ  ＰＲＢ  ｐａｉｒ  ＵのＥＲＥＧ１３とＤＬ  ＰＲＢ  ｐａｉｒ  ＷのＥＲＥＧ１とＤＬ  ＰＲＢ  ｐａｉｒ  ＹのＥＲＥＧ５とから構成され、ＥＣＣＥ１３はＤＬ  ＰＲＢ  ｐａｉｒ  ＴのＥＲＥＧ９とＤＬ  ＰＲＢ  ｐａｉｒ  ＶのＥＲＥＧ１３とＤＬ  ＰＲＢ  ｐａｉｒ  ＸのＥＲＥＧ１とＤＬ  ＰＲＢ  ｐａｉｒ  ＺのＥＲＥＧ５とから構成され、ＥＣＣＥ１４はＤＬ  ＰＲＢ  ｐａｉｒ  ＳのＥＲＥＧ５とＤＬ  ＰＲＢ  ｐａｉｒ  ＵのＥＲＥＧ９とＤＬ  ＰＲＢ  ｐａｉｒ  ＷのＥＲＥＧ１３とＤＬ  ＰＲＢ  ｐａｉｒ  ＹのＥＲＥＧ１とから構成され、ＥＣＣＥ１５はＤＬ  ＰＲＢ  ｐａｉｒ  ＴのＥＲＥＧ５とＤＬ  ＰＲＢ  ｐａｉｒ  ＶのＥＲＥＧ９とＤＬ  ＰＲＢ  ｐａｉｒ  ＸのＥＲＥＧ１３とＤＬ  ＰＲＢ  ｐａｉｒ  ＺのＥＲＥＧ１とから構成され、ＥＣＣＥ１６はＤＬ  ＰＲＢ  ｐａｉｒ  ＳのＥＲＥＧ２とＤＬ  ＰＲＢ  ｐａｉｒ  ＵのＥＲＥＧ６とＤＬ  ＰＲＢ  ｐａｉｒ  ＷのＥＲＥＧ１０とＤＬ  ＰＲＢ  ｐａｉｒ  ＹのＥＲＥＧ１４とから構成され、ＥＣＣＥ１７はＤＬ  ＰＲＢ  ｐａｉｒ  ＴのＥＲＥＧ２とＤＬ  ＰＲＢ  ｐａｉｒ  ＶのＥＲＥＧ６とＤＬ  ＰＲＢ  ｐａｉｒ  ＸのＥＲＥＧ１０とＤＬ  ＰＲＢ  ｐａｉｒ  ＺのＥＲＥＧ１４とから構成され、ＥＣＣＥ１８はＤＬ  ＰＲＢ  ｐａｉｒ  ＳのＥＲＥＧ１４とＤＬ  ＰＲＢ  ｐａｉｒ  ＵのＥＲＥＧ２とＤＬ  ＰＲＢ  ｐａｉｒ  ＷのＥＲＥＧ６とＤＬ  ＰＲＢ  ｐａｉｒ  ＹのＥＲＥＧ１０とから構成され、ＥＣＣＥ１９はＤＬ  ＰＲＢ  ｐａｉｒ  ＴのＥＲＥＧ１４とＤＬ  ＰＲＢ  ｐａｉｒ  ＶのＥＲＥＧ２とＤＬ  ＰＲＢ  ｐａｉｒ  ＸのＥＲＥＧ６とＤＬ  ＰＲＢ  ｐａｉｒ  ＺのＥＲＥＧ１０とから構成され、ＥＣＣＥ２０はＤＬ  ＰＲＢ  ｐａｉｒ  ＳのＥＲＥＧ１０とＤＬ  ＰＲＢ  ｐａｉｒ  ＵのＥＲＥＧ１４とＤＬ  ＰＲＢ  ｐａｉｒ  ＷのＥＲＥＧ２とＤＬ  ＰＲＢ  ｐａｉｒ  ＹのＥＲＥＧ６とから構成され、ＥＣＣＥ２１はＤＬ  ＰＲＢ  ｐａｉｒ  ＴのＥＲＥＧ１０とＤＬ  ＰＲＢ  ｐａｉｒ  ＶのＥＲＥＧ１４とＤＬ  ＰＲＢ  ｐａｉｒ  ＸのＥＲＥＧ２とＤＬ  ＰＲＢ  ｐａｉｒ  ＺのＥＲＥＧ６とから構成され、ＥＣＣＥ２２はＤＬ  ＰＲＢ  ｐａｉｒ  ＳのＥＲＥＧ６とＤＬ  ＰＲＢ  ｐａｉｒ  ＵのＥＲＥＧ１０とＤＬ  ＰＲＢ  ｐａｉｒ  ＷのＥＲＥＧ１４とＤＬ  ＰＲＢ  ｐａｉｒ  ＹのＥＲＥＧ２とから構成され、ＥＣＣＥ２３はＤＬ  ＰＲＢ  ｐａｉｒ  ＴのＥＲＥＧ６とＤＬ  ＰＲＢ  ｐａｉｒ  ＶのＥＲＥＧ１０とＤＬ  ＰＲＢ  ｐａｉｒ  ＸのＥＲＥＧ１４とＤＬ  ＰＲＢ  ｐａｉｒ  ＺのＥＲＥＧ２とから構成され、ＥＣＣＥ２４はＤＬ  ＰＲＢ  ｐａｉｒ  ＳのＥＲＥＧ３とＤＬ  ＰＲＢ  ｐａｉｒ  ＵのＥＲＥＧ７とＤＬ  ＰＲＢ  ｐａｉｒ  ＷのＥＲＥＧ１１とＤＬ  ＰＲＢ  ｐａｉｒ  ＹのＥＲＥＧ１５とから構成され、ＥＣＣＥ２５はＤＬ  ＰＲＢ  ｐａｉｒ  ＴのＥＲＥＧ３とＤＬ  ＰＲＢ  ｐａｉｒ  ＶのＥＲＥＧ７とＤＬ  ＰＲＢ  ｐａｉｒ  ＸのＥＲＥＧ１１とＤＬ  ＰＲＢ  ｐａｉｒ  ＺのＥＲＥＧ１５とから構成され、ＥＣＣＥ２６はＤＬ  ＰＲＢ  ｐａｉｒ  ＳのＥＲＥＧ１５とＤＬ  ＰＲＢ  ｐａｉｒ  ＵのＥＲＥＧ３とＤＬ  ＰＲＢ  ｐａｉｒ  ＷのＥＲＥＧ７とＤＬ  ＰＲＢ  ｐａｉｒ  ＹのＥＲＥＧ１１とから構成され、ＥＣＣＥ２７はＤＬ  ＰＲＢ  ｐａｉｒ  ＴのＥＲＥＧ１５とＤＬ  ＰＲＢ  ｐａｉｒ  ＶのＥＲＥＧ３とＤＬ  ＰＲＢ  ｐａｉｒ  ＸのＥＲＥＧ７とＤＬ  ＰＲＢ  ｐａｉｒ  ＺのＥＲＥＧ１１とから構成され、ＥＣＣＥ２８はＤＬ  ＰＲＢ  ｐａｉｒ  ＳのＥＲＥＧ１１とＤＬ  ＰＲＢ  ｐａｉｒ  ＵのＥＲＥＧ１５とＤＬ  ＰＲＢ  ｐａｉｒ  ＷのＥＲＥＧ３とＤＬ  ＰＲＢ  ｐａｉｒ  ＹのＥＲＥＧ７とから構成され、ＥＣＣＥ２９はＤＬ  ＰＲＢ  ｐａｉｒ  ＴのＥＲＥＧ１１とＤＬ  ＰＲＢ  ｐａｉｒ  ＶのＥＲＥＧ１５とＤＬ  ＰＲＢ  ｐａｉｒ  ＸのＥＲＥＧ３とＤＬ  ＰＲＢ  ｐａｉｒ  ＺのＥＲＥＧ７とから構成され、ＥＣＣＥ３０はＤＬ  ＰＲＢ  ｐａｉｒ  ＳのＥＲＥＧ７とＤＬ  ＰＲＢ  ｐａｉｒ  ＵのＥＲＥＧ１１とＤＬ  ＰＲＢ  ｐａｉｒ  ＷのＥＲＥＧ１５とＤＬ  ＰＲＢ  ｐａｉｒ  ＹのＥＲＥＧ３とから構成され、ＥＣＣＥ３１はＤＬ  ＰＲＢ  ｐａｉｒ  ＴのＥＲＥＧ７とＤＬ  ＰＲＢ  ｐａｉｒ  ＶのＥＲＥＧ１１とＤＬ  ＰＲＢ  ｐａｉｒ  ＸのＥＲＥＧ１５とＤＬ  ＰＲＢ  ｐａｉｒ  ＺのＥＲＥＧ３とから構成される。
【００９５】
図２０は、本発明の実施形態のＤｉｓｔｒｉｂｕｔｅｄ  ｍａｐｐｉｎｇの一例を示す図である。ここでは、１個のＥＰＤＣＣＨ  ｓｅｔが２個のＤＬ  ＰＲＢ  ｐａｉｒ（ＤＬ  ＰＲＢ  ｐａｉｒ  Ｙ、ＤＬ  ＰＲＢ  ｐａｉｒ  Ｚ）から構成され、１つのＤＬ  ＰＲＢ  ｐａｉｒ内で１６個のＥＲＥＧ（ＥＲＥＧ０、ＥＲＥＧ１、ＥＲＥＧ２、ＥＲＥＧ３、ＥＲＥＧ４、ＥＲＥＧ５、ＥＲＥＧ６、ＥＲＥＧ７、ＥＲＥＧ８、ＥＲＥＧ９、ＥＲＥＧ１０、ＥＲＥＧ１１、ＥＲＥＧ１２、ＥＲＥＧ１３、ＥＲＥＧ１４、ＥＲＥＧ１５）が構成され、１個のＥＰＤＣＣＨ  ｓｅｔにおいて８個のＥＣＣＥ（ＥＣＣＥ０、ＥＣＣＥ１、ＥＣＣＥ２、ＥＣＣＥ３、ＥＣＣＥ４、ＥＣＣＥ５、ＥＣＣＥ６、ＥＣＣＥ７）が構成される場合について示す。
【００９６】
図２０において、ＥＣＣＥ０はＤＬ  ＰＲＢ  ｐａｉｒ  ＹのＥＲＥＧ０とＤＬ  ＰＲＢ  ｐａｉｒ  ＺのＥＲＥＧ４とＤＬ  ＰＲＢ  ｐａｉｒ  ＹのＥＲＥＧ８とＤＬ  ＰＲＢ  ｐａｉｒ  ＺのＥＲＥＧ１２とから構成され、ＥＣＣＥ１はＤＬ  ＰＲＢ  ｐａｉｒ  ＹのＥＲＥＧ１２とＤＬ  ＰＲＢ  ｐａｉｒ  ＺのＥＲＥＧ０とＤＬ  ＰＲＢ  ｐａｉｒ  ＹのＥＲＥＧ４とＤＬ  ＰＲＢ  ｐａｉｒ  ＺのＥＲＥＧ８とから構成され、ＥＣＣＥ２はＤＬ  ＰＲＢ  ｐａｉｒ  ＹのＥＲＥＧ１とＤＬ  ＰＲＢ  ｐａｉｒ  ＺのＥＲＥＧ５とＤＬ  ＰＲＢ  ｐａｉｒ  ＹのＥＲＥＧ９とＤＬ  ＰＲＢ  ｐａｉｒ  ＺのＥＲＥＧ１３とから構成され、ＥＣＣＥ３はＤＬ  ＰＲＢ  ｐａｉｒ  ＹのＥＲＥＧ１３とＤＬ  ＰＲＢ  ｐａｉｒ  ＺのＥＲＥＧ１とＤＬ  ＰＲＢ  ｐａｉｒ  ＹのＥＲＥＧ５とＤＬ  ＰＲＢ  ｐａｉｒ  ＺのＥＲＥＧ９とから構成され、ＥＣＣＥ４はＤＬ  ＰＲＢ  ｐａｉｒ  ＹのＥＲＥＧ２とＤＬ  ＰＲＢ  ｐａｉｒ  ＺのＥＲＥＧ６とＤＬ  ＰＲＢ  ｐａｉｒ  ＹのＥＲＥＧ１０とＤＬ  ＰＲＢ  ｐａｉｒ  ＺのＥＲＥＧ１４とから構成され、ＥＣＣＥ５はＤＬ  ＰＲＢ  ｐａｉｒ  ＹのＥＲＥＧ１４とＤＬ  ＰＲＢ  ｐａｉｒ  ＺのＥＲＥＧ２とＤＬ  ＰＲＢ  ｐａｉｒ  ＹのＥＲＥＧ６とＤＬ  ＰＲＢ  ｐａｉｒ  ＺのＥＲＥＧ１０とから構成され、ＥＣＣＥ６はＤＬ  ＰＲＢ  ｐａｉｒ  ＹのＥＲＥＧ３とＤＬ  ＰＲＢ  ｐａｉｒ  ＺのＥＲＥＧ７とＤＬ  ＰＲＢ  ｐａｉｒ  ＹのＥＲＥＧ１１とＤＬ  ＰＲＢ  ｐａｉｒ  ＺのＥＲＥＧ１５とから構成され、ＥＣＣＥ１３はＤＬ  ＰＲＢ  ｐａｉｒ  ＹのＥＲＥＧ１５とＤＬ  ＰＲＢ  ｐａｉｒ  ＺのＥＲＥＧ３とＤＬ  ＰＲＢ  ｐａｉｒ  ＹのＥＲＥＧ７とＤＬ  ＰＲＢ  ｐａｉｒ  ＺのＥＲＥＧ１１とから構成される。
【００９７】
Ｌｏｃａｌｉｚｅｄ  ＥＰＤＣＣＨは、１個のＥＣＣＥ（ＥＣＣＥ  ａｇｇｒｅｇａｔｉｏｎ  １）から構成され、または２個のＥＣＣＥ（ＥＣＣＥ  ａｇｇｒｅｇａｔｉｏｎ  ２）から構成され、または４個のＥＣＣＥ（ＥＣＣＥ  ａｇｇｒｅｇａｔｉｏｎ  ４）から構成され、または８個のＥＣＣＥ（ＥＣＣＥ  ａｇｇｒｅｇａｔｉｏｎ  ８）から構成され、または１６個のＥＣＣＥ（ＥＣＣＥ  ａｇｇｒｅｇａｔｉｏｎ  １６）から構成される。ＥＣＣＥ  ａｇｇｒｅｇａｔｉｏｎ  ｎｕｍｂｅｒが２以上のＬｏｃａｌｉｚｅｄ  ＥＰＤＣＣＨは、ＥＣＣＥの番号が連続する複数のＥＣＣＥから構成される。Ｄｉｓｔｒｉｂｕｔｅｄ  ＥＰＤＣＣＨは、１個のＥＣＣＥ（ＥＣＣＥ  ａｇｇｒｅｇａｔｉｏｎ  １）から構成され、または２個のＥＣＣＥ（ＥＣＣＥ  ａｇｇｒｅｇａｔｉｏｎ  ２）から構成され、または４個のＥＣＣＥ（ＥＣＣＥ  ａｇｇｒｅｇａｔｉｏｎ  ４）から構成され、または８個のＥＣＣＥ（ＥＣＣＥ  ａｇｇｒｅｇａｔｉｏｎ  ８）から構成され、または１６個のＥＣＣＥ（ＥＣＣＥ  ａｇｇｒｅｇａｔｉｏｎ  １６）から構成され、または３２個のＥＣＣＥ（ＥＣＣＥ  ａｇｇｒｅｇａｔｉｏｎ  ３２）から構成される。ＥＣＣＥ  ａｇｇｒｅｇａｔｉｏｎ  ｎｕｍｂｅｒが２以上のＤｉｓｔｒｉｂｕｔｅｄ  ＥＰＤＣＣＨは、ＥＣＣＥの番号が連続する複数のＥＣＣＥから構成される。
【００９８】
複数の端末装置５に対して、共通のＤＬ  ＰＲＢ  ｐａｉｒから構成されるＥＰＤＣＣＨ  ｓｅｔが共通して設定されうる。そのＥＰＤＣＣＨ  ｓｅｔの異なるＥＣＣＥを用いて、異なる端末装置５に対して異なるＥＰＤＣＣＨが送受信される。共通のＤＬ  ＰＲＢ  ｐａｉｒから構成されるＥＰＤＣＣＨ  ｓｅｔが共通して設定されるが、異なるリソースマッピング方法が異なる端末装置５に対して適用され、そのＥＰＤＣＣＨ  ｓｅｔにおいて異なる端末装置５に対してＤｉｓｔｒｉｂｕｔｅｄ  ＥＰＤＣＣＨとＬｏｃａｌｉｚｅｄ  ＥＰＤＣＣＨが送受信される場合、Ｄｉｓｔｒｉｂｕｔｅｄ  ＥＰＤＣＣＨが送受信されるＥＲＥＧと、Ｌｏｃａｌｉｚｅｄ  ＥＰＤＣＣＨが送受信されるＥＲＥＧとが異なる。端末装置５の観点からは、構成されたあるＥＰＤＣＣＨ  ｓｅｔに対しては何れかのリソースマッピングの方法が適用されると想定して、ＥＰＤＣＣＨを受信して、復調して、復号する処理を行う。基地局装置３の観点からは、構成したあるＥＰＤＣＣＨ  ｓｅｔに対して何れか１種類のリソースマッピングの方法を適用すると決定して、複数のＥＰＤＣＣＨを配置して、送信する処理を行ってもよいし、構成したあるＥＰＤＣＣＨ  ｓｅｔに対して両方の２種類のリソースマッピングの方法を適用すると決定して、複数のＥＰＤＣＣＨを配置して、送信する処理を行ってもよい
【００９９】
端末装置５は、基地局装置３より構成されたＥＰＤＣＣＨ  ｓｅｔにおいてＥＰＤＣＣＨを検出する処理（モニタリング）を行うように指定（設定、構成）される。ＥＰＤＣＣＨのモニタリングの指定は、ＥＰＤＣＣＨ  ｓｅｔが端末装置５に構成されることにより、自動的に（暗黙的に）なされてもよいし、ＥＰＤＣＣＨ  ｓｅｔの構成を示すシグナリングとは異なるシグナリングにより明示的になされてもよい。例えば、基地局装置３は、端末装置５がＥＰＤＣＣＨのモニタリングを行う下りリンクサブフレームを示す情報を端末装置５に通知する。端末装置５は、ＥＰＤＣＣＨ  ｓｅｔ内の全てのＥＣＣＥに対してＥＰＤＣＣＨを検出する処理を行うのではなく、制限されたＥＣＣＥに対してＥＰＤＣＣＨを検出する処理を行う。ＥＣＣＥ  ａｇｇｒｅｇａｔｉｏｎ  ｎｕｍｂｅｒ毎に対して、ＥＰＤＣＣＨを検出するＥＰＤＣＣＨ  ｃａｎｄｉｄａｔｅが設定される。端末装置５は、ＥＰＤＣＣＨ  ｓｅｔ内で何れの１つ以上のＥＰＤＣＣＨ  ｃａｎｄｉｄａｔｅに対して復号検出を行うかを、端末装置５に割り当てられた識別子（ＲＮＴＩ）に基づき認識する。
【０１００】
ＥＰＤＣＣＨ  ｓｅｔの構成（指定、設定）を示す情報は、ＥＰＤＣＣＨを用いた通信を開始する前に、基地局装置３と端末装置５間でやり取りが行われる。例えば、その情報は、ＲＲＣ（Radio Resource Control）シグナリングを用いて行われる。具体的には、端末装置５は、基地局装置３よりＥＰＤＣＣＨ  ｓｅｔのＤＬ  ＰＲＢ  ｐａｉｒの位置（割り当て）を示す情報を受信する。また、ＥＰＤＣＣＨ  ｓｅｔのそれぞれに対して、ＥＣＣＥのリソースマッピングの種類（Ｌｏｃａｌｉｚｅｄ  ｍａｐｐｉｎｇ、Ｄｉｓｔｒｉｂｕｔｅｄ  ｍａｐｐｉｎｇ）を示す情報が、基地局装置３から端末装置５に通知される。
【０１０１】
端末装置５は、基地局装置３より設定されたＥＰＤＣＣＨ  ｓｅｔ内で受信した第二の参照信号を用いて、ＥＰＤＣＣＨの信号の復調を行い、自装置宛てのＥＰＤＣＣＨを検出する処理を行なう。例えば、端末装置５は、ＥＰＤＣＣＨの信号の復調を、復調を行なうリソースが属するＤＬ  ＰＲＢ  ｐａｉｒ内の第二の参照信号を用いて行う。ＥＲＥＧは何れかのアンテナポートと予め対応付けが設定されており、端末装置５はＥＰＤＣＣＨの信号の復調を、ＥＰＤＣＣＨを構成するＥＲＥＧに基づき判断したアンテナポートの第二の参照信号を用いて行う。Ｌｏｃａｌｉｚｅｄ  ｍａｐｐｉｎｇが適用されるＥＰＤＣＣＨ  ｓｅｔと、Ｄｉｓｔｒｉｂｕｔｅｄ  ｍａｐｐｉｎｇが適用されるＥＰＤＣＣＨ  ｓｅｔと、において、ＤＬ  ＰＲＢ  ｐａｉｒ内のＥＲＥＧとアンテナポートとの対応付けに関して異なる対応付けが用いられる。Ｌｏｃａｌｉｚｅｄ  ｍａｐｐｉｎｇが適用されるＥＰＤＣＣＨ  ｓｅｔでは、１つのＥＲＥＧは単一のアンテナポートと対応付けられる。Ｄｉｓｔｒｉｂｕｔｅｄ  ｍａｐｐｉｎｇが適用されるＥＰＤＣＣＨ  ｓｅｔでは、１つのＥＲＥＧは複数のアンテナポートと対応付けられ、ＥＲＥＧ内のそれぞれのＲＥに異なるアンテナポートが交互に対応付けられる。
【０１０２】
以下では、ＥＰＤＣＣＨにマッピングされる制御信号について説明する。ＥＰＤＣＣＨにマッピングされる信号は、１つの端末装置５に対する制御情報（ＤＣＩ）毎に処理され、スクランブル処理、変調処理、レイヤーマッピング処理、プリコーディング処理等が行われうる。また、ＥＰＤＣＣＨにマッピングされる信号は、第二の参照信号と共に、共通のプリコーディング処理が行われる。
【０１０３】
また、ＥＰＤＣＣＨが配置されるＤＬ  ＰＲＢ  ｐａｉｒには、基地局装置３によって、第二の参照信号が多重される。端末装置５は、ＥＰＤＣＣＨの信号を、第二の参照信号を用いて復調処理を行う。ＥＰＤＣＣＨの復調に用いられる第二の参照信号は、そのＥＰＤＣＣＨを構成するＥＲＥＧ、またはＥＣＣＥと対応するアンテナポートの第二の参照信号が用いられる。ＥＰＤＣＣＨ  ｓｅｔのＥＲＥＧ、ＥＣＣＥと対応するアンテナポートは、予め設定される。
【０１０４】
例えば、端末装置５に対して、２つのＥＰＤＣＣＨ  ｓｅｔ（ＥＰＤＣＣＨ  ｓｅｔ１、ＥＰＤＣＣＨ  ｓｅｔ２）が構成される。端末装置５は、各ＥＰＤＣＣＨ  ｓｅｔにおいてＳｅａｒｃｈ  ｓｐａｃｅが設定される。Ｓｅａｒｃｈ  ｓｐａｃｅとは、端末装置５がＥＰＤＣＣＨ  ｓｅｔ内でＥＰＤＣＣＨの復号検出を行なう論理的な領域を意味する。Ｓｅａｒｃｈ  ｓｐａｃｅは、複数のＥＰＤＣＣＨ候補から構成される。ＥＰＤＣＣＨ候補とは、端末装置５がＥＰＤＣＣＨの復号検出を行う対象である。ＥＣＣＥ  ａｇｇｒｅｇａｔｉｏｎ  ｎｕｍｂｅｒ毎に、異なるＥＰＤＣＣＨ候補は異なるＥＣＣＥ（１つのＥＣＣＥ、複数のＥＣＣＥを含む）から構成される。
【０１０５】
複数のＥＰＤＣＣＨ  ｓｅｔが構成される端末装置５には、複数のＳｅａｒｃｈ  ｓｐａｃｅが設定される。例えば、端末装置５に構成される複数のＥＰＤＣＣＨ  ｓｅｔの一部のＥＰＤＣＣＨ  ｓｅｔにはＤｉｓｔｒｉｂｕｔｅｄ  ｍａｐｐｉｎｇが適用され、異なる一部のＥＰＤＣＣＨ  ｓｅｔにはＬｏｃａｌｉｚｅｄ  ｍａｐｐｉｎｇが適用される。例えば、端末装置５に構成される複数のＥＰＤＣＣＨ  ｓｅｔの全てにＤｉｓｔｒｉｂｕｔｅｄ  ｍａｐｐｉｎｇが適用される。例えば、端末装置５に構成される複数のＥＰＤＣＣＨ  ｓｅｔの全てにＬｏｃａｌｉｚｅｄ  ｍａｐｐｉｎｇが適用される。
【０１０６】
本発明のＥＰＨＩＣＨは、上記で説明したＥＲＥＧ、ＥＣＣＥと同様の構造を用いる。本発明のＥＰＨＩＣＨの構成には、図１４で説明したＥＲＥＧが用いられる。本発明のＥＰＨＣＩＨの構成には、図１８、図１９、図２０で説明したＥＣＣＥ，つまりＤｉｓｔｒｉｂｕｔｅｄ  ｍａｐｐｉｎｇのＥＣＣＥが用いられる。ＥＰＨＩＣＨの構成には、ＥＰＤＣＣＨに対して設定されるＥＰＤＣＣＨ  ｓｅｔ内のＥＲＥＧ、ＥＣＣＥが用いられてもよい。例えば、端末装置５に対して設定された、Ｄｉｓｔｒｉｂｕｔｅｄ  ｍａｐｐｉｎｇが適用されるＥＰＤＣＣＨ  ｓｅｔの一部にＥＰＨＩＣＨも配置されるということが基地局装置３から端末装置５に通知されてもよい。ＥＰＤＣＣＨに対して設定されるＥＰＤＣＣＨ  ｓｅｔとは独立に複数のＤＬ  ＰＲＢ  ｐａｉｒが設定され、その複数のＤＬ  ＰＲＢ  ｐａｉｒ内でＥＲＥＧ、ＥＣＣＥが構成され、ＥＰＨＩＣＨの構成には、そのＥＲＥＧ、ＥＣＣＥが用いられてもよい。ＥＰＨＩＣＨが配置される可能性のある領域（ＥＰＨＩＣＨ  ｓｅｔ）として、複数のＤＬ  ＰＲＢ  ｐａｉｒが構成される。例えば、ＥＰＨＩＣＨの構成に用いられる複数のＤＬ  ＰＲＢ  ｐａｉｒ、言いかえると、ＥＰＨＩＣＨが配置されうる複数のＤＬ  ＰＲＢ  ｐａｉｒは、シグナリングを用いて直接的に基地局装置３から端末装置５に対して通知される。
【０１０７】
１つのＥＰＨＩＣＨは、複数のＥＣＣＥから構成される。１つのＥＰＨＩＣＨには、複数のＡＣＫ／ＮＡＣＫ情報から生成された信号が配置されうる。例えば、１つのＥＰＨＩＣＨには、８個のＡＣＫ／ＮＡＣＫ情報から生成された信号が配置されうる。１つの下りリンクサブフレームにおいて、複数のＥＰＨＩＣＨが配置されうる。上りリンクシステム帯域のＵＬ  ＰＲＢ  ｐａｉｒの総数に応じて、１つの下りリンクサブフレームにおいて配置されうるＰＨＩＣＨの数、言いかえるとＡＣＫ／ＮＡＣＫ情報の数が制御される。例えば、上りリンクシステム帯域のＵＬ  ＰＲＢ  ｐａｉｒの総数が１１０個の場合、１つの下りリンクサブフレームにおいて、ＥＰＨＩＣＨ  ｓｅｔ内に１４個のＥＰＨＩＣＨが配置される可能性があり、１１０個のＡＣＫ／ＮＡＣＫ情報から生成された信号が配置される可能性がある。さらに、独立なシグナリングを用いて、１つの下リンクサブフレームにおいてＥＰＨＩＣＨ  ｓｅｔ内に配置されうるＥＰＨＩＣＨの数、言いかえるとＥＰＨＩＣＨ  ｓｅｔ内のＡＣＫ／ＮＡＣＫ情報の数が制御される。例えば、上りリンクシステム帯域のＵＬ  ＰＲＢ  ｐａｉｒの総数を一つの基準として用い、その基準に対して、１／６倍、１／２倍、１倍、２倍の数のＡＣＫ／ＮＡＣＫ情報の数が制御され、何倍かを示す情報がＲＲＣシグナリングを用いて基地局装置３から端末装置５に対して通知される。例えば、ＵＬ  ＰＲＢ  ｐａｉｒの総数が１１０個で、ＲＲＣシグナリングで１／６倍が示された場合、１９個のＡＣＫ／ＮＡＣＫ情報から生成された信号がＥＰＨＩＣＨ  ｓｅｔ内に配置される可能性があり、ＥＰＨＩＣＨ  ｓｅｔ内に３個のＥＰＨＩＣＨが配置される可能性がある。
【０１０８】
例えば、１つの下りリンクサブフレームにおいてＥＰＨＩＣＨ  ｓｅｔ内に３個のＥＰＨＩＣＨが配置される可能性がある場合について説明する。３個のＥＰＨＩＣＨのそれぞれにインデックス付けが行われる（ＥＰＨＩＣＨ０、ＥＰＨＩＣＨ１、ＥＰＨＩＣＨ２）。例えば、１個のＥＰＨＩＣＨは、４個のＥＣＣＥから構成される。それぞれのＥＰＨＩＣＨは予め決められたＥＣＣＥ  ｉｎｄｅｘのＥＣＣＥに配置されうる。例えば、ＥＰＨＩＣＨが、図１８に示すように、４個のＤＬ  ＰＲＢ  ｐａｉｒ内に構成される場合、ＥＰＨＩＣＨ０はＥＣＣＥ０とＥＣＣＥ１とＥＣＣＥ２とＥＣＣＥ３とから構成され、ＥＰＨＩＣＨ１はＥＣＣＥ３とＥＣＣＥ４とＥＣＣＥ５とＥＣＣＥ６とＥＣＣＥ７とから構成され、ＥＰＨＩＣＨ２はＥＣＣＥ８とＥＣＣＥ９とＥＣＣＥ１０とＥＣＣＥ１１とから構成される。たとえば、１個のＥＰＨＩＣＨが２個のＥＣＣＥから構成される場合、ＥＰＨＩＣＨ０はＥＣＣＥ０とＥＣＣＥ１とから構成され、ＥＰＨＩＣＨ１はＥＣＣＥ２とＥＣＣＥ３とから構成され、ＥＰＨＩＣＨ２はＥＣＣＥ４とＥＣＣＥ５とから構成される。
【０１０９】
ＤＰＳが適用される端末装置５は、複数のＥＰＤＣＣＨ  ｓｅｔと複数のＥＰＨＩＣＨ  ｓｅｔが構成される。複数のＥＰＨＩＣＨ  ｓｅｔのそれぞれは、何れかのＥＰＤＣＣＨ  ｓｅｔと対応付けられる。その対応付けを示す情報が、基地局装置３から端末装置５に通知される。端末装置５は、あるＥＰＤＣＣＨ  ｓｅｔ内で受信したＥＰＤＣＣＨを用いてリソースが割り当てられたＰＵＳＣＨに対するＥＰＨＩＣＨを、ＥＰＤＣＣＨを受信したＥＰＤＣＣＨ  ｓｅｔと対応付けられたＥＰＨＩＣＨ  ｓｅｔ内に配置されると認識し、ＥＰＨＩＣＨを受信する。基地局装置３は、あるＥＰＤＣＣＨ  ｓｅｔ内で送信したＥＰＤＣＣＨを用いてリソースを割り当てたＰＵＳＣＨに対するＥＰＨＩＣＨを、ＥＰＤＣＣＨを送信したＥＰＤＣＣＨ  ｓｅｔと対応付けられたＥＰＨＩＣＨ  ｓｅｔ内で送信する。実質的には、それぞれのＥＰＤＣＣＨ  ｓｅｔの信号の送信先は異なり、それぞれのＥＰＨＩＣＨ  ｓｅｔの信号の送信先は異なり、同一の送信先のＥＰＤＣＣＨ  ｓｅｔとＥＰＨＩＣＨ  ｓｅｔが対応付けられる。これにより、ＥＰＤＣＣＨとＥＰＨＩＣＨにＤＰＳを効率良くサポートすることができる。例えば、チャネル状況の良い送信先からＥＰＤＣＣＨの信号とＥＰＨＩＣＨの信号を端末装置５はダイナミックに受信することができる。例えば、基地局装置３はロードバランスを考慮して、信号を送信する送信先を選択して信号を送信し、通信リソースの余裕のある送信先からＥＰＤＣＣＨの信号とＥＰＨＩＣＨの信号を端末装置５はダイナミックに受信することができる。
【０１１０】
たとえば、端末装置５に対して、２つのＥＰＤＣＣＨ  ｓｅｔ（ＥＰＤＣＣＨ  ｓｅｔ  １、ＥＰＤＣＣＨ  ｓｅｔ  ２）と、２つのＥＰＨＩＣＨ  ｓｅｔ（ＥＰＨＩＣＨ  ｓｅｔ  １、ＥＰＨＩＣＨ  ｓｅｔ  ２）とが構成される。ＥＰＤＣＣＨ  ｓｅｔ  １は、ＥＰＨＩＣＨ  ｓｅｔ  １と対応付けられる。ＥＰＤＣＣＨ  ｓｅｔ  ２は、ＥＰＨＩＣＨ  ｓｅｔ  ２と対応付けられる。ＥＰＤＣＣＨ  ｓｅｔ  １のＥＰＤＣＣＨでリソースが割り当てられたＰＵＳＣＨに対するＥＰＨＩＣＨは、ＥＰＨＩＣＨ  ｓｅｔ  １に配置される。ＥＰＤＣＣＨ  ｓｅｔ  ２のＥＰＤＣＣＨでリソースが割り当てられたＰＵＳＣＨに対するＥＰＨＩＣＨは、ＥＰＨＩＣＨ  ｓｅｔ  ２に配置される。
【０１１１】
端末装置５に構成される複数のＥＰＨＩＣＨ  ｓｅｔに対して、ＥＰＨＩＣＨ  ｓｅｔ内に配置されうるＥＰＨＩＣＨの数（ＡＣＫ／ＮＡＣＫ情報の数）がＥＰＨＩＣＨ  ｓｅｔ毎に制御される。これにより、送信先毎に必要なＥＰＨＩＣＨの数（ＡＣＫ／ＮＡＣＫ情報の数）が適切に制御される。例えば、そのＥＰＨＩＣＨ  ｓｅｔが構成される端末装置５の数に応じて制御される。
【０１１２】
対応付けられるＥＰＤＣＣＨ  ｓｅｔとＥＰＨＩＣＨ  ｓｅｔのそれぞれに構成される第二の参照信号には、同一のパラメータが用いられてもよい。具体的には、第二の参照信号の生成に用いられる疑似ランダム系列の初期化に対して同一のパラメータが用いられる。これにより、ＥＰＤＣＣＨ  ｓｅｔ（Ｄｉｓｔｒｉｂｕｔｅｄ  ｍａｐｐｉｎｇが適用されるＥＰＤＣＣＨ  ｓｅｔ）とＥＰＨＩＣＨ  ｓｅｔが同一のＤＬ  ＰＲＢ  ｐａｉｒから構成される場合、ＤＬ  ＰＲＢ  ｐａｉｒ内に配置されるＥＰＤＣＣＨとＥＰＨＩＣＨとに対して共通の第二の参照信号を用いることができ、ＥＰＤＣＣＨとＥＰＨＩＣＨとに対して別々のリソースを用いて第二の参照信号を構成する必要がなくなり、リソースの有効利用が図られる。送信先が同じため、送信先が同じＥＰＤＣＣＨとＥＰＨＩＣＨとについて、ＥＰＤＣＣＨに用いられる第二の参照信号とＥＰＨＩＣＨに用いられる第二の参照信号を共通化することができる。
【０１１３】
下りリンクのＡＣＫ／ＮＡＣＫ、ＥＰＨＩＣＨ、ＰＵＳＣＨで送信されるデータとの対応関係について説明する。１つの下りリンクサブフレームにおいて、構成されるＡＣＫ／ＮＡＣＫにインデックス付けが行われる。ＥＰＨＩＣＨ  ｓｅｔ毎に構成されるＡＣＫ／ＮＡＣＫにインデックス付けが行われる。言い換えると、複数のＥＰＨＩＣＨ  ｓｅｔを通したＡＣＫ／ＮＡＣＫのインデックス付けは行われず、ＥＰＨＩＣＨ  ｓｅｔ内に閉じられてＡＣＫ／ＮＡＣＫにインデックス付けが行われる。１つのＥＰＨＩＣＨに複数のＡＣＫ／ＮＡＣＫが配置されることが可能であり、インデックスの小さいＥＰＨＩＣＨから順に、インデックスの低い複数のＡＣＫ／ＮＡＣＫが対応する。ＰＵＳＣＨで送信されるデータに対するＡＣＫ／ＮＡＣＫが配置されるＥＰＨＩＣＨは、そのＰＵＳＣＨに用いられる１つ以上のＵＬ  ＰＲＢ  ｐａｉｒの中でインデックスの最も小さいＵＬ  ＰＲＢ  ｐａｉｒのインデックスと、そのＵＬ  ＰＲＢ  ｐａｉｒ内に配置されるＤＭ  ＲＳのサイクリックシフト（値）とに基づき対応付けられる。あるＥＰＨＩＣＨ  ｓｅｔのＥＰＨＩＣＨは、そのＥＰＨＩＣＨ  ｓｅｔと予め対応付けられたＥＰＤＣＣＨ  ｓｅｔに配置されたＥＰＤＣＣＨでリソースが割り当てられたＰＵＳＣＨと対応付けられる。次に、ＰＵＳＣＨで送信されるデータに対するＡＣＫ／ＮＡＣＫは、対応付けられるＥＰＨＩＣＨに配置されうる複数のＡＣＫ／ＮＡＣＫの中から、そのＰＵＳＣＨに用いられる１つ以上のＵＬ  ＰＲＢ  ｐａｉｒの中でインデックスの最も小さいＵＬ  ＰＲＢ  ｐａｉｒのインデックスと、そのＵＬ  ＰＲＢ  ｐａｉｒ内に配置されるＤＭ  ＲＳのサイクリックシフト（値）とに基づき対応付けられる。なお、それぞれの対応付けにおいて、その他のパラメータが更に考慮されてもよい。例えば、上りリンクグラントに、ＥＰＨＩＣＨに対するオフセットを示すパラメータが構成されてもよい。
【０１１４】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部（第二の受信処理部）１０１、無線リソース制御部（第二の無線リソース制御部）１０３、制御部（第二の制御部）１０５、および、送信処理部（第二の送信処理部）１０７を含んで構成される。
【０１１５】
受信処理部１０１は、制御部１０５の指示に従い、受信アンテナ１０９により端末装置５から受信した、ＰＵＣＣＨ、ＰＵＳＣＨの受信信号をＤＭ  ＲＳを用いて復調し、復号して、制御情報、情報データを抽出する。受信処理部１０１は、自装置が端末装置５にＰＵＣＣＨのリソースを割り当てた上りリンクサブフレーム、ＵＬ  ＰＲＢに対してＵＣＩを抽出する処理を行なう。受信処理部１０１は、何れの上りリンクサブフレーム、何れのＵＬ  ＰＲＢに対してどのような処理を行なうかを制御部１０５から指示される。例えば、受信処理部１０１は、ＡＣＫ／ＮＡＣＫ用のＰＵＣＣＨ（ＰＵＣＣＨ  ｆｏｒｍａｔ  １ａ、ＰＵＣＣＨ  ｆｏｒｍａｔ  １ｂ）の信号に対して時間領域での符号系列の乗算と合成、周波数領域での符号系列の乗算と合成を行う検出処理を制御部１０５から指示される。また、受信処理部１０１は、ＰＵＣＣＨからＵＣＩを検出する処理に用いる周波数領域の符号系列および／または時間領域の符号系列を制御部１０５から指示される。受信処理部１０１は、抽出したＵＣＩを制御部１０５に出力し、情報データを上位層に出力する。
【０１１６】
また、受信処理部１０１は、制御部１０５の指示に従い、受信アンテナ１０９により端末装置５から受信したＰＲＡＣＨの受信信号から、プリアンブル系列を検出（受信）する。また、受信処理部１０１は、プリアンブル系列の検出と共に、到来タイミング（受信タイミング）の推定も行う。受信処理部１０１は、自装置がＰＲＡＣＨのリソースを割り当てた上りリンクサブフレーム、ＵＬ  ＰＲＢ  ｐａｉｒに対してプリアンブル系列を検出する処理を行う。受信処理部１０１は、推定した到来タイミングに関する情報を制御部１０５に出力する。
【０１１７】
また、受信処理部１０１は、端末装置５から受信したＳＲＳを用いて１個以上のＵＬ  ＰＲＢ（ＵＬ  ＰＲＢ  ｐａｉｒ）のチャネル品質を測定する。また、受信処理部１０１は、端末装置５から受信したＳＲＳを用いて上りリンクの同期ずれを検出（算出、測定）する。受信処理部１０１は、何れの上りリンクサブフレーム、何れのＵＬ  ＰＲＢ（ＵＬ  ＰＲＢ  ｐａｉｒ）に対してどのような処理を行うかを制御部１０５から指示される。受信処理部１０１は、測定したチャネル品質、検出した上りリンクの同期ずれに関する情報を制御部１０５に出力する。受信処理部１０１の詳細については、後述する。
【０１１８】
また、受信処理部１０１は、ＰＵＳＣＨの信号を復調して得られた巡回冗長検査（Cyclic Redundancy Check: CRC）符号を制御部１０５に出力する。端末装置３の送信処理部４０７は情報データからＣＲＣ符号を生成し、情報データとＣＲＣ符号をＰＵＳＣＨで送信する。ＣＲＣ符号は、ＰＵＳＣＨに含まれるデータが誤っているか、誤っていないかを判断するために使われる。例えば、基地局装置３において予め決められた生成多項式を用いてデータから生成された情報と、端末装置５において生成され、ＰＵＳＣＨで送信されたＣＲＣ符号とが同じ場合はデータが誤っていないと判断され、基地局装置３において予め決められた生成多項式を用いてデータから生成された情報と、端末装置５において生成され、ＰＤＳＣＨで送信されたＣＲＣ符号とが異なる場合はデータが誤っていると判断される。
【０１１９】
無線リソース制御部１０３は、ＥＰＤＣＣＨに対するリソースの割り当て、ＥＰＨＩＣＨに対するリソースの割り当て、ＰＵＣＣＨに対するリソースの割り当て、ＰＤＳＣＨに対するリソースの割り当て、ＰＵＳＣＨに対するリソースの割り当て、ＰＲＡＣＨに対するリソースの割り当て、ＳＲＳに対するリソースの割り当て、ＤＭ  ＲＳのサイクリックシフト（値）の割り当て、各種チャネルの変調方式・符号化率・送信電力制御値・プリコーディング処理に用いる位相回転量（重み付け値）、第一の参照信号と第二の参照信号のプリコーディング処理に用いる位相回転量（重み付け値）などを設定する。無線リソース制御部１０３は、端末装置５に対して割り当てるＰＵＳＣＨのＵＬ  ＰＲＢ  ｐａｉｒ、端末装置５に対して割り当てるＤＭ  ＲＳのサイクリックシフト（値）を、端末装置５に対して割り当てるＥＰＨＩＣＨを考慮して設定する。
【０１２０】
なお、無線リソース制御部１０３は、ＰＵＣＣＨに対する周波数領域の符号系列、時間領域の符号系列なども設定する。また、無線リソース制御部１０３は、複数のＥＰＤＣＣＨ  ｓｅｔを設定し、それぞれのＥＰＤＣＣＨ  ｓｅｔに用いるＤＬ  ＰＲＢ  ｐａｉｒを設定する。また、無線リソース制御部１０３は、それぞれの端末装置５に対するそれぞれのＥＰＤＣＣＨ  ｓｅｔのＥＣＣＥのリソースマッピングの方法、Ｓｅａｒｃｈ  ｓｐａｃｅを設定する。また、無線リソース制御部１０３は、ＥＰＨＩＣＨが配置されうるＤＬ  ＰＲＢ  ｐａｉｒを設定する。また、無線リソース制御部１０３は、ＥＰＨＩＣＨ  ｓｅｔ毎に、下りリンクサブフレームに配置されうるＥＰＨＩＣＨ（下りリンクのＡＣＫ／ＮＡＣＫ）の総数を設定する。また、無線リソース制御部１０３は、ＥＰＤＣＣＨ  ｓｅｔとＥＰＨＩＣＨ  ｓｅｔの対応付けを設定する。無線リソース制御部１０３で設定された情報の一部は送信処理部１０７を介して端末装置５に通知され、例えば、ＥＰＤＣＣＨ  ｓｅｔのＤＬ  ＰＲＢ  ｐａｉｒを示す情報、ＥＰＤＣＣＨ  ｓｅｔのリソースマッピングの方法を示す情報、ＥＰＨＩＣＨが配置されうるＤＬ  ＰＲＢ  ｐａｉｒを示す情報、ＥＰＨＩＣＨ（下りリンクのＡＣＫ／ＮＡＣＫ）の総数に関する情報、ＥＰＤＣＣＨ  ｓｅｔとＥＰＨＩＣＨ  ｓｅｔとの対応付けを示す情報が端末装置５に通知される。
【０１２１】
また、無線リソース制御部１０３は、受信処理部１０１においてＰＵＣＣＨを用いて取得され、制御部１０５を介して入力されたＵＣＩに基づいてＰＤＳＣＨの無線リソースの割り当てなどを設定する。例えば、無線リソース制御部１０３は、ＰＵＣＣＨを用いて取得されたＡＣＫ／ＮＡＣＫが入力された場合、ＡＣＫ／ＮＡＣＫでＮＡＣＫが示されたＰＤＳＣＨのリソースの割り当てを端末装置５に対して行なう。
【０１２２】
無線リソース制御部１０３は、各種制御信号を制御部１０５に出力する。例えば、制御信号は、ＥＰＤＣＣＨのリソースマッピングの方法を示す制御信号、ＥＰＤＣＣＨのリソースの割り当てを示す制御信号、ＥＰＨＩＣＨのリソースの割り当てを示す制御信号などである。
【０１２３】
制御部１０５は、無線リソース制御部１０３から入力された制御信号に基づき、ＰＤＳＣＨに対するＤＬ  ＰＲＢ  ｐａｉｒの割り当て、ＥＰＤＣＣＨに対するリソースの割り当て、ＥＰＨＩＣＨに対するリソースの割り当て、ＰＤＳＣＨに対する変調方式の設定、ＰＤＳＣＨおよびＥＰＤＣＣＨに対する符号化率（ＥＰＤＣＣＨのＥＣＣＥ  ａｇｇｒｅｇａｔｉｏｎ  ｎｕｍｂｅｒ）の設定、ＥＣＣＥの信号を送信するアンテナポートの設定、ＥＰＨＩＣＨの信号を送信するアンテナポートの設定、ＰＤＳＣＨおよびＥＰＤＣＣＨおよびＥＰＨＩＣＨおよび第一の参照信号および第二の参照信号に対するプリコーディング処理の設定などの制御を送信処理部１０７に対して行なう。制御部１０５は、ＰＵＳＣＨのリソース割り当て情報の伝達に用いられるＥＰＤＣＣＨが配置されるＥＰＤＣＣＨ  ｓｅｔからＥＰＨＩＣＨのリソースが割り当てられるＥＰＨＩＣＨ  ｓｅｔを判断し、ＰＵＳＣＨに割り当てられたＵＬ  ＰＲＢ  ｐａｉｒ、ＤＭ  ＲＳのサイクリックシフトからＥＰＨＩＣＨ  ｓｅｔ内で割り当てられるＥＰＨＩＣＨのリソースを判断する。
【０１２４】
また、制御部１０５は、無線リソース制御部１０３から入力された制御信号に基づき、ＥＰＤＣＣＨを用いて送信されるＤＣＩを生成し、送信処理部１０７に出力する。ＥＰＤＣＣＨを用いて送信されるＤＣＩは、下りリンクアサインメント、上りリンクグラントなどである。また、制御部１０５は、ＥＰＤＣＣＨ  ｓｅｔを示す情報、ＥＰＤＣＣＨ  ｓｅｔのリソースマッピングの方法を示す情報、ＥＰＨＩＣＨが配置されうるＤＬ  ＰＲＢ  ｐａｉｒを示す情報、ＥＰＨＩＣＨの総数を示す情報、ＥＰＤＣＣＨ  ｓｅｔとＥＰＨＩＣＨ  ｓｅｔとの対応付けを示す情報などを、送信処理部１０７を介して、端末装置５にＰＤＳＣＨを用いて送信するように制御を行なう。
【０１２５】
制御部１０５は、無線リソース制御部１０３から入力された制御信号に基づき、ＰＵＳＣＨに対するＵＬ  ＰＲＢ  ｐａｉｒの割り当て、ＤＭ  ＲＳのサイクリックシフト値の割り当て、ＰＵＣＣＨに対するリソースの割り当て、ＰＵＳＣＨおよびＰＵＣＣＨの変調方式の設定、ＰＵＳＣＨの符号化率の設定、ＰＵＣＣＨに対する検出処理、ＰＵＣＣＨに対する符号系列の設定、ＰＲＡＣＨに対するリソースの割り当て、ＳＲＳに対するリソースの割り当てなどの制御を受信処理部１０１に対して行なう。また、制御部１０５は、端末装置５によってＰＵＣＣＨを用いて送信されたＵＣＩが受信処理部１０１より入力され、入力されたＵＣＩを無線リソース制御部１０３に出力する。
【０１２６】
また、制御部１０５は、受信処理部１０１より、検出されたプリアンブル系列の到来タイミングを示す情報、受信されたＳＲＳから検出された上りリンクの同期ずれを示す情報が入力され、上りリンクの送信タイミングの調整値（TA: Timing Advance、Timing Adjustment、Timing Alignment）（TA value）を算出する。算出された上りリンクの送信タイミングの調整値を示す情報（TA command）は、送信処理部１０７を介して端末装置５に通知される。
【０１２７】
制御部１０５は、受信処理部１０１より入力されたデータから予め決められた生成多項式を用いて生成した情報と、受信処理部１０１より入力されたＣＲＣ符号とを比較し、データが誤っているか否かを判断し、ＡＣＫ／ＮＡＣＫを生成する。生成されたＡＣＫ／ＮＡＣＫは、無線リソース制御部１０３から指定されたＥＰＨＩＣＨを用いて送信処理部１０７から送信される。
【０１２８】
送信処理部１０７は、制御部１０５から入力された制御信号に基づき、ＥＰＤＣＣＨ、ＥＰＨＩＣＨ、ＰＤＳＣＨを用いて送信する信号を生成して、送信アンテナ１１１を介して送信する。送信処理部１０７は、無線リソース制御部１０３から入力された、ＥＰＤＣＣＨ  ｓｅｔを示す情報、ＥＰＤＣＣＨ  ｓｅｔのリソースマッピングの方法を示す情報、ＥＰＨＩＣＨが配置されうるＤＬ  ＰＲＢ  ｐａｉｒを示す情報、ＥＰＨＩＣＨ（下りリンクのＡＣＫ／ＮＡＣＫ）の総数を示す情報、上位層から入力された情報データ等を、ＰＤＳＣＨを用いて端末装置５に対して送信し、制御部１０５から入力されたＤＣＩをＥＰＤＣＣＨを用いて端末装置５に対して送信する。また、送信処理部１０７は、第一の参照信号、第二の参照信号を送信する。なお、説明の簡略化のため、以降、情報データは数種の制御に関する情報を含むものとする。送信処理部１０７の詳細については、後述する。
【０１２９】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の共用チャネル処理部２０１−１〜２０１−Ｍ（以下、共用チャネル処理部２０１−１〜２０１−Ｍを合わせて共用チャネル処理部２０１と表す）、複数の制御チャネル処理部２０３−１〜２０３−Ｍ（以下、制御チャネル処理部２０３−１〜２０３−Ｍを合わせて制御チャネル処理部２０３と表す）、下りリンク参照信号処理部２０５、プリコーディング処理部２３１、多重部２０７、ＩＦＦＴ（Inverse Fast Fourier Transform; 高速逆フーリエ変換）部２０９、ＧＩ（Guard Interval; ガードインターバル）挿入部２１１、Ｄ／Ａ（Digital/Analog converter; ディジタルアナログ変換）部２１３、送信ＲＦ（Radio Frequency; 無線周波数）部２１５、および、送信アンテナ１１１を含んで構成される。なお、各共用チャネル処理部２０１、各制御チャネル処理部２０３は、それぞれ、同様の構成および機能を有するので、その一つを代表して説明する。なお、説明の簡略化のため、送信アンテナ１１１は、複数の送信アンテナをまとめたものとする。
【０１３０】
また、この図に示すように、共用チャネル処理部２０１は、それぞれ、ターボ符号部２１９、データ変調部２２１およびプリコーディング処理部２２９を備える。また、この図に示すように、制御チャネル処理部２０３は、畳み込み符号部２２３、ＱＰＳＫ変調部２２５およびプリコーディング処理部２２７を備える。共用チャネル処理部２０１は、ＰＤＳＣＨの処理を行う。制御チャネル処理部２０３は、ＥＰＤＣＣＨ、ＥＰＨＩＣＨの処理を行う。
【０１３１】
共用チャネル処理部２０１は、端末装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調; Quadrature Phase Shift Keying）、１６ＱＡＭ（16値直交振幅変調; 16 Quadrature Amplitude Modulation）、６４ＱＡＭ（64値直交振幅変調; 64 Quadrature Amplitude Modulation）のような変調方式で変調し、変調シンボルの信号系列を生成する。データ変調部２２１は、生成した信号系列を、プリコーディング処理部２２９に出力する。プリコーディング処理部２２９は、データ変調部２２１から入力された信号に対してプリコーディング処理を行い、多重部２０７に出力する。
【０１３２】
制御チャネル処理部２０３は、制御部１０５から入力された制御情報（ＤＣＩ、ＡＣＫ／ＮＡＣＫ）を、ＯＦＤＭ方式で伝送するためのベースバンド信号処理を行なう。畳み込み符号部２２３は、制御部１０５から入力された符号化率に基づき、制御情報の誤り耐性を高めるための畳み込み符号化を行なう。ここで、制御情報はビット単位で制御される。なお、ＥＰＤＣＣＨで送信されるＤＣＩの符号化率は、設定されたＥＣＣＥ  ａｇｇｒｅｇａｔｉｏｎ  ｎｕｍｂｅｒと関連する。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化した制御情報をＱＰＳＫ変調部２２５に出力する。ＱＰＳＫ変調部２２５は、畳み込み符号部２２３が符号化した制御情報を、ＱＰＳＫ変調方式で変調し、変調した変調シンボルの信号系列を、プリコーディング処理部２２７に出力する。プリコーディング処理部２２７は、ＱＰＳＫ変調部２２５から入力された信号に対してプリコーディング処理を行い、多重部２０７に出力する。なお、プリコーディング処理部２２７は、ＱＰＳＫ変調部２２５から入力された信号に対してプリコーディング処理を行わず、多重部２０７に出力することができる。なお、下りリンクのＡＣＫ／ＮＡＣＫに対して畳み込み符号化ではなく、その他の符号化が適用されてもよい。たとえば、繰り返し符号化（Repetition coding）、単信符号化（Simplex coding）がＡＣＫ／ＮＡＣＫに適用されてもよい。そのような場合は、制御チャネル処理部２０３に畳み込み符号部２２３とは異なる符号化処理部が実装される。
【０１３３】
下りリンク参照信号処理部２０５は、端末装置５において既知の信号である下りリンク参照信号（第一の参照信号、第二の参照信号）を生成し、プリコーディング処理部２３１に出力する。プリコーディング処理部２３１は、下りリンク参照信号処理部２０５より入力された第一の参照信号、第二の参照信号に対してプリコーディング処理を行ない、多重部２０７に出力する。プリコーディング処理部２３１は、プリコーディング処理部２２９においてＰＤＳＣＨに行われる処理と同様の処理を第一の参照信号に対して行い、プリコーディング処理部２２７においてＥＰＤＣＣＨとＥＰＨＩＣＨとに行なわれる処理と同様の処理を第二の参照信号に対して行なう。
【０１３４】
多重部２０７は、下りリンク参照信号処理部２０５から入力された信号と、共用チャネル処理部２０１各々から入力された信号と、制御チャネル処理部２０３各々から入力された信号とを、制御部１０５からの指示に従って、下りリンクサブフレームに多重する。無線リソース制御部１０３によって設定されたＰＤＳＣＨに対するＤＬ  ＰＲＢ  ｐａｉｒの割り当て、ＥＰＨＩＣＨに対するリソースの割り当て、ＥＰＤＣＣＨに対するリソースの割り当て、ＥＰＤＣＣＨのリソースマッピングの方法に関する制御信号が制御部１０５に入力され、その制御信号に基づき、制御部１０５は多重部２０７の処理を制御する。例えば、多重部２０７は、それぞれのＥＰＨＩＣＨを異なるＥＣＣＥのリソースに多重する。多重部２０７は、多重化した信号を、ＩＦＦＴ部２０９に出力する。
【０１３５】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、端末装置５に送信する。
【０１３６】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital converter; アナログディジタル変換）部３０３、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、物理上りリンク制御チャネル検出部３２９、プリアンブル検出部３３１、およびＳＲＳ処理部３３３を含んで構成される。
【０１３７】
受信ＲＦ部３０１は、受信アンテナ１０９で受信された信号を、適切に増幅し、中間周波数に変換し（ダウンコンバート）、不要な周波数成分を除去し、信号レベルが適切に維持されるように増幅レベルを制御し、受信された信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をシンボルタイミング検出部３０９およびＧＩ除去部３１１に出力する。
【０１３８】
シンボルタイミング検出部３０９は、Ａ／Ｄ部３０３より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、Ａ／Ｄ部３０３より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する端末装置５のＩＦＦＴ部のポイント数と等しい。
【０１３９】
サブキャリアデマッピング部３１５は、制御部１０５から入力された制御信号に基づき、ＦＦＴ部３１３が復調した信号を、ＤＭ  ＲＳと、ＳＲＳと、ＰＵＳＣＨの信号と、ＰＵＣＣＨの信号とに分離する。サブキャリアデマッピング部３１５は、分離したＤＭ  ＲＳを伝搬路推定部３１７に出力し、分離したＳＲＳをＳＲＳ処理部３３３に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【０１４０】
伝搬路推定部３１７は、サブキャリアデマッピング部３１５が分離したＤＭ  ＲＳと既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【０１４１】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、端末装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【０１４２】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【０１４３】
物理上りリンク制御チャネル検出部３２９は、ＰＵＣＣＨ用の伝搬路等化部３２１から入力された信号を復調、復号し、ＵＣＩを検出する。物理上りリンク制御チャネル検出部３２９は、周波数領域、および／または時間領域で符号多重された信号を分離する処理を行なう。物理上りリンク制御チャネル検出部３２９は、送信側で用いられた符号系列を用いて周波数領域、および／または時間領域で符号多重されたＰＵＣＣＨの信号からＡＣＫ／ＮＡＣＫ、ＳＲ、ＣＱＩを検出するための処理を行う。具体的には、物理上りリンク制御チャネル検出部３２９は、周波数領域での符号系列を用いた検出処理、つまり周波数領域で符号多重された信号を分離する処理として、ＰＵＣＣＨのサブキャリア毎の信号に対して符号系列の各符号を乗算した後、各符号を乗算した信号を合成する。具体的には、物理上りリンク制御チャネル検出部３２９は、時間領域での符号系列を用いた検出処理、つまり時間領域での符号多重された信号を分離する処理として、ＰＵＣＣＨのＳＣ−ＦＤＭＡシンボル毎の信号に対して符号系列の各符号を乗算した後、各符号を乗算した信号を合成する。なお、物理上りリンク制御チャネル検出部３２９は、制御部１０５からの制御信号に基づき、ＰＵＣＣＨの信号に対する検出処理を設定する。
【０１４４】
ＳＲＳ処理部３３３は、サブキャリアデマッピング部３１５から入力されたＳＲＳを用いて、チャネル品質を測定し、ＵＬ  ＰＲＢ（ＵＬ  ＰＲＢ  ｐａｉｒ）のチャネル品質の測定結果を制御部１０５に出力する。ＳＲＳ処理部３３３は、どの上りリンクサブフレーム、どのＵＬ  ＰＲＢ（ＵＬ  ＰＲＢ  ｐａｉｒ）の信号に対して端末装置５のチャネル品質の測定を行うかが制御部１０５より指示される。また、ＳＲＳ処理部３３３は、サブキャリアデマッピング部３１５から入力されたＳＲＳを用いて、上りリンクの同期ずれを検出し、上りリンクの同期ずれを示す情報（同期ずれ情報）を制御部１０５に出力する。なお、ＳＲＳ処理部３３３は、時間領域の受信信号から上りリンクの同期ずれを検出する処理を行うようにしてもよい。具体的な処理は、後述するプリアンブル検出部３３１で行われる処理と同等の処理を行うようにしてもよい。
【０１４５】
プリアンブル検出部３３１は、Ａ／Ｄ部３０３より入力された信号に基づいて、ＰＲＡＣＨに相当する受信信号に対して送信されたプリアンブルを検出（受信）する処理を行う。具体的には、プリアンブル検出部３３１は、ガードタイム内の様々なタイミングの受信信号に対して、送信される可能性のある、各プリアンブル系列を用いて生成したレプリカの信号との相関処理を行う。例えば、プリアンブル検出部３３１は、相関値が予め設定された閾値よりも高かった場合、相関処理に用いられたレプリカの信号の生成に用いられたプリアンブル系列と同一の信号が、端末装置５より送信されたと判断する。そして、プリアンブル検出部３３１は、最も相関値の高いタイミングをプリアンブル系列の到来タイミングと判断する。そして、プリアンブル検出部３３１は、検出したプリアンブル系列を示す情報と、到来タイミングを示す情報を少なくとも含むプリアンブル検出情報を生成し、制御部１０５に出力する。
【０１４６】
制御部１０５は、基地局装置３が、端末装置５にＥＰＤＣＣＨを用いて送信した制御情報（ＤＣＩ）、及びＰＤＳＣＨを用いて送信した制御情報（ＲＲＣシグナリング）に基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が端末装置５に送信した制御情報に基づき、各端末装置５が送信した（送信した可能性のある）ＰＲＡＣＨ、ＰＵＳＣＨ、ＰＵＣＣＨ、ＳＲＳがどのリソース（上りリンクサブフレーム、ＵＬ  ＰＲＢ（ＵＬ  ＰＲＢ  ｐａｉｒ）、周波数領域の符号系列、時間領域の符号系列）により構成されているかを把握している。
【０１４７】
＜端末装置５の全体構成＞
以下、図４、図５、図６を用いて、本実施形態に係る端末装置５の構成について説明する。図４は、本発明の実施形態に係る端末装置５の構成を示す概略ブロック図である。この図に示すように、端末装置５は、受信処理部（第一の受信処理部）４０１、無線リソース制御部（第一の無線リソース制御部）４０３、制御部（第一の制御部）４０５、送信処理部（第一の送信処理部）４０７を含んで構成される。
【０１４８】
受信処理部４０１は、基地局装置３から信号を受信し、制御部４０５の指示に従い、受信信号を復調して、復号する。受信処理部４０１は、ＥＰＨＩＣＨの信号を受信し、第二の参照信号を用いてＥＰＨＩＣＨの信号を復調し、復調して得られた信号を復号し、復号して得られたＡＣＫ／ＮＡＣＫ情報を制御部４０５に出力する。受信処理部４０１は、自装置宛てのＥＰＤＣＣＨの信号を検出した場合は、ＥＰＤＣＣＨの信号を復号して取得したＤＣＩを制御部４０５に出力する。例えば、受信処理部４０１は、基地局装置３から指定されたＥＰＤＣＣＨ  ｓｅｔ内のＳｅａｒｃｈ  Ｓｐａｃｅにおいて自装置宛てのＥＰＤＣＣＨを検出する処理を行う。例えば、受信処理部４０１は、基地局装置３から指定されたＥＰＤＣＣＨ  ｓｅｔ内の第二の参照信号を用いて伝搬路の推定を行い、ＥＰＤＣＣＨの信号の復調を行ない、自装置宛ての制御情報を含む信号を検出する処理を行う。例えば、受信処理部４０１は、検出処理を行なうＥＰＤＣＣＨ  ｃａｎｄｉｄａｔｅを構成するＥＣＣＥ、またはＥＲＥＧと対応するアンテナポートの第二の参照信号を用いてＥＰＤＣＣＨの信号の復調を行う。
【０１４９】
また、受信処理部４０１は、ＥＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。ＥＰＤＣＣＨに含まれるＤＣＩの中で下りリンクアサインメントがＰＤＳＣＨのリソースの割り当てを示す情報を含む。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、ＥＰＤＣＣＨ  ｓｅｔのＤＬ  ＰＲＢ  ｐａｉｒを示す情報、ＥＰＤＣＣＨ  ｓｅｔのリソースマッピングの方法を示す情報、ＥＰＨＩＣＨが配置されうるＤＬ  ＰＲＢ  ｐａｉｒを示す情報、ＥＰＨＩＣＨ（下りリンクのＡＣＫ／ＮＡＣＫ）の総数を示す情報、ＥＰＤＣＣＨ  ｓｅｔとＥＰＨＩＣＨ  ｓｅｔとの対応付けを示す情報を含む。
【０１５０】
また、受信処理部４０１は、ＰＤＳＣＨに含まれるＣＲＣ符号を制御部４０５に出力する。基地局装置３の説明では省略したが、基地局装置３の送信処理部１０７は情報データからＣＲＣ符号を生成し、情報データとＣＲＣ符号をＰＤＳＣＨで送信する。ＣＲＣ符号は、ＰＤＳＣＨに含まれるデータが誤っているか、誤っていないかを判断するために使われる。例えば、端末装置５において予め決められた生成多項式を用いてデータから生成された情報と、基地局装置３において生成され、ＰＤＳＣＨで送信されたＣＲＣ符号とが同じ場合はデータが誤っていないと判断され、端末装置５において予め決められた生成多項式を用いてデータから生成された情報と、基地局装置３において生成され、ＰＤＳＣＨで送信されたＣＲＣ符号とが異なる場合はデータが誤っていると判断される。
【０１５１】
制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、無線リソース制御部４０３からの指示に基づき、受信処理部４０１、送信処理部４０７を制御する。例えば、制御部４０５は、無線リソース制御部４０３から指示されたＥＰＤＣＣＨ  ｓｅｔのＤＬ  ＰＲＢ  ｐａｉｒ内の信号に対してＥＰＤＣＣＨを検出する処理を行なうように受信処理部４０１を制御する。例えば、制御部４０５は、無線リソース制御部４０３から指示されたＥＰＤＣＣＨ  ｓｅｔのリソースマッピングの方法を示す情報に基づき、ＥＰＤＣＣＨ  ｓｅｔのＥＣＣＥのリソースのデマッピングを行なうように受信処理部４０１を制御する。例えば、制御部４０５は、無線リソース制御部４０３から指示されたＥＰＨＩＣＨが配置されうるＤＬ  ＰＲＢ  ｐａｉｒ内の信号に対してＥＰＨＩＣＨを検出し、ＥＰＨＩＣＨに配置された信号を復調、復号する処理を行なうように受信処理部４０１を制御する。例えば、制御部４０５は、無線リソース制御部４０３から指示されたＥＰＨＩＣＨの総数を示す情報に基づき、送信されたＰＵＳＣＨと対応するＥＰＨＩＣＨを検出し、ＡＣＫ／ＮＡＣＫ情報を抽出する処理を行うように受信処理部４０１を制御する。例えば、制御部４０５は、無線リソース制御部４０３から指示されたＥＰＤＣＣＨ  ｓｅｔとＥＰＨＩＣＨ  ｓｅｔとの対応付けを示す情報に基づき、ＰＵＳＣＨのリソース割り当て情報を含むＥＰＤＣＣＨが受信されたＥＰＤＣＣＨ  ｓｅｔと対応付けられるＥＰＨＩＣＨ  ｓｅｔにおいてＥＰＨＩＣＨを検出するように受信処理部４０１を制御する。
【０１５２】
また、制御部４０５は、ＥＰＤＣＣＨ  ｓｅｔ内でＥＰＤＣＣＨを検出する処理を実行する領域を受信処理部４０１に対して制御する。具体的には、制御部４０５は、それぞれのＥＰＤＣＣＨ  ｓｅｔに対して、Ｓｅａｒｃｈ  ｓｐａｃｅを設定するＥＣＣＥ  ａｇｇｒｅｇａｔｉｏｎ  ｎｕｍｂｅｒ、ＥＰＤＣＣＨ  ｓｅｔ内でＥＰＤＣＣＨを検出する処理を実行するＥＰＤＣＣＨ候補を、それぞれのＥＣＣＥ  ａｇｇｒｅｇａｔｉｏｎ  ｎｕｍｂｅｒ毎に受信処理部４０１に指示（設定）する。また、制御部４０５は、ＥＰＤＣＣＨ、ＥＰＨＩＣＨの信号の復調に対応するアンテナポートの第二の参照信号を用いるように受信処理部４０１を制御する。
【０１５３】
制御部４０５は、ＥＰＨＩＣＨが配置されうるＤＬ  ＰＲＢ  ｐａｉｒを示す情報、ＥＰＨＩＣＨ（下りリンクのＡＣＫ／ＮＡＣＫ）の総数を示す情報、ＰＵＳＣＨに用いられるＵＬ  ＰＲＢ  ｐａｉｒを示す情報、ＤＭ  ＲＳのサイクリックシフト値を示す情報に基づき、送信処理部４０７が送信したＰＵＳＣＨのトランスポートブロックに対応するＡＣＫ／ＮＡＣＫ情報を含むＥＰＨＩＣＨを判断し、受信処理部４０１を制御する。なお、制御部４０５は、ＥＰＤＣＣＨ  ｓｅｔとＥＰＨＩＣＨ  ｓｅｔとの対応付けは無線リソース制御部４０３から指示されており、ＥＰＨＩＣＨ  ｓｅｔ内の何れのＥＰＨＩＣＨに送信処理部４０７が送信したＰＵＳＣＨのトランスポートブロックに対応するＡＣＫ／ＮＡＣＫ情報が含まれるかを上述のように判断する。制御部４０５は、上述のように、ＰＵＳＣＨに用いられるＵＬ  ＰＲＢ  ｐａｉｒと、ＤＭ  ＲＳのサイクリックシフト値と、ＥＰＨＩＣＨと、ＥＰＨＩＣＨ内のＡＣＫ／ＮＡＣＫとの対応付け規則を予め認識している。
【０１５４】
また、制御部４０５は、ＥＰＤＣＣＨを用いて基地局装置３から送信され、受信処理部４０１より入力されたＤＣＩに基づいて、受信処理部４０１、送信処理部４０７を制御する。具体的には、制御部４０５は検出された下りリンクアサインメントに主に基づき受信処理部４０１を制御し、検出された上りリンクグラントに主に基づき送信処理部４０７を制御する。また、制御部４０５は下りリンクアサインメントに含まれるＰＵＣＣＨの送信電力制御コマンドを示す制御情報に基づき送信処理部４０７を制御する。制御部４０５は、受信処理部４０１より入力されたデータから予め決められた生成多項式を用いて生成した情報と、受信処理部４０１より入力されたＣＲＣ符号とを比較し、データが誤っているか否かを判断し、ＡＣＫ／ＮＡＣＫを生成する。生成されたＡＣＫ／ＮＡＣＫは、送信処理部４０７から送信される。また、制御部４０５は、無線リソース制御部４０３からの指示に基づき、ＳＲ、ＣＱＩを生成する。また、制御部４０５は、基地局装置３から通知された上りリンクの送信タイミングの調整値等に基づいて、送信処理部４０７の信号の送信タイミングを制御する。
【０１５５】
無線リソース制御部４０３は、基地局装置３の無線リソース制御部１０３で生成され、基地局装置３より通知された制御情報を記憶して保持すると共に、制御部４０５を介して受信処理部４０１、送信処理部４０７の制御を行なう。つまり、無線リソース制御部４０３は、各種パラメータなどを保持するメモリの機能を備える。例えば、無線リソース制御部４０３は、ＥＰＤＣＣＨ  ｓｅｔのＤＬ  ＰＲＢ  ｐａｉｒに関する情報、ＥＰＤＣＣＨ  ｓｅｔのリソースマッピングの方法に関する情報、ＥＰＨＩＣＨが配置されうるＤＬ  ＰＲＢ  ｐａｉｒに関する情報、ＥＰＨＩＣＨ（下りリンクＡＣＫ／ＮＡＣＫ）の総数に関する情報、ＥＰＤＣＣＨ  ｓｅｔとＥＰＨＩＣＨ  ｓｅｔとの対応付けを示す情報を保持し、各種制御信号を制御部４０５に出力する。無線リソース制御部４０３は、基地局装置３より受信したＲＲＣシグナリングに基づき、ＥＰＤＣＣＨ  ｓｅｔとＥＰＨＩＣＨ  ｓｅｔとの対応付けを判断する。無線リソース制御部４０３は、ＰＵＳＣＨ、ＰＵＣＣＨ、ＳＲＳ、ＰＲＡＣＨの送信電力に関連するパラメータを保持し、基地局装置３より通知されたパラメータを用いるように制御信号を制御部４０５に出力する。
【０１５６】
無線リソース制御部４０３は、ＰＵＣＣＨ、ＰＵＳＣＨ、ＳＲＳ、ＰＲＡＣＨなどの送信電力に関連するパラメータの値を設定する。無線リソース制御部４０３において設定された送信電力の値は、制御部４０５により送信処理部４０７に対して出力される。なお、ＰＵＣＣＨと同じＵＬ  ＰＲＢ内のリソースより構成されるＤＭ  ＲＳは、ＰＵＣＣＨと同じ送信電力制御が行なわれる。なお、ＰＵＳＣＨと同じＵＬ  ＰＲＢのリソースより構成されるＤＭ  ＲＳは、ＰＵＳＣＨと同じ送信電力制御が行なわれる。無線リソース制御部４０３は、ＰＵＳＣＨに対して、ＰＵＳＣＨに割り当てられるＵＬ  ＰＲＢ  ｐａｉｒの数に基づくパラメータ、予め基地局装置３より通知されたセル固有、および端末装置固有のパラメータ、ＰＵＳＣＨに用いられる変調方式に基づくパラメータ、推定されたパスロスの値に基づくパラメータ、基地局装置３より通知された送信電力制御コマンドに基づくパラメータなどの値を設定する。無線リソース制御部４０３は、ＰＵＣＣＨに対して、ＰＵＣＣＨの信号構成に基づくパラメータ、予め基地局装置３より通知されたセル固有、および端末装置固有のパラメータ、推定されたパスロスの値に基づくパラメータ、通知された送信電力制御コマンドに基づくパラメータなどの値を設定する。
【０１５７】
なお、送信電力に関連するパラメータとして、セル固有、および端末装置固有のパラメータはＰＤＳＣＨを用いて基地局装置３より通知され、送信電力制御コマンドはＥＰＤＣＣＨを用いて基地局装置３より通知される。ＰＵＳＣＨに対する送信電力制御コマンドは上りリンクグラントに含まれ、ＰＵＣＣＨに対する送信電力制御コマンドは下りリンクアサインメントに含まれる。なお、基地局装置３より通知された、送信電力に関連する各種パラメータは無線リソース制御部４０３において適宜記憶され、記憶された値が制御部４０５に入力される。
【０１５８】
送信処理部４０７は、制御部４０５の指示に従い、情報データ（トランスポートブロック）、ＵＣＩを符号化および変調した信号をＰＵＳＣＨ、ＰＵＣＣＨのリソースを用いて、基地局装置３に送信アンテナ４１１を介して送信する。また、送信処理部４０７は、制御部４０５の指示に従い、ＰＵＳＣＨ、ＰＵＣＣＨ、ＳＲＳ、ＤＭ  ＲＳ、ＰＲＡＣＨの送信電力を設定する。送信処理部４０７の詳細については後述する。
【０１５９】
＜端末装置５の受信処理部４０１＞
以下、端末装置５の受信処理部４０１の詳細について説明する。図５は、本発明の実施形態に係る端末装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、第一の伝搬路補償部５１５、共用チャネル復号部５１７、第二の伝搬路補償部５１９、制御チャネル復号部５２１、およびデマッピング部５３３を含んで構成される。また、この図に示すように、共用チャネル復号部５１７は、データ復調部５２３、および、ターボ復号部５２５、を備える。また、この図に示すように、制御チャネル復号部５２１は、ＱＰＳＫ復調部５２７、および、ビタビデコーダ部５２９、を備える。
【０１６０】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１６１】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１６２】
多重分離部５１１は、制御部４０５から入力された制御信号に基づき、ＦＦＴ部５０９が復調した信号を、ＥＰＤＣＣＨの信号と、ＥＰＨＩＣＨの信号と、ＰＤＳＣＨの信号とに分離する。多重分離部５１１は、分離したＰＤＳＣＨの信号を第一の伝搬路補償部５１５に出力し、また、分離したＥＰＤＣＣＨの信号と分離したＥＰＨＩＣＨの信号とを第二の伝搬路補償部５１９に出力する。例えば、多重分離部５１１は、自装置に指定されたＥＰＤＣＣＨ  ｓｅｔのＥＰＤＣＣＨの信号を第二の伝搬路補償部５１９に出力する。例えば、多重分離部５１１は、ＰＵＳＣＨで送信されたトランスポートブロックに対する下りリンクのＡＣＫ／ＮＡＣＫ情報を含むＥＰＨＩＣＨの信号を第二の伝搬路補償部５１９に出力する。また、多重分離部５１１は、第一の参照信号と第二の参照信号とが配置される下りリンクリソースエレメントを分離し、第一の参照信号と第二の参照信号とを伝搬路推定部５１３に出力する。例えば、多重分離部５１１は、自装置に指定されたＥＰＤＣＣＨ  ｓｅｔの第二の参照信号を伝搬路推定部５１３に出力する。例えば、多重分離部５１１は、ＥＰＨＩＣＨと同一のＤＬ  ＰＲＢ  ｐａｉｒ内の第二の参照信号を伝搬路推定部５１３に出力する。
【０１６３】
伝搬路推定部５１３は、多重分離部５１１が分離した参照信号（第一の参照信号と第二の参照信号）と既知の信号とを用いて伝搬路の変動を推定し、伝搬路の変動を補償するように、振幅および位相を調整するための伝搬路補償値を、第一の伝搬路補償部５１５（第一の参照信号に基づく伝搬路補償値が入力される）と、第二の伝搬路補償部５１９（第二の参照信号に基づく伝搬路補償値が入力される）に出力する。なお、伝搬路推定部５１３は、制御部４０５から指定された１つ以上のアンテナポート毎の第二の参照信号を用いて、ＥＰＤＣＣＨの信号とＥＰＨＩＣＨの信号との伝搬路推定および伝搬路補償値の生成を行う。
【０１６４】
第一の伝搬路補償部５１５は、多重分離部５１１が分離したＰＤＳＣＨの信号の振幅および位相を、伝搬路推定部５１３から入力された伝搬路補償値に従って調整する。第一の伝搬路補償部５１５は、あるＰＤＳＣＨの信号に対して伝搬路推定部５１３で第一の参照信号に基づいて生成された伝搬路補償値に従って調整する。第一の伝搬路補償部５１５は、伝搬路を調整した信号を共用チャネル復号部５１７のデータ復調部５２３に出力する。
【０１６５】
共用チャネル復号部５１７は、制御部４０５からの指示に基づき、ＰＤＳＣＨの復調、復号を行ない、情報データを検出する。データ復調部５２３は、伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣ符号も制御部４０５に出力される。
【０１６６】
第二の伝搬路補償部５１９は、多重分離部５１１が分離したＥＰＤＣＣＨの信号、ＥＰＨＩＣＨの信号の振幅および位相を、伝搬路推定部５１３から入力された伝搬路補償値に従って調整する。第二の伝搬路補償部５１９は、ＥＰＤＣＣＨの信号、ＥＰＨＩＣＨの信号に対して伝搬路推定部５１３で第二の参照信号に基づいて生成された伝搬路補償値に従って調整する。第二の伝搬路補償部５１９は、ＥＣＣＥ、またはＥＲＥＧの信号を、そのＥＣＣＥ、またはそのＥＲＥＧと対応するアンテナポートの第二の参照信号に基づいて生成された伝搬路補償値に従って調整する。第二の伝搬路補償部５１９は、調整した信号をデマッピング部５３３に出力する。
【０１６７】
デマッピング部５３３は、第二の伝搬路補償部５１９より入力された信号に対して、ＥＰＤＣＣＨの信号に対してはＥＰＤＣＣＨ用のデマッピング、ＥＰＨＩＣＨの信号に対してはＥＰＨＩＣＨ用のデマッピングを行う。更に、デマッピング部５３３は、第二の伝搬路補償部５１９より入力されたＥＰＤＣＣＨの信号に対して、Ｌｏｃａｌｉｚｅｄ  ｍａｐｐｉｎｇに対するデマッピング、またはＤｉｓｔｒｉｂｕｔｅｄ  ｍａｐｐｉｎｇに対するデマッピングを行う。デマッピング部５３３は、入力された第ＥＰＤＣＣＨの信号、ＥＰＨＩＣＨの信号に対して、制御チャネル復号部５２１においてＥＣＣＥ単位で処理が行われるように、入力されたＥＰＤＣＣＨの信号、ＥＰＨＩＣＨの信号をＥＣＣＥ単位の信号に変換する。デマッピング部５３３は、変換した信号を制御チャネル復号部５２１のＱＰＳＫ復調部５２７に出力する。
【０１６８】
制御チャネル復号部５２１は、以下のように、第二の伝搬路補償部５１９から入力された信号を復調、復号し、制御データを検出する。ＱＰＳＫ復調部５２７は、ＥＰＤＣＣＨの信号、ＥＰＨＩＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行なうビットの数を調整するためにレートデマッチングも行なう。なお、下りリンクのＡＣＫ／ＮＡＣＫの符号化に畳み込み符号化ではなく、その他の種類の符号化が送信側で適用される場合、下りリンクのＡＣＫ／ＮＡＣＫに対してビタビデコーディング処理ではなく、異なる復号化処理が行われてもよい。そのような場合は、制御チャネル復号部５２１は、ビタビデコーダ部５２９とは異なる復号化部を実装する。
【０１６９】
ＥＰＤＣＣＨに対する検出処理について説明する。端末装置５は、複数のＥＣＣＥ  ａｇｇｒｅｇａｔｉｏｎ  ｎｕｍｂｅｒを想定して、自装置宛てのＤＣＩを検出する処理を行なう。端末装置５は、想定するＥＣＣＥ  ａｇｇｒｅｇａｔｉｏｎ  ｎｕｍｂｅｒ（符号化率）毎に異なる復号処理をＥＰＤＣＣＨの信号に対して行ない、ＤＣＩと一緒にＥＰＤＣＣＨに付加されるＣＲＣ符号に誤りが検出されなかったＥＰＤＣＣＨに含まれるＤＣＩを取得する。このような処理をブラインドデコーディングと称す。なお、端末装置５は、基地局装置３から構成されたＥＰＤＣＣＨ  ｓｅｔの全てのＥＣＣＥの信号（受信信号）に対してＥＰＤＣＣＨを想定したブラインドデコーディングを行なうのではなく、一部のＥＣＣＥに対してのみブラインドデコーディングを行なってもよい。ブラインドデコーディングが行なわれる一部のＥＣＣＥ（ＥＣＣＥｓ）をＳｅａｒｃｈ  ｓｐａｃｅと呼称する。また、ＥＣＣＥ  ａｇｇｒｅｇａｔｉｏｎ  ｎｕｍｂｅｒ毎に異なるＳｅａｒｃｈ  ｓｐａｃｅが定義される。複数のＥＰＤＣＣＨ  ｓｅｔが構成された端末装置５は、それぞれの構成されたＥＰＤＣＣＨ  ｓｅｔにＳｅａｒｃｈ  ｓｐａｃｅが設定（構成、定義）される。
【０１７０】
Ｓｅａｒｃｈ  ｓｐａｃｅとは、端末装置５がＥＰＤＣＣＨ  ｓｅｔ内でＥＰＤＣＣＨの復号検出を行なう論理的な領域を意味する。Ｓｅａｒｃｈ  ｓｐａｃｅは、複数のＥＰＤＣＣＨ候補から構成される。ＥＰＤＣＣＨ候補とは、端末装置５がＥＰＤＣＣＨの復号検出を行う対象である。ＥＣＣＥ  ａｇｇｒｅｇａｔｉｏｎ  ｎｕｍｂｅｒ毎に、異なるＥＰＤＣＣＨ候補は異なるＥＣＣＥ（１つのＥＣＣＥ、複数のＥＣＣＥｓを含む）から構成される。
【０１７１】
ＥＰＨＩＣＨに対する検出処理について説明する。端末装置５は、送信したＰＵＳＣＨのリソース割り当て情報を含むＥＰＤＣＣＨを検出したＥＰＤＣＣＨ  ｓｅｔと対応するＥＰＨＩＣＨ  ｓｅｔに対してＥＰＨＩＣＨの信号を検出する処理を行う。端末装置５は、ＥＰＨＩＣＨが配置されうる複数のＤＬ  ＰＲＢ  ｐａｉｒに配置された信号をデマッピングして、ＥＰＨＩＣＨの信号を抽出する処理を行う。ＥＰＨＩＣＨには、ＥＲＥＧ、ＥＣＣＥの構造が用いられる。ＥＰＨＩＣＨの構成には、図１４で説明したＥＲＥＧが用いられる。本発明のＥＰＨＣＩＨの構成には、図１８、図１９、図２０で説明したＥＣＣＥ，つまりＤｉｓｔｒｉｂｕｔｅｄ  ｍａｐｐｉｎｇのＥＣＣＥが用いられる。１つのＥＰＨＩＣＨは、複数のＥＣＣＥから構成される。１つのＥＰＨＩＣＨには、複数のＡＣＫ／ＮＡＣＫ情報から生成された信号が配置されうる。
【０１７２】
端末装置５は、ＰＵＳＣＨで送信したトランスポートブロックに対するＡＣＫ／ＮＡＣＫを含むＥＰＨＩＣＨを判断し、そのＥＰＨＩＣＨの信号を抽出し、ＥＰＨＩＣＨが配置されるＤＬ  ＰＲＢ  ｐａｉｒ内の第二の参照信号を用いて、抽出したＥＰＨＩＣＨの信号の伝搬路補償を行い、復調と復号を行う。端末装置５は、ＥＰＨＩＣＨの信号の復調を、復調を行なうリソースが属するＤＬ  ＰＲＢ  ｐａｉｒ内の第二の参照信号を用いて行う。ＥＲＥＧは何れかのアンテナポートと予め対応付けが設定されており、端末装置５はＥＰＨＩＣＨの信号の復調を、ＥＰＨＩＣＨを構成するＥＲＥＧに基づき判断したアンテナポートの第二の参照信号を用いて行う。１つのＥＲＥＧは複数のアンテナポートと対応付けられ、ＥＲＥＧ内のそれぞれのＲＥに異なるアンテナポートが交互に対応付けられる。
【０１７３】
端末装置５は、復号して得た複数のＡＣＫ／ＮＡＣＫの中で、ＰＵＳＣＨで送信したトランスポートブロックに対するＡＣＫ／ＮＡＣＫを確認し、送信したトランスポートブロックに誤りがあったか、誤りがなかったかを判断する。端末装置５は、ＰＵＳＣＨで送信したトランスポートブロックに誤りがあったと判断した場合、送信したトランスポートブロックの再送を行う。
【０１７４】
１つの下りリンクサブフレームにおいて、構成されるＡＣＫ／ＮＡＣＫにインデックス付けが行われる。ＡＣＫ／ＮＡＣＫのインデックス付けは、ＥＰＨＩＣＨ  ｓｅｔ単位に対して行われる。１つのＥＰＨＩＣＨに複数のＡＣＫ／ＮＡＣＫが含まれ、インデックスの小さいＥＰＨＩＣＨから順に、インデックスの低い複数のＡＣＫ／ＮＡＣＫが含まれる。ＰＵＳＣＨで送信されるデータに対するＡＣＫ／ＮＡＣＫが配置されるＥＰＨＩＣＨは、そのＰＵＳＣＨに用いられる１つ以上のＵＬ  ＰＲＢ  ｐａｉｒの中でインデックスの最も小さいＵＬ  ＰＲＢ  ｐａｉｒのインデックスと、そのＵＬ  ＰＲＢ  ｐａｉｒ内に配置されるＤＭ  ＲＳのサイクリックシフト値と対応するオフセット値とに基づき対応付けられる。ＰＵＳＣＨで送信されるデータに対するＡＣＫ／ＮＡＣＫは、対応付けられるＥＰＨＩＣＨに配置されうる複数のＡＣＫ／ＮＡＣＫの中から、そのＰＵＳＣＨに用いられる１つ以上のＵＬ  ＰＲＢ  ｐａｉｒの中でインデックスの最も小さいＵＬ  ＰＲＢ  ｐａｉｒのインデックスと、そのＵＬ  ＰＲＢ  ｐａｉｒ内に配置されるＤＭ  ＲＳのサイクリックシフト値と対応するオフセット値とに基づき対応付けられる。端末装置５は、基地局装置３から通知されたＥＰＨＩＣＨ（ＡＣＫ／ＮＡＣＫ）の総数を示す情報に基づき、下りリンクサブフレームに構成されるＥＰＨＩＣＨ（ＡＣＫ／ＮＡＣＫ）の数を判断する。端末装置５は、基地局装置３から通知されたＥＰＨＩＣＨ  ｓｅｔ毎のＥＰＨＩＣＨ（ＡＣＫ／ＮＡＣＫ）の総数を示す情報に基づき、ＥＰＨＩＣＨ  ｓｅｔ毎に構成されるＥＰＨＩＣＨ（ＡＣＫ／ＮＡＣＫ）の数を判断する。
【０１７５】
端末装置５は、ＰＵＳＣＨで送信したトランスポートブロックに対するＡＣＫ／ＮＡＣＫを含むＥＰＨＩＣＨを構成する複数のＥＣＣＥに配置される信号の復号を行う。ここで、ＥＰＨＩＣＨには、専用の識別子（ＲＮＴＩ）が用いられ、複数のＡＣＫ／ＮＡＣＫから生成したＣＲＣ符号に対してＥＰＨＩＣＨ専用の識別子を用いた排他的論理和の処理が行われる。排他的論理和の処理が行われた情報が複数のＡＣＫ／ＮＡＣＫ情報と共に符号化され、変調され、変調された信号がＥＰＨＩＣＨに配置される。
【０１７６】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩが下りリンクアサインメントである場合、受信処理部４０１にＰＤＳＣＨの信号を復号するように制御する。なお、ＥＰＤＣＣＨにおいてもＰＤＳＣＨと同様にＣＲＣ符号が含まれており、制御部４０５はＣＲＣ符号を用いてＥＰＤＣＣＨのＤＣＩが誤っているか否かを判断する。
【０１７７】
制御部４０５は、ビタビデコーダ部５２９より入力されたＡＣＫ／ＮＡＣＫに誤りがないかを判定し、誤りがないと判定した場合、ＡＣＫ／ＮＡＣＫに基づいて送信処理部４０７を制御する。例えば、制御部４０５は、ＡＣＫ／ＮＡＣＫがＮＡＣＫを示す場合、送信されたＰＵＳＣＨを再送するように送信処理部４０７を制御する。なお、ＥＰＨＩＣＨにおいてもＣＲＣ符号が含まれており、制御部４０５はＣＲＣ符号を用いてＥＰＨＩＣＨに含まれうる複数のＡＣＫ／ＮＡＣＫに誤りがあるかないかを判断する。
【０１７８】
＜端末装置５の送信処理部４０７＞
図６は、本発明の実施形態に係る端末装置５の送信処理部４０７の構成を示す概略ブロック図である。この図に示すように、送信処理部４０７は、ターボ符号部６１１、データ変調部６１３、ＤＦＴ部６１５、上りリンク参照信号処理部６１７、物理上りリンク制御チャネル処理部６１９、サブキャリアマッピング部６２１、ＩＦＦＴ部６２３、ＧＩ挿入部６２５、送信電力調整部６２７、ランダムアクセスチャネル処理部６２９、Ｄ／Ａ部６０５、送信ＲＦ部６０７、および、送信アンテナ４１１を含んで構成される。送信処理部４０７は、情報データ（トランスポートブロック）、ＵＣＩに対して符号化、変調を行ない、ＰＵＳＣＨ、ＰＵＣＣＨを用いて送信する信号を生成し、ＰＵＳＣＨ、ＰＵＣＣＨの送信電力を調整する。送信処理部４０７は、ＰＲＡＣＨを用いて送信する信号を生成し、ＰＲＡＣＨの送信電力を調整する。送信処理部４０７は、ＤＭ  ＲＳ、ＳＲＳを生成し、ＤＭ  ＲＳ、ＳＲＳの送信電力を調整する。
【０１７９】
ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。ＤＦＴ部６１５は、データ変調部６１３が出力した信号を離散フーリエ変換し、サブキャリアマッピング部６２１に出力する。
【０１８０】
物理上りリンク制御チャネル処理部６１９は、制御部４０５から入力されたＵＣＩを伝送するためのベースバンド信号処理を行なう。物理上りリンク制御チャネル処理部６１９に入力されるＵＣＩは、ＡＣＫ／ＮＡＣＫ、ＳＲ、ＣＱＩである。物理上りリンク制御チャネル処理部６１９は、ベースバンド信号処理を行ない、生成した信号をサブキャリアマッピング部６２１に出力する。物理上りリンク制御チャネル処理部６１９は、ＵＣＩの情報ビットを符号化して信号を生成する。
【０１８１】
また、物理上りリンク制御チャネル処理部６１９は、ＵＣＩから生成される信号に対して周波数領域の符号多重および／または時間領域の符号多重に関連する信号処理を行なう。例えば、物理上りリンク制御チャネル処理部６１９は、ＡＣＫ／ＮＡＣＫから生成される信号に用いるＵＬ  ＰＲＢ  ｐａｉｒ、周波数領域の符号系列、時間領域の符号系列が制御部４０５から指示される。対して物理上りリンク制御チャネル処理部６１９は、ＡＣＫ／ＮＡＣＫの情報ビット、またはＳＲの情報ビット、またはＣＱＩの情報ビットから生成されるＰＵＣＣＨの信号に対して周波数領域の符号多重を実現するために制御部４０５から指示された符号系列を乗算する。物理上りリンク制御チャネル処理部６１９は、ＡＣＫ／ＮＡＣＫの情報ビット、またはＳＲの情報ビットから生成されるＰＵＣＣＨの信号に対して時間領域の符号多重を実現するために制御部４０５から指示された符号系列を乗算する。
【０１８２】
上りリンク参照信号処理部６１７は、基地局装置３において既知の信号であるＳＲＳ、ＤＭ  ＲＳを制御部４０５からの指示に基づき生成し、サブキャリアマッピング部６２１に出力する。
【０１８３】
サブキャリアマッピング部６２１は、上りリンク参照信号処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。
【０１８４】
ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、端末装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行なう。ＧＩ挿入部６２５は、ＩＦＦＴ部６２３から入力された信号に、ガードインターバルを付加し、送信電力調整部６２７に出力する。
【０１８５】
ランダムアクセスチャネル処理部６２９は、制御部４０５から指示されたプリアンブル系列を用いて、ＰＲＡＣＨで送信する信号を生成し、生成した信号を送信電力調整部６２７に出力する。
【０１８６】
送信電力調整部６２７は、ＧＩ挿入部６２５から入力された信号、またはランダムアクセスチャネル処理部６２９から入力された信号に対して、制御部４０５からの制御信号に基づき送信電力を調整してＤ／Ａ部６０５に出力する。なお、送信電力調整部６２７では、ＰＵＳＣＨ、ＰＵＣＣＨ、ＤＭ  ＲＳ、ＳＲＳ、ＰＲＡＣＨの平均送信電力が上りリンクサブフレーム毎に制御される。
【０１８７】
Ｄ／Ａ部６０５は、送信電力調整部６２７から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。
【０１８８】
端末装置５は、複数のＥＰＤＣＣＨ  ｓｅｔの構成と、複数のＥＰＨＩＣＨ  ｓｅｔの構成と、構成されたＥＰＤＣＣＨ  ｓｅｔと構成されたＥＰＨＩＣＨ  ｓｅｔとの対応付けと、を示す情報を基地局装置３から受信し（受信処理部４０１が関連情報を受信する）、基地局装置３から受信した情報に基づき、複数のＥＰＤＣＣＨ  ｓｅｔと複数のＥＰＨＩＣＨ  ｓｅｔを構成し（無線リソース制御部４０３が複数のＥＰＤＣＣＨ  ｓｅｔと複数のＥＰＨＩＣＨ  ｓｅｔを構成する）、ＥＰＤＣＣＨ  ｓｅｔとＥＰＨＩＣＨ  ｓｅｔの対応付けを設定し（無線リソース制御部４０３が複数のＥＰＤＣＣＨ  ｓｅｔと複数のＥＰＨＩＣＨ  ｓｅｔを構成する）、ＰＵＳＣＨのリソース割り当て情報を含むＥＰＤＣＣＨが検出されたＥＰＤＣＣＨ  ｓｅｔに対応付けられるＥＰＨＩＣＨ  ｓｅｔでＥＰＨＩＣＨを受信するように制御し（制御部４０５が、ＥＰＤＣＣＨが検出されたＥＰＤＣＣＨ  ｓｅｔに対応付けられるＥＰＨＩＣＨ  ｓｅｔでＥＰＨＩＣＨを受信するように制御する）、ＥＰＨＩＣＨの信号を受信する（受信処理部４０１がＥＰＨＩＣＨの信号を受信する）。なお、ＥＰＤＣＣＨ  ｓｅｔの構成とは、ＥＰＤＣＣＨ  ｓｅｔを構成する複数のＤＬ  ＰＲＢ  ｐａｉｒ、ＥＰＤＣＣＨ  ｓｅｔに適用されるリソースマッピングの方法等を意味する。なお、ＥＰＨＩＣＨ  ｓｅｔの構成とは、ＥＰＨＩＣＨ  ｓｅｔを構成する複数のＤＬ  ＰＲＢ  ｐａｉｒ、ＥＰＨＩＣＨ  ｓｅｔ内に構成されるＥＰＨＩＣＨ（ＡＣＫ／ＮＡＣＫ）の総数等を意味する。
【０１８９】
端末装置５は、トランスポートブロックから生成された信号をＰＵＳＣＨに配置して送信し（送信処理部４０７がＰＵＳＣＨを送信する）、送信したトランスポートブロックに対するＡＣＫ／ＮＡＣＫを含むＥＰＨＩＣＨが送信される（配置される、構成される、設定される）ＥＣＣＥを、送信したＰＵＳＣＨに用いられるＵＬ  ＰＲＢのインデックス（Ｌｏｗｅｓｔ  ＰＲＢ  ｉｎｄｅｘ）とＤＭ  ＲＳのサイクリックシフトから判断し（制御部４０５が対応するＥＰＨＩＣＨを判断する）、そのＥＰＨＩＣＨに配置される信号を受信して復調し（受信処理部４０１がＥＰＨＩＣＨに配置される信号を受信して復調する）、送信したトランスポートブロックに対するＡＣＫ／ＮＡＣＫを抽出し、抽出したＡＣＫ／ＮＡＣＫに基づき送信したＰＵＳＣＨの再送制御を行う（制御部４０５がＡＣＫ／ＮＡＣＫを抽出し、ＰＵＳＣＨの再送制御を行う）。
【０１９０】
基地局装置３は、複数のＥＰＤＣＣＨ  ｓｅｔと、複数のＥＰＨＩＣＨ  ｓｅｔと、構成されたＥＰＤＣＣＨ  ｓｅｔと構成されたＥＰＨＩＣＨ  ｓｅｔとの対応付けと、を設定し（無線リソース制御部１０３が設定する）、設定した情報（複数のＥＰＤＣＣＨ  ｓｅｔの構成を示す情報と、複数のＥＰＨＩＣＨ  ｓｅｔの構成を示す情報と、ＥＰＤＣＣＨ  ｓｅｔとＥＰＨＩＣＨ  ｓｅｔとの対応付けを示す情報）を端末装置５に送信し（送信処理部１０７が関連情報を送信する）、ＰＵＳＣＨのリソース割り当て情報を含むＥＰＤＣＣＨを配置したＥＰＤＣＣＨ  ｓｅｔに対応付けられるＥＰＨＩＣＨ  ｓｅｔでＥＰＨＩＣＨを送信するように制御し（制御部１０５が、ＥＰＤＣＣＨが配置されたＥＰＤＣＣＨ  ｓｅｔに対応付けられるＥＰＨＩＣＨ  ｓｅｔでＥＰＨＩＣＨを送信するように制御する）、ＥＰＨＩＣＨの信号を送信する（送信処理部１０７がＥＰＨＩＣＨの信号を送信する）。
【０１９１】
基地局装置３は、端末装置５からＰＵＳＣＨに配置された信号を受信し（受信処理部１０１がＰＵＳＣＨを受信する）、端末装置５にリソースを割り当てたＰＵＳＣＨに割り当てたＵＬ  ＰＲＢのインデックスとＤＭ  ＲＳのサイクリックシフトとに対応するＥＰＨＩＣＨに、そのＰＵＳＣＨで受信したトランスポートブロックに対するＡＣＫ／ＮＡＣＫから生成した信号を配置するように制御し（無線リソース制御部１０３がＥＰＨＩＣＨを選択し、制御部１０５がそのＥＰＨＩＣＨにＡＣＫ／ＮＡＣＫから生成した信号を配置するように制御する）、ＡＣＫ／ＮＡＣＫから生成した信号を配置したＥＰＨＩＣＨを送信する（送信処理部１０７がＥＰＨＩＣＨを送信する）。
【０１９２】
以上のように、本発明の実施形態では、同一の送信先のＥＰＤＣＣＨ  ｓｅｔとＥＰＨＩＣＨ  ｓｅｔを対応付け、異なる送信先に対しては異なるＥＰＤＣＣＨ  ｓｅｔとＥＰＨＩＣＨ  ｓｅｔの組み合わせを構成することができ、ＥＰＤＣＣＨとＥＰＨＩＣＨにＤＰＳを効率良くサポートすることができる。例えば、チャネル状況の良い送信先からＥＰＤＣＣＨの信号とＥＰＨＩＣＨの信号を端末装置５はダイナミックに受信することができる。例えば、基地局装置３はロードバランスを考慮して、信号を送信する送信先を選択して信号を送信し、通信リソースの余裕のある送信先からＥＰＤＣＣＨの信号とＥＰＨＩＣＨの信号を端末装置５はダイナミックに受信することができる。また、本発明の実施形態では、端末装置５は、ＥＰＤＣＣＨが検出されたＥＰＤＣＣＨ  ｓｅｔと対応付けられたＥＰＨＩＣＨ  ｓｅｔに対してのみＥＰＨＩＣＨを検出する処理を行うことができ、複数のＥＰＨＩＣＨ  ｓｅｔに対してＥＰＨＩＣＨを検出する処理を行う場合と比較して、処理負荷を軽減することができる。また、本発明の実施形態では、ＥＰＨＩＣＨは下りリンクシステム帯域全体に配置されるのではなく、制限されたＤＬ  ＰＲＢ  ｐａｉｒに配置されるので、セル毎に異なる周波数領域にＥＰＨＩＣＨを構成することができ、下りリンクのＡＣＫ／ＮＡＣＫ情報を干渉コーディネーションを用いて送受信することが可能となる。また、本発明の実施形態では、ＥＰＨＩＣＨは、ＥＰＤＣＣＨと同様のＥＲＥＧ、ＥＣＣＥの構造を適用することにより、同一のＤＬ  ＰＲＢ  ｐａｉｒ内にＥＰＤＣＣＨとＥＰＨＩＣＨを効率良く多重することが可能となる。例えば、同一の複数のＤＬ  ＰＲＢ  ｐａｉｒ内にＥＰＤＣＣＨとＥＰＨＩＣＨが構成される場合、番号の小さいＥＣＣＥにＥＰＨＩＣＨを配置し、番号の大きいＥＣＣＥにＥＰＤＣＣＨを配置し、同じＤＬ  ＰＲＢ  ｐａｉｒ内に無駄なリソースを消費することなく、ＥＰＨＩＣＨとＥＰＤＣＣＨを多重することができる。また、本発明の実施形態では、ＥＰＨＩＣＨの復調にはＣＲＳが用いられないため、基地局装置３があるセルでＣＲＳを送信することを回避することができ、セル間の干渉緩和、基地局装置３のエネルギー効率の向上が実現できる。また、本発明の実施形態では、下りリンクのＡＣＫ／ＮＡＣＫは複数のグループに分けられ、それぞれのＡＣＫ／ＮＡＣＫのグループが異なるＥＰＨＩＣＨに配置されるので、基地局装置３は、ある下りリンクサブフレームで送信する複数のＡＣＫ／ＮＡＣＫを同一のグループにまとめ、構成可能な全てのＥＰＨＩＣＨをある下りリンクサブフレームで用いるのではなく、送信するＥＰＨＩＣＨを制限することができる。基地局装置３は、端末装置３に割り当てるＵＬ  ＰＲＢ  ｐａｉｒ、ＤＭ  ＲＳのサイクリックシフト値を工夫してスケジューリングすることにより、ある下りリンクサブフレームで送信する複数のＡＣＫ／ＮＡＣＫを同一のグループにまとめることができる。送信されなかったＥＰＨＩＣＨが対応するＥＣＣＥは、ＥＰＤＣＣＨの送信に用いることができ、高い周波数利用効率を実現することができる。送信されなかったＥＰＨＩＣＨが対応するＥＣＣＥに割り当てられる送信電力を他のＥＰＨＩＣＨ、ＥＰＤＣＣＨに用いることができ、ＥＰＨＩＣＨ、ＥＰＤＣＣＨの高い受信品質を実現することができる。
【０１９３】
以上説明した本発明の特徴的な手段は、集積回路に機能を実装し、制御することによっても実現することができる。すなわち、本発明の集積回路は、基地局装置と通信を行う端末装置に実装される集積回路であって、複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔの対応付けと、を示す情報を前記基地局装置から受信する受信処理部と、前記情報に基づき、複数のＥＰＤＣＣＨ  ｓｅｔと複数のＥＰＨＩＣＨ  ｓｅｔを構成し、前記ＥＰＤＣＣＨ  ｓｅｔと前記ＥＰＨＩＣＨ  ｓｅｔの対応付けを設定する無線リソース制御部と、ＰＵＳＣＨのリソース割り当て情報を含むＥＰＤＣＣＨが検出された前記ＥＰＤＣＣＨ  ｓｅｔと対応付けられた前記ＥＰＨＩＣＨ  ｓｅｔにおいて、前記ＰＵＳＣＨに対応するＥＰＨＩＣＨを受信するように制御する制御部と、を有することを特徴とする。
【０１９４】
本発明の集積回路は、複数の端末装置と通信を行う基地局装置に実装される集積回路であって、複数のＥＰＤＣＣＨ  ｓｅｔと、複数のＥＰＨＩＣＨ  ｓｅｔと、前記ＥＰＤＣＣＨ  ｓｅｔと前記ＥＰＨＩＣＨ  ｓｅｔとの対応付けと、を前記端末装置に対して設定する無線リソース制御部と、前記無線リソース制御部で設定された、複数のＥＰＤＣＣＨ  ｓｅｔの構成と、複数のＥＰＨＩＣＨ  ｓｅｔの構成と、前記ＥＰＤＣＣＨ  ｓｅｔと前記ＥＰＨＩＣＨ  ｓｅｔとの対応付けと、を示す情報を前記端末装置に送信する送信処理部と、ＰＵＳＣＨのリソース割り当て情報を含むＥＰＤＣＣＨが配置される前記ＥＰＤＣＣＨ  ｓｅｔと対応付けられる前記ＥＰＨＩＣＨ  ｓｅｔで前記ＰＵＳＣＨに対応するＥＰＨＩＣＨに信号を配置して、前記信号を送信する送信処理部と、有することを特徴とする。
【０１９５】
また、端末装置５とは、移動する端末に限らず、固定端末に端末装置５の機能を実装することなどにより本発明を実現しても良い。
【０１９６】
なお、上述の実施形態では、ＥＰＨＩＣＨが配置されうる領域（複数のＤＬ  ＰＲＢ  ｐａｉｒ）をＥＰＨＩＣＨ  ｓｅｔという用語で定義したが、異なる用語で定義されても、その用語が上述の実施形態に記載されたＥＰＨＩＣＨ  ｓｅｔと同じ意味を持つのであれば、本発明を適用することができることに注意すべきである。
【０１９７】
なお、本願発明は上述の実施形態に限定されるものではない。実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０１９８】
本発明の実施形態に記載の動作をプログラムで実現してもよい。本発明に関わる端末装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１９９】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における端末装置５および基地局装置３の一部、または全部を典型的には集積回路であるＬＳＩとして実現してもよい。端末装置５および基地局装置３の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。端末装置５および基地局装置３の各機能ブロックは、複数の回路により実現してもよい。
【０２００】
情報及び信号が、種々の異なるあらゆる技術及び方法を用いて示され得る。例えば上記説明を通して参照され得るチップ、シンボル、ビット、信号、情報、コマンド、命令、及びデータは、電圧、電流、電磁波、磁場または磁性粒子、光学場または光粒子、またはこれらの組み合わせによって示され得る。
【０２０１】
本明細書の開示に関連して述べられた種々の例示的な論理ブロック、処理部、及びアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、及びステップが、概してその機能性に関して述べられてきた。そのような機能性がハードウェアとして実装されるかソフトウェアとして実装されるかは、個々のアプリケーション、及びシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【０２０２】
本明細書の開示に関連して述べられた種々の例示的な論理ブロック、処理部は、本明細書で述べられた機能を実行するように設計された汎用用途プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２０３】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことが出来るように、プロセッサに結合され得る。別の方法では、記録媒体はプロセッサに一体化されても良い。プロセッサと記録媒体は、ＡＳＩＣ内にあっても良い。ＡＳＩＣは、端末装置（ユーザ端末）内にあり得る。あるいは、プロセッサ及び記録媒体は、ディスクリート要素として端末装置５内にあっても良い。
【０２０４】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことが出来る。また、あらゆる接続が、適切にコンピュータ読み取り可能な媒体と呼ばれる。例えば、もしソフトウェアが同軸ケーブル、光ファイバケーブル、ツイストペア、デジタル加入者回線（ＤＳＬ）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（ｄｉｓｋ、ｄｉｓｃ）は、コンパクトディスク（ＣＤ）、レーザーディスク（登録商標）、光学ディスク、デジタルバーサタイルディスク（ＤＶＤ）、フロッピー（登録商標）ディスク、ブルーレイディスク、を含み、ディスク（ｄｉｓｋ）は、一般的に、磁気的にデータを再生する一方で、ディスク（ｄｉｓｃ）はレーザによって光学的にデータを再生する。上記のものを組み合わせたものもまた、コンピュータ読み取り可能な媒体に含まれるべきである。
【０２０５】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０２０６】
３  基地局装置
４（Ａ〜Ｃ）  ＲＲＨ
５（Ａ〜Ｃ）  端末装置
１０１  受信処理部
１０３  無線リソース制御部
１０５  制御部
１０７  送信処理部
１０９  受信アンテナ
１１１  送信アンテナ
２０１  共用チャネル処理部
２０３  制御チャネル処理部
２０５  下りリンク参照信号処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
２２７  プリコーディング処理部（ＥＰＤＣＣＨ、ＥＰＨＩＣＨ用）
２２９  プリコーディング処理部（ＰＤＳＣＨ用）
２３１  プリコーディング処理部（下りリンク参照信号用）
３０１  受信ＲＦ部
３０３  Ａ／Ｄ部
３０９  シンボルタイミング検出部
３１１  ＧＩ除去部
３１３  ＦＦＴ部
３１５  サブキャリアデマッピング部
３１７  伝搬路推定部
３１９  伝搬路等化部（ＰＵＳＣＨ用）
３２１  伝搬路等化部（ＰＵＣＣＨ用）
３２３  ＩＤＦＴ部
３２５  データ復調部
３２７  ターボ復号部
３２９  物理上りリンク制御チャネル検出部
３３１  プリアンブル検出部
３３３  ＳＲＳ処理部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（ＰＤＳＣＨ用）
５１７  共用チャネル復号部
５１９  伝搬路補償部（ＥＰＤＣＣＨ、ＥＰＨＩＣＨ用）
５２１  制御チャネル復号部
５２３  データ復調部
５２５  ターボ復号部
５２７  ＱＰＳＫ復調部
５２９  ビタビデコーダ部
５３３  デマッピング部
６０５  Ｄ／Ａ部
６０７  送信ＲＦ部
６１１  ターボ符号部
６１３  データ変調部
６１５  ＤＦＴ部
６１７  上りリンク参照信号処理部
６１９  物理上りリンク制御チャネル処理部
６２１  サブキャリアマッピング部
６２３  ＩＦＦＴ部
６２５  ＧＩ挿入部
６２７  送信電力調整部
６２９  ランダムアクセスチャネル処理部
【図１】
2016042611.tif 000003
【図２】
2016042611.tif 000004
【図３】
2016042611.tif 000005
【図４】
2016042611.tif 000006
【図５】
2016042611.tif 000007
【図６】
2016042611.tif 000008
【図７】
2016042611.tif 000009
【図８】
2016042611.tif 000010
【図９】
2016042611.tif 000011
【図１０】
2016042611.tif 000012
【図１１】
2016042611.tif 000013
【図１２】
2016042611.tif 000014
【図１３】
2016042611.tif 000015
【図１４】
2016042611.tif 000016
【図１５】
2016042611.tif 000017
【図１６】
2016042611.tif 000018
【図１７】
2016042611.tif 000019
【図１８】
2016042611.tif 000020
【図１９】
2016042611.tif 000021
【図２０】
2016042611.tif 000022